(57)【要約】  本願は、データ処理方法、端末デバイス及びネットワークデバイスを開示し、当該方法は、端末デバイスが第１のデータの伝送に使用される伝送パラメータに基づいて、使用される変調符号化方式ＭＣＳマッピング関係テーブルを選択することと、端末デバイスが当該ＤＣＩに含まれる目標ＭＣＳ指示情報及び当該ＭＣＳマッピング関係テーブルに基づいて、当該第１のデータに対してデータ処理を行うための目標ＭＣＳを決定することと、端末デバイスが当該目標ＭＣＳに基づいて、当該第１のデータを符号化及び変調し、又は、当該第１のデータを復調及び復号することとを含み、当該ＭＣＳマッピング関係テーブルが複数のＭＣＳ指示情報と複数のＭＣＳとのマッピング関係を含む。そして、端末デバイスは、データ伝送の伝送パラメータに応じて現在の伝送シーンに適したＭＣＳマッピング関係テーブルを選択し、ＤＣＩに含まれるＭＣＳ指示情報と選択されたＭＣＳマッピング関係テーブルとに基づいて、現在の伝送シーンで使用されているＭＣＳを効率的に決定することができる。
2021500773.tif 000002
【特許請求の範囲】
【請求項１】
端末デバイスが第１のデータの伝送に使用される伝送パラメータに基づいて、使用される変調符号化方式ＭＣＳマッピング関係テーブルを選択することと、
前記端末デバイスがＤＣＩに含まれる目標ＭＣＳ指示情報、及び前記ＭＣＳマッピング関係テーブルに基づいて、前記第１のデータに対してデータ処理を行うための目標ＭＣＳを決定することと、
前記端末デバイスが前記目標ＭＣＳに基づいて、前記第１のデータを符号化及び変調し、又は、前記第１のデータを復調及び復号することとを含み、
前記ＭＣＳマッピング関係テーブルには複数のＭＣＳ指示情報と複数のＭＣＳとのマッピング関係が含まれ、前記伝送パラメータが、前記第１のデータの伝送のための伝送モード、前記第１のデータのスケジューリングのための前記下り制御情報ＤＣＩのＤＣＩフォーマット、前記第１のデータの伝送のためのサブキャリア間隔、前記第１のデータと上り制御情報ＵＣＩの多重方式のうちの少なくとも１つを含む
ことを特徴とするデータ処理方法。
【請求項２】
前記複数のＭＣＳ指示情報内の各ＭＣＳ指示情報が１つのＭＣＳインデックスを示し、前記複数のＭＣＳ指示情報が示す複数のＭＣＳインデックスが前記複数のＭＣＳに一対一に対応する
ことを特徴とする請求項１に記載のデータ処理方法。
【請求項３】
前記複数のＭＣＳの各ＭＣＳが変調方式及び符号化率の情報を含む
ことを特徴とする請求項１又は２に記載のデータ処理方法。
【請求項４】
前記伝送パラメータが、前記第１のデータの伝送のための伝送モードを含み、
前記端末デバイスが第１のデータの伝送に使用される伝送パラメータに基づいて、使用されるＭＣＳマッピング関係テーブルを選択する前に、前記方法は、さらに、
前記端末デバイスが、ネットワークデバイスにより上位レイヤシグナリングを介して送信した、前記伝送モードを示す指示情報を受信することを含む
ことを特徴とする請求項１〜３のいずれか１項に記載のデータ処理方法。
【請求項５】
前記伝送パラメータが前記第１のデータのスケジューリングのためのＤＣＩのＤＣＩフォーマットを含み、
前記端末デバイスが第１のデータの伝送に使用される伝送パラメータに基づいて、使用されるＭＣＳマッピング関係テーブルを選択する前に、前記方法は、さらに、
前記端末デバイスが多種のＤＣＩフォーマットに基づいて、前記ＤＣＩをブラインド検出して、前記ＤＣＩのＤＣＩフォーマットを決定することを含む
ことを特徴とする請求項１〜４のいずれか１項に記載のデータ処理方法。
【請求項６】
前記第１のデータの伝送のための伝送モードは、
単一アンテナポートに基づく伝送モード、マルチ入力マルチ出力ＭＩＭＯに基づく伝送モード、マルチアンテナポートに基づく伝送モード、単一の伝送ポイントに基づく伝送モード、又は、複数の伝送ポイントに基づく伝送モードのいずれかを含む
ことを特徴とする請求項１〜５のいずれか１項に記載のデータ処理方法。
【請求項７】
前記第１のデータのスケジューリングのための前記ＤＣＩのＤＣＩフォーマットは、
単一アンテナポートでのデータ伝送、単一の伝送層のデータ伝送、マルチアンテナポートでのデータ伝送、複数の伝送層のデータ伝送、開ループＭＩＭＯに基づくデータ伝送、閉ループプリコーディングに基づくデータ伝送、フーリエ変換拡張の直交周波数分割多重ＤＦＴ−Ｓ−ＯＦＤＭの多元接続方式に基づくデータ伝送、サイクリックプレフィックス直交周波数分割多重ＣＰ−ＯＦＤＭの多元接続方式に基づくデータ伝送、単一の伝送ポイントでのデータ伝送、又は、複数の伝送ポイントでのデータ伝送のいずれかのスケジューリングのためのＤＣＩフォーマットを含む
ことを特徴とする請求項１〜６のいずれか１項に記載のデータ処理方法。
【請求項８】
前記伝送パラメータが、前記第１のデータの伝送のための伝送モードを含み、
前記伝送モードが第１の伝送モードである場合、前記端末デバイスにより選択された前記ＭＣＳマッピング関係テーブル内の前記複数のＭＣＳが、第１の変調方式を含み、
前記伝送モードが第２の伝送モードである場合、前記端末デバイスにより選択された前記ＭＣＳマッピング関係テーブル内の前記複数のＭＣＳが、前記第１の変調方式を含まない
ことを特徴とする請求項１〜７のいずれか１項に記載のデータ処理方法。
【請求項９】
前記第１の伝送モードが単一アンテナポートに基づく伝送モードであり、前記第２の伝送モードがマルチアンテナポートに基づく伝送モードであり、前記第１の変調方式がｐｉ／２シフトのバイナリ位相シフトキーイングＢＰＳＫであり、又は、
前記第１の伝送モードがマルチアンテナポートに基づく伝送モードであり、前記第２の伝送モードが単一アンテナポートに基づく伝送モードであり、前記第１の変調方式が変調次数が６４直交振幅変調ＱＡＭよりも高い変調方式であり、又は、
前記第１の伝送モードが単一の伝送ポイントに基づく伝送モードであり、前記第２の伝送モードが複数の伝送ポイントに基づく伝送モードであり、前記第１の変調方式が変調次数が６４ＱＡＭよりも高い変調方式である
ことを特徴とする請求項８に記載のデータ処理方法。
【請求項１０】
前記伝送パラメータが前記第１のデータのスケジューリングのためのＤＣＩのＤＣＩフォーマットを含み、
前記ＤＣＩのＤＣＩフォーマットが第１のＤＣＩフォーマットである場合、前記端末デバイスにより選択された前記ＭＣＳマッピング関係テーブル内の前記複数のＭＣＳが、第２の変調方式を含み、
前記ＤＣＩのＤＣＩフォーマットが第２のＤＣＩフォーマットである場合、前記端末デバイスにより選択された前記ＭＣＳマッピング関係テーブル内の前記複数のＭＣＳが、前記第２の変調方式を含まない
ことを特徴とする請求項１〜７のいずれか１項に記載のデータ処理方法。
【請求項１１】
前記第１のＤＣＩフォーマットが単一アンテナポートでの単一層データ伝送をスケジューリングするために用いられ、前記第２のＤＣＩフォーマットがマルチアンテナポートでの単一層又は、多層データ伝送をスケジューリングするために用いられ、前記第２の変調方式がｐｉ／２シフトのＢＰＳＫの変調方式であり、又は、
前記第１のＤＣＩフォーマットがＤＦＴ−Ｓ−ＯＦＤＭの多元接続方式に基づくデータ伝送をスケジューリングするために用いられ、前記第２のＤＣＩフォーマットがＣＰ−ＯＦＤＭの多元接続方式に基づくデータ伝送をスケジューリングするために用いられ、前記第２の変調方式がｐｉ／２シフトのＢＰＳＫの変調方式であり、又は、
前記第１のＤＣＩフォーマットがＣＰ−ＯＦＤＭの多元接続方式に基づくデータ伝送をスケジューリングするために用いられ、前記第２のＤＣＩフォーマットがＤＦＴ−Ｓ−ＯＦＤＭの多元接続方式に基づくデータ伝送をスケジューリングするために用いられ、前記第２の変調方式が６４ＱＡＭの変調方式である
ことを特徴とする請求項１０に記載のデータ処理方法。
【請求項１２】
前記伝送パラメータが、前記第１のデータの伝送のための伝送モード及び記第１のデータのスケジューリングのためのＤＣＩのＤＣＩフォーマットを含み、
前記伝送モードが第３の伝送モードであり、前記ＤＣＩのＤＣＩフォーマットが第３のＤＣＩフォーマットである場合、前記端末デバイスにより選択された前記ＭＣＳマッピング関係テーブル内の前記複数のＭＣＳが、第３の変調方式を含み、
前記伝送モードが第３の伝送モードではなく、及び／又は、前記ＤＣＩのＤＣＩフォーマットが第３のＤＣＩフォーマットでない場合、前記端末デバイスにより選択された前記ＭＣＳマッピング関係テーブル内の前記複数のＭＣＳが、前記第３の変調方式を含まない
ことを特徴とする請求項１〜７のいずれか１項に記載のデータ処理方法。
【請求項１３】
前記第３の伝送モードがＭＩＭＯに基づく伝送モードであり、前記第３のＤＣＩフォーマットがマルチアンテナポートでのデータ伝送をスケジューリングするために用いられ、前記第３の変調方式が２５６ＱＡＭの変調方式であり、又は、
前記第３の伝送モードが単一アンテナポートに基づく伝送モードであり、前記第３のＤＣＩフォーマットがＤＦＴ−Ｓ−ＯＦＤＭの多元接続方式に基づくデータ伝送をスケジューリングするために用いられ、前記第３の変調方式がｐｉ／２シフトのＢＰＳＫの変調方式である
ことを特徴とする請求項１２に記載のデータ処理方法。
【請求項１４】
前記伝送パラメータが、前記第１のデータの伝送のための伝送モード及び記第１のデータのスケジューリングのためのＤＣＩのＤＣＩフォーマットを含み、
前記伝送モードが第４の伝送モードであり、前記ＤＣＩのＤＣＩフォーマットが第４のＤＣＩフォーマットである場合、前記端末デバイスにより選択された前記ＭＣＳマッピング関係テーブル内の前記複数のＭＣＳが、第４の変調方式を含まなく、
前記伝送モードが第４の伝送モードではなく、及び／又は、前記ＤＣＩのＤＣＩフォーマットが第４のＤＣＩフォーマットでない場合、前記端末デバイスにより選択された前記ＭＣＳマッピング関係テーブル内の前記複数のＭＣＳが、前記第４の変調方式を含む
ことを特徴とする請求項１〜７のいずれか１項に記載のデータ処理方法。
【請求項１５】
前記第４の伝送モードが単一アンテナポートに基づく伝送モードであり、前記第４のＤＣＩフォーマットがＤＦＴ−Ｓ−ＯＦＤＭの多元接続方式に基づくデータ伝送をスケジューリングするために用いられ、前記第４の変調方式が２５６ＱＡＭの変調方式であり、又は、
前記第４の伝送モードがＭＩＭＯに基づく伝送モードであり、前記第４のＤＣＩフォーマットがＣＰ−ＯＦＤＭの多元接続方式に基づくデータ伝送をスケジューリングするために用いられ、前記第４の変調方式がｐｉ／２シフトのＢＰＳＫの変調方式である
ことを特徴とする請求項１４に記載のデータ処理方法。
【請求項１６】
前記伝送パラメータが前記第１のデータと上り制御情報ＵＣＩの多重方式を含み、
前記多重方式が、前記第１のデータとＵＣＩが同じ時間領域リソースユニットに多重化されることである場合、又は、前記第１のデータとＵＣＩ周波数分割がＦＤＭの多重化を行う場合、前記端末デバイスにより選択された前記ＭＣＳマッピング関係テーブル内の前記複数のＭＣＳが、第５の変調方式を含まない
ことを特徴とする請求項１〜１５のいずれか１項に記載のデータ処理方法。
【請求項１７】
前記第５の変調方式は、
ｐｉ／２シフトのＢＰＳＫ、６４ＱＡＭ、２５６ＱＡＭ又は、１０２４ＱＡＭのいずれかを含む
ことを特徴とする請求項１６に記載のデータ処理方法。
【請求項１８】
前記端末デバイスが異なる伝送パラメータに応じて選択したＭＣＳマッピング関係テーブルが異なり、前記異なるマッピング関係テーブルにおいて前記目標ＭＣＳ指示情報に対応する符号化率が異なる
ことを特徴とする請求項３〜１７のいずれか１項に記載のデータ処理方法。
【請求項１９】
前記端末デバイスが異なる伝送パラメータに応じて選択したＭＣＳマッピング関係テーブルが異なり、前記異なるＭＣＳマッピング関係テーブルに含まれるＭＣＳ指示情報の数が異なる
ことを特徴とする請求項３〜１８のいずれか１項に記載のデータ処理方法。
【請求項２０】
前記端末デバイスが前記目標ＭＣＳに基づいて、前記第１のデータを符号化及び変調し、又は、前記第１のデータを復調及び復号することは、
前記目標ＭＣＳが前記端末デバイスのサポートする最大ＭＣＳを超える場合、前記端末デバイスが前記最大ＭＣＳに基づいて、前記第１のデータを符号化及び変調し、又は、前記第１のデータを復調及び復号することを含む
ことを特徴とする請求項１〜１９のいずれか１項に記載のデータ処理方法。
【請求項２１】
ネットワークデバイスが第１のデータの伝送に使用される伝送パラメータに基づいて、使用される変調符号化方式ＭＣＳマッピング関係テーブルを選択することと、
前記ネットワークデバイスが前記ＭＣＳマッピング関係テーブル及び前記第１のデータに対してデータ処理を行うための目標ＭＣＳに基づいて、ＤＣＩに含まれる目標ＭＣＳ指示情報を決定することと、
前記ネットワークデバイスが前記目標ＭＣＳ指示情報が含まれる前記ＤＣＩを端末デバイスに送信することと、
前記ネットワークデバイスが前記目標ＭＣＳに基づいて、前記第１のデータを符号化及び変調し、又は、前記第１のデータを復調及び復号することとを含み、
前記ＭＣＳマッピング関係テーブルには複数のＭＣＳ指示情報と複数のＭＣＳとのマッピング関係が含まれ、前記伝送パラメータが、前記第１のデータの伝送のための伝送モード、前記第１のデータのスケジューリングのための下り制御情報ＤＣＩのＤＣＩフォーマット、前記第１のデータの伝送のためのサブキャリア間隔、前記第１のデータと上り制御情報ＵＣＩの多重方式のうちの少なくとも１つを含む
ことを特徴とするデータ処理方法。
【請求項２２】
前記複数のＭＣＳ指示情報内の各ＭＣＳ指示情報が１つのＭＣＳインデックスを示し、前記複数のＭＣＳ指示情報が示す複数のＭＣＳインデックスが前記複数のＭＣＳに一対一に対応する
ことを特徴とする請求項２１に記載のデータ処理方法。
【請求項２３】
前記複数のＭＣＳの各ＭＣＳが変調方式及び符号化率の情報を含む
ことを特徴とする請求項２１又は２２に記載のデータ処理方法。
【請求項２４】
前記第１のデータの伝送のための伝送モードは、
単一アンテナポートに基づく伝送モード、マルチ入力マルチ出力ＭＩＭＯに基づく伝送モード、マルチアンテナポートに基づく伝送モード、単一の伝送ポイントに基づく伝送モード、又は、複数の伝送ポイントに基づく伝送モードのいずれかを含む
ことを特徴とする請求項２１〜２３のいずれか１項に記載のデータ処理方法。
【請求項２５】
前記第１のデータのスケジューリングのための前記ＤＣＩのＤＣＩフォーマットは、
単一アンテナポートでのデータ伝送、単一の伝送層のデータ伝送、マルチアンテナポートでのデータ伝送、複数の伝送層のデータ伝送、開ループＭＩＭＯに基づくデータ伝送、閉ループプリコーディングに基づくデータ伝送、フーリエ変換拡張の直交周波数分割多重ＤＦＴ−Ｓ−ＯＦＤＭの多元接続方式に基づくデータ伝送、サイクリックプレフィックス直交周波数分割多重ＣＰ−ＯＦＤＭの多元接続方式に基づくデータ伝送、単一の伝送ポイントでのデータ伝送、又は、複数の伝送ポイントでのデータ伝送のいずれかのスケジューリングのためのＤＣＩフォーマットを含む
ことを特徴とする請求項２１〜２４のいずれか１項に記載のデータ処理方法。
【請求項２６】
前記伝送パラメータが、前記第１のデータの伝送のための伝送モードを含み、
前記伝送モードが第１の伝送モードである場合、前記ネットワークデバイスにより選択された前記ＭＣＳマッピング関係テーブル内の前記複数のＭＣＳが、第１の変調方式を含み、
前記伝送モードが第２の伝送モードである場合、前記ネットワークデバイスにより選択された前記ＭＣＳマッピング関係テーブル内の前記複数のＭＣＳが、前記第１の変調方式を含まない
ことを特徴とする請求項２１〜２５のいずれか１項に記載のデータ処理方法。
【請求項２７】
前記伝送パラメータが前記第１のデータのスケジューリングのためのＤＣＩのＤＣＩフォーマットを含み、
前記ＤＣＩのＤＣＩフォーマットが第１のＤＣＩフォーマットである場合、前記ネットワークデバイスにより選択された前記ＭＣＳマッピング関係テーブル内の前記複数のＭＣＳが、第２の変調方式を含み、
前記ＤＣＩのＤＣＩフォーマットが第２のＤＣＩフォーマットである場合、前記ネットワークデバイスにより選択された前記ＭＣＳマッピング関係テーブル内の前記複数のＭＣＳが、前記第２の変調方式を含まない
ことを特徴とする請求項２１〜２５のいずれか１項に記載のデータ処理方法。
【請求項２８】
前記伝送パラメータが、前記第１のデータの伝送のための伝送モード及び記第１のデータのスケジューリングのためのＤＣＩのＤＣＩフォーマットを含み、
前記伝送モードが第３の伝送モードであり、前記ＤＣＩのＤＣＩフォーマットが第３のＤＣＩフォーマットである場合、前記ネットワークデバイスにより選択された前記ＭＣＳマッピング関係テーブル内の前記複数のＭＣＳが、第３の変調方式を含み、
前記伝送モードが第３の伝送モードではなく、及び／又は、前記ＤＣＩのＤＣＩフォーマットが第３のＤＣＩフォーマットでない場合、前記ネットワークデバイスにより選択された前記ＭＣＳマッピング関係テーブル内の前記複数のＭＣＳが、前記第３の変調方式を含まない
ことを特徴とする請求項２１〜２５のいずれか１項に記載のデータ処理方法。
【請求項２９】
前記伝送パラメータが、前記第１のデータの伝送のための伝送モード及び記第１のデータのスケジューリングのためのＤＣＩのＤＣＩフォーマットを含み、
前記伝送モードが第４の伝送モードであり、前記ＤＣＩのＤＣＩフォーマットが第４のＤＣＩフォーマットである場合、前記ネットワークデバイスにより選択された前記ＭＣＳマッピング関係テーブル内の前記複数のＭＣＳが、第４の変調方式を含まなく、
前記伝送モードが第４の伝送モードではなく、及び／又は、前記ＤＣＩのＤＣＩフォーマットが第４のＤＣＩフォーマットでない場合、前記ネットワークデバイスにより選択された前記ＭＣＳマッピング関係テーブル内の前記複数のＭＣＳが、前記第４の変調方式を含む
ことを特徴とする請求項２１〜２５のいずれか１項に記載のデータ処理方法。
【請求項３０】
前記伝送パラメータが前記第１のデータと上り制御情報ＵＣＩの多重方式を含み、
前記多重方式が、前記第１のデータとＵＣＩが同じ時間領域リソースユニットに多重化されることである場合、又は、前記第１のデータとＵＣＩ周波数分割がＦＤＭの多重化を行う場合、前記ネットワークデバイスにより選択された前記ＭＣＳマッピング関係テーブル内の前記複数のＭＣＳが、第５の変調方式を含まない
ことを特徴とする請求項２１〜２９のいずれか１項に記載のデータ処理方法。
【請求項３１】
前記端末デバイスが異なる伝送パラメータに応じて選択したＭＣＳマッピング関係テーブルが異なり、前記異なるＭＣＳマッピング関係テーブルにおいて前記目標ＭＣＳに対応する符号化率が異なる
ことを特徴とする請求項２１〜３０のいずれか１項に記載のデータ処理方法。
【請求項３２】
前記端末デバイスが異なる伝送パラメータに応じて選択したＭＣＳマッピング関係テーブルが異なり、前記異なるＭＣＳマッピング関係テーブルに含まれるＭＣＳ指示情報の数が異なる
ことを特徴とする請求項２１〜３１のいずれか１項に記載のデータ処理方法。
【請求項３３】
前記ネットワークデバイスが前記目標ＭＣＳに基づいて、前記第１のデータを符号化及び変調し、又は、前記第１のデータを復調及び復号することは、
前記目標ＭＣＳが前記端末デバイスのサポートする最大ＭＣＳを超える場合、前記ネットワークデバイスが前記最大ＭＣＳに基づいて、前記第１のデータを符号化及び変調し、又は、前記第１のデータを復調及び復号することを含む
ことを特徴とする請求項２１〜３２のいずれか１項に記載のデータ処理方法。
【請求項３４】
選択ユニットと、決定ユニットと、データ処理ユニットと、を含む端末デバイスであって、
前記選択ユニットは、第１のデータの伝送に使用される伝送パラメータに基づいて、使用される変調符号化方式ＭＣＳマッピング関係テーブルを選択するように構成され、前記ＭＣＳマッピング関係テーブルには複数のＭＣＳ指示情報と複数のＭＣＳとのマッピング関係が含まれ、前記伝送パラメータが、前記第１のデータの伝送のための伝送モード、前記第１のデータのスケジューリングのための下り制御情報ＤＣＩのＤＣＩフォーマット、前記第１のデータの伝送のためのサブキャリア間隔、前記第１のデータと上り制御情報ＵＣＩの多重方式のうちの少なくとも１つを含み、
前記決定ユニットは、前記ＤＣＩに含まれる目標ＭＣＳ指示情報及び前記選択ユニットにより選択された前記ＭＣＳマッピング関係テーブルに基づいて、前記第１のデータに対してデータ処理を行うための目標ＭＣＳを決定するように構成され、
前記データ処理ユニットは、前記決定ユニットにより決定された前記目標ＭＣＳに基づいて、前記第１のデータを符号化及び変調し、又は、前記第１のデータを復調及び復号するように構成される
ことを特徴とする端末デバイス。
【請求項３５】
前記複数のＭＣＳ指示情報内の各ＭＣＳ指示情報が１つのＭＣＳインデックスを示し、前記複数のＭＣＳ指示情報が示す複数のＭＣＳインデックスが前記複数のＭＣＳに一対一に対応する
ことを特徴とする請求項３４に記載の端末デバイス。
【請求項３６】
前記複数のＭＣＳの各ＭＣＳが変調方式及び符号化率の情報を含む
ことを特徴とする請求項３４又は３５に記載の端末デバイス。
【請求項３７】
前記伝送パラメータが、前記第１のデータの伝送のための伝送モードを含み、前記端末デバイスは、送受信ユニットをさらに含み、
前記送受信ユニットは、
ネットワークデバイスが上位レイヤシグナリングを介して送信した、前記伝送モードを示す指示情報を受信するように構成される
ことを特徴とする請求項３４〜３６のいずれか１項に記載の端末デバイス。
【請求項３８】
前記伝送パラメータが前記第１のデータのスケジューリングのためのＤＣＩのＤＣＩフォーマットを含み、前記決定ユニットは、さらに、
多種のＤＣＩフォーマットに基づいて前記ＤＣＩをブラインド検出して、前記ＤＣＩのＤＣＩフォーマットを決定するように構成される
ことを特徴とする請求項３４〜３７のいずれか１項に記載の端末デバイス。
【請求項３９】
前記第１のデータの伝送のための伝送モードは、
単一アンテナポートに基づく伝送モード、マルチ入力マルチ出力ＭＩＭＯに基づく伝送モード、マルチアンテナポートに基づく伝送モード、単一の伝送ポイントに基づく伝送モード、又は、複数の伝送ポイントに基づく伝送モードのいずれかを含む
ことを特徴とする請求項３４〜３８のいずれか１項に記載の端末デバイス。
【請求項４０】
前記第１のデータのスケジューリングのための前記ＤＣＩのＤＣＩフォーマットは、
単一アンテナポートでのデータ伝送、単一の伝送層のデータ伝送、マルチアンテナポートでのデータ伝送、複数の伝送層のデータ伝送、開ループＭＩＭＯに基づくデータ伝送、閉ループプリコーディングに基づくデータ伝送、フーリエ変換拡張の直交周波数分割多重ＤＦＴ−Ｓ−ＯＦＤＭの多元接続方式に基づくデータ伝送、サイクリックプレフィックス直交周波数分割多重ＣＰ−ＯＦＤＭの多元接続方式に基づくデータ伝送、単一の伝送ポイントでのデータ伝送、又は、複数の伝送ポイントでのデータ伝送のいずれかのスケジューリングのためのＤＣＩフォーマットを含む
ことを特徴とする請求項３４〜３９のいずれか１項に記載の端末デバイス。
【請求項４１】
前記伝送パラメータが、前記第１のデータの伝送のための伝送モードを含み、
前記伝送モードが第１の伝送モードである場合、前記端末デバイスにより選択された前記ＭＣＳマッピング関係テーブル内の前記複数のＭＣＳが、第１の変調方式を含み、
前記伝送モードが第２の伝送モードである場合、前記端末デバイスにより選択された前記ＭＣＳマッピング関係テーブル内の前記複数のＭＣＳが、前記第１の変調方式を含まない
ことを特徴とする請求項３４〜４０のいずれか１項に記載の端末デバイス。
【請求項４２】
前記第１の伝送モードが単一アンテナポートに基づく伝送モードであり、前記第２の伝送モードがマルチアンテナポートに基づく伝送モードであり、前記第１の変調方式がｐｉ／２シフトのバイナリ位相シフトキーイングＢＰＳＫであり、又は、
前記第１の伝送モードがマルチアンテナポートに基づく伝送モードであり、前記第２の伝送モードが単一アンテナポートに基づく伝送モードであり、前記第１の変調方式が変調次数が６４直交振幅変調ＱＡＭよりも高い変調方式であり、又は、
前記第１の伝送モードが単一の伝送ポイントに基づく伝送モードであり、前記第２の伝送モードが複数の伝送ポイントに基づく伝送モードであり、前記第１の変調方式が変調次数が６４ＱＡＭよりも高い変調方式である
ことを特徴とする請求項４１に記載の端末デバイス。
【請求項４３】
前記伝送パラメータが前記第１のデータのスケジューリングのためのＤＣＩのＤＣＩフォーマットを含み、
前記ＤＣＩのＤＣＩフォーマットが第１のＤＣＩフォーマットである場合、前記端末デバイスにより選択された前記ＭＣＳマッピング関係テーブル内の前記複数のＭＣＳが、第２の変調方式を含み、
前記ＤＣＩのＤＣＩフォーマットが第２のＤＣＩフォーマットである場合、前記端末デバイスにより選択された前記ＭＣＳマッピング関係テーブル内の前記複数のＭＣＳが、前記第２の変調方式を含まない
ことを特徴とする請求項３４〜４０のいずれか１項に記載の端末デバイス。
【請求項４４】
前記第１のＤＣＩフォーマットが単一アンテナポートでの単一層データ伝送をスケジューリングするために用いられ、前記第２のＤＣＩフォーマットがマルチアンテナポートでの単一層又は、多層データ伝送をスケジューリングするために用いられ、前記第２の変調方式がｐｉ／２シフトのＢＰＳＫの変調方式であり、又は、
前記第１のＤＣＩフォーマットがＤＦＴ−Ｓ−ＯＦＤＭの多元接続方式に基づくデータ伝送をスケジューリングするために用いられ、前記第２のＤＣＩフォーマットがＣＰ−ＯＦＤＭの多元接続方式に基づくデータ伝送をスケジューリングするために用いられ、前記第２の変調方式がｐｉ／２シフトのＢＰＳＫの変調方式であり、又は、
前記第１のＤＣＩフォーマットがＣＰ−ＯＦＤＭの多元接続方式に基づくデータ伝送をスケジューリングするために用いられ、前記第２のＤＣＩフォーマットがＤＦＴ−Ｓ−ＯＦＤＭの多元接続方式に基づくデータ伝送をスケジューリングするために用いられ、前記第２の変調方式が６４ＱＡＭの変調方式である
ことを特徴とする請求項４３に記載の端末デバイス。
【請求項４５】
前記伝送パラメータが、前記第１のデータの伝送のための伝送モード及び記第１のデータのスケジューリングのためのＤＣＩのＤＣＩフォーマットを含み、
前記伝送モードが第３の伝送モードであり、前記ＤＣＩのＤＣＩフォーマットが第３のＤＣＩフォーマットである場合、前記端末デバイスにより選択された前記ＭＣＳマッピング関係テーブル内の前記複数のＭＣＳが、第３の変調方式を含み、
前記伝送モードが第３の伝送モードではなく、及び／又は、前記ＤＣＩのＤＣＩフォーマットが第３のＤＣＩフォーマットでない場合、前記端末デバイスにより選択された前記ＭＣＳマッピング関係テーブル内の前記複数のＭＣＳが、前記第３の変調方式を含まない
ことを特徴とする請求項３４〜４０のいずれか１項に記載の端末デバイス。
【請求項４６】
前記第３の伝送モードがＭＩＭＯに基づく伝送モードであり、前記第３のＤＣＩフォーマットがマルチアンテナポートでのデータ伝送をスケジューリングするために用いられ、前記第３の変調方式が２５６ＱＡＭの変調方式であり、又は、
前記第３の伝送モードが単一アンテナポートに基づく伝送モードであり、前記第３のＤＣＩフォーマットがＤＦＴ−Ｓ−ＯＦＤＭの多元接続方式に基づくデータ伝送をスケジューリングするために用いられ、前記第３の変調方式がｐｉ／２シフトのＢＰＳＫの変調方式である
ことを特徴とする請求項４５に記載の端末デバイス。
【請求項４７】
前記伝送パラメータが、前記第１のデータの伝送のための伝送モード及び記第１のデータのスケジューリングのためのＤＣＩのＤＣＩフォーマットを含み、
前記伝送モードが第４の伝送モードであり、前記ＤＣＩのＤＣＩフォーマットが第４のＤＣＩフォーマットである場合、前記端末デバイスにより選択された前記ＭＣＳマッピング関係テーブル内の前記複数のＭＣＳが、第４の変調方式を含まなく、
前記伝送モードが第４の伝送モードではなく、及び／又は、前記ＤＣＩのＤＣＩフォーマットが第４のＤＣＩフォーマットでない場合、前記端末デバイスにより選択された前記ＭＣＳマッピング関係テーブル内の前記複数のＭＣＳが、前記第４の変調方式を含む
ことを特徴とする請求項３４〜４０のいずれか１項に記載の端末デバイス。
【請求項４８】
前記第４の伝送モードが単一アンテナポートに基づく伝送モードであり、前記第４のＤＣＩフォーマットがＤＦＴ−Ｓ−ＯＦＤＭの多元接続方式に基づくデータ伝送をスケジューリングするために用いられ、前記第４の変調方式が２５６ＱＡＭの変調方式であり、又は、
前記第４の伝送モードがＭＩＭＯに基づく伝送モードであり、前記第４のＤＣＩフォーマットがＣＰ−ＯＦＤＭの多元接続方式に基づくデータ伝送をスケジューリングするために用いられ、前記第４の変調方式がｐｉ／２シフトのＢＰＳＫの変調方式である
ことを特徴とする請求項４７に記載の端末デバイス。
【請求項４９】
前記伝送パラメータが前記第１のデータと上り制御情報ＵＣＩの多重方式を含み、
前記多重方式が、前記第１のデータとＵＣＩが同じ時間領域リソースユニットに多重化されることである場合、又は、前記第１のデータとＵＣＩ周波数分割がＦＤＭの多重化を行う場合、前記端末デバイスにより選択された前記ＭＣＳマッピング関係テーブル内の前記複数のＭＣＳが、第５の変調方式を含まない
ことを特徴とする請求項３４〜４８のいずれか１項に記載の端末デバイス。
【請求項５０】
前記第５の変調方式は、
ｐｉ／２シフトのＢＰＳＫ、６４ＱＡＭ、２５６ＱＡＭ又は、１０２４ＱＡＭのいずれかを含む
ことを特徴とする請求項４９に記載の端末デバイス。
【請求項５１】
前記端末デバイスが異なる伝送パラメータに応じて選択したＭＣＳマッピング関係テーブルが異なり、前記異なるマッピング関係テーブルにおいて前記目標ＭＣＳ指示情報に対応する符号化率が異なる
ことを特徴とする請求項３６〜５０のいずれか１項に記載の端末デバイス。
【請求項５２】
前記端末デバイスが異なる伝送パラメータに応じて選択したＭＣＳマッピング関係テーブルが異なり、前記異なるＭＣＳマッピング関係テーブルに含まれるＭＣＳ指示情報の数が異なる
ことを特徴とする請求項３６〜５１のいずれか１項に記載の端末デバイス。
【請求項５３】
前記データ処理ユニットは、
前記目標ＭＣＳが前記端末デバイスのサポートする最大ＭＣＳを超える場合、前記端末デバイスが前記最大ＭＣＳに基づいて、前記第１のデータを符号化及び変調し、又は、前記第１のデータを復調及び復号するように構成される
ことを特徴とする請求項３４〜５２のいずれか１項に記載の端末デバイス。
【請求項５４】
選択ユニットと、決定ユニットと、送受信ユニットと、データ処理ユニットとを含むネットワークデバイスであって、
前記選択ユニットは、第１のデータの伝送に使用される伝送パラメータに基づいて、使用される変調符号化方式ＭＣＳマッピング関係テーブルを選択するように構成され、前記ＭＣＳマッピング関係テーブルには複数のＭＣＳ指示情報と複数のＭＣＳとのマッピング関係が含まれ、前記伝送パラメータが、前記第１のデータの伝送のための伝送モード、前記第１のデータのスケジューリングのための下り制御情報ＤＣＩのＤＣＩフォーマット、前記第１のデータの伝送のためのサブキャリア間隔、前記第１のデータと上り制御情報ＵＣＩの多重方式のうちの少なくとも１つを含み、
前記決定ユニットは、前記選択ユニットにより選択された前記ＭＣＳマッピング関係テーブル及び前記第１のデータに対してデータ処理を行うための目標ＭＣＳに基づいて、前記ＤＣＩに含まれる目標ＭＣＳ指示情報を決定するように構成され、
前記送受信ユニットは、前記決定ユニットにより決定された前記目標ＭＣＳ指示情報が含まれる前記ＤＣＩを端末デバイスに送信するように構成され、
前記データ処理ユニットは、前記決定ユニットにより決定された前記目標ＭＣＳに基づいて、前記第１のデータを符号化及び変調し、又は、前記第１のデータを復調及び復号するように構成される
ことを特徴とするネットワークデバイス。
【請求項５５】
前記複数のＭＣＳ指示情報内の各ＭＣＳ指示情報が１つのＭＣＳインデックスを示し、前記複数のＭＣＳ指示情報が示す複数のＭＣＳインデックスが前記複数のＭＣＳに一対一に対応する
ことを特徴とする請求項５４に記載のネットワークデバイス。
【請求項５６】
前記複数のＭＣＳの各ＭＣＳが変調方式及び符号化率の情報を含む
ことを特徴とする請求項５４又は５５に記載のネットワークデバイス。
【請求項５７】
前記第１のデータの伝送のための伝送モードは、
単一アンテナポートに基づく伝送モード、マルチ入力マルチ出力ＭＩＭＯに基づく伝送モード、マルチアンテナポートに基づく伝送モード、単一の伝送ポイントに基づく伝送モード、又は、複数の伝送ポイントに基づく伝送モードのいずれかを含む
ことを特徴とする請求項５４〜５６のいずれか１項に記載のネットワークデバイス。
【請求項５８】
前記第１のデータのスケジューリングのための前記ＤＣＩのＤＣＩフォーマットは、
単一アンテナポートでのデータ伝送、単一の伝送層のデータ伝送、マルチアンテナポートでのデータ伝送、複数の伝送層のデータ伝送、開ループＭＩＭＯに基づくデータ伝送、閉ループプリコーディングに基づくデータ伝送、フーリエ変換拡張の直交周波数分割多重ＤＦＴ−Ｓ−ＯＦＤＭの多元接続方式に基づくデータ伝送、サイクリックプレフィックス直交周波数分割多重ＣＰ−ＯＦＤＭの多元接続方式に基づくデータ伝送、単一の伝送ポイントでのデータ伝送、又は、複数の伝送ポイントでのデータ伝送のいずれかのスケジューリングのためのＤＣＩフォーマットを含む
ことを特徴とする請求項５４〜５７のいずれか１項に記載のネットワークデバイス。
【請求項５９】
前記伝送パラメータが、前記第１のデータの伝送のための伝送モードを含み、
前記伝送モードが第１の伝送モードである場合、前記ネットワークデバイスにより選択された前記ＭＣＳマッピング関係テーブル内の前記複数のＭＣＳが、第１の変調方式を含み、
前記伝送モードが第２の伝送モードである場合、前記ネットワークデバイスにより選択された前記ＭＣＳマッピング関係テーブル内の前記複数のＭＣＳが、前記第１の変調方式を含まない
ことを特徴とする請求項５４〜５８のいずれか１項に記載のネットワークデバイス。
【請求項６０】
前記伝送パラメータが前記第１のデータのスケジューリングのためのＤＣＩのＤＣＩフォーマットを含み、
前記ＤＣＩのＤＣＩフォーマットが第１のＤＣＩフォーマットである場合、前記ネットワークデバイスにより選択された前記ＭＣＳマッピング関係テーブル内の前記複数のＭＣＳが、第２の変調方式を含み、
前記ＤＣＩのＤＣＩフォーマットが第２のＤＣＩフォーマットである場合、前記ネットワークデバイスにより選択された前記ＭＣＳマッピング関係テーブル内の前記複数のＭＣＳが、前記第２の変調方式を含まない
ことを特徴とする請求項５４〜５８のいずれか１項に記載のネットワークデバイス。
【請求項６１】
前記伝送パラメータが、前記第１のデータの伝送のための伝送モード及び記第１のデータのスケジューリングのためのＤＣＩのＤＣＩフォーマットを含み、
前記伝送モードが第３の伝送モードであり、前記ＤＣＩのＤＣＩフォーマットが第３のＤＣＩフォーマットである場合、前記ネットワークデバイスにより選択された前記ＭＣＳマッピング関係テーブル内の前記複数のＭＣＳが、第３の変調方式を含み、
前記伝送モードが第３の伝送モードではなく、及び／又は、前記ＤＣＩのＤＣＩフォーマットが第３のＤＣＩフォーマットでない場合、前記ネットワークデバイスにより選択された前記ＭＣＳマッピング関係テーブル内の前記複数のＭＣＳが、前記第３の変調方式を含まない
ことを特徴とする請求項５４〜５８のいずれか１項に記載のネットワークデバイス。
【請求項６２】
前記伝送パラメータが、前記第１のデータの伝送のための伝送モード及び記第１のデータのスケジューリングのためのＤＣＩのＤＣＩフォーマットを含み、
前記伝送モードが第４の伝送モードであり、前記ＤＣＩのＤＣＩフォーマットが第４のＤＣＩフォーマットである場合、前記ネットワークデバイスにより選択された前記ＭＣＳマッピング関係テーブル内の前記複数のＭＣＳが、第４の変調方式を含まない
前記伝送モードが第４の伝送モードではなく、及び／又は、前記ＤＣＩのＤＣＩフォーマットが第４のＤＣＩフォーマットでない場合、前記ネットワークデバイスにより選択された前記ＭＣＳマッピング関係テーブル内の前記複数のＭＣＳが、前記第４の変調方式を含む
ことを特徴とする請求項５４〜５８のいずれか１項に記載のネットワークデバイス。
【請求項６３】
前記伝送パラメータが前記第１のデータと上り制御情報ＵＣＩの多重方式を含み、
前記多重方式が、前記第１のデータとＵＣＩが同じ時間領域リソースユニットに多重化されることである場合、又は、前記第１のデータとＵＣＩ周波数分割がＦＤＭの多重化を行う場合、前記ネットワークデバイスにより選択された前記ＭＣＳマッピング関係テーブル内の前記複数のＭＣＳが、第５の変調方式を含まない
ことを特徴とする請求項５４〜６２のいずれか１項に記載のネットワークデバイス。
【請求項６４】
前記端末デバイスが異なる伝送パラメータに応じて選択したＭＣＳマッピング関係テーブルが異なり、前記異なるＭＣＳマッピング関係テーブルにおいて前記目標ＭＣＳに対応する符号化率が異なる
ことを特徴とする請求項５４〜６３のいずれか１項に記載のネットワークデバイス。
【請求項６５】
前記端末デバイスが異なる伝送パラメータに応じて選択したＭＣＳマッピング関係テーブルが異なり、前記異なるＭＣＳマッピング関係テーブルに含まれるＭＣＳ指示情報の数が異なる
ことを特徴とする請求項５４〜６４のいずれか１項に記載のネットワークデバイス。
【請求項６６】
前記データ処理ユニットは、
前記目標ＭＣＳが前記端末デバイスのサポートする最大ＭＣＳを超える場合、前記ネットワークデバイスが前記最大ＭＣＳに基づいて、前記第１のデータを符号化及び変調し、又は、前記第１のデータを復調及び復号するように構成される
ことを特徴とする請求項５４〜６５のいずれか１項に記載のネットワークデバイス。
【発明の詳細な説明】
【技術分野】
【０００１】
本願の実施例は、無線通信分野に関し、具体的に、データ処理方法、端末デバイス及びネットワークデバイスに関する。
【背景技術】
【０００２】
５Ｇ新しい無線( Ｎｅｗ Ｒａｄｉｏ、ＮＲ )システムでは、ｐｉ/２シフトのバイナリ位相シフトキーイング( Ｂｉｎａｒｙ Ｐｈａｓｅ Ｓｈｉｆｔ Ｋｅｙｉｎｇ、ＢＰＳＫ )および２５６直交振幅変調( Ｑｕａｄｒａｔｕｒｅ Ａｍｐｌｉｔｕｄｅ Ｍｏｄｕｌａｔｉｏｎ、ＱＡＭ )の２つの新しい変調方式が導入され、又は、これから１０２４ＱＡＭのような他のより高次の変調方式も、後続の進化においてサポートされる。
【０００３】
ここで、ｐｉ／２シフトのＢＰＳＫは、信号対ノイズ比が極めて低いシーンで使用され、この場合、端末はフーリエ変換拡散による直交周波数分割多重( Ｄｉｓｃｒｅｔｅ Ｆｏｕｒｉｅｒ Ｔｒａｎｓｆｏｒｍ Ｓｐｒｅａｄ Ｏｒｔｈｏｇｏｎａｌ Ｆｒｅｑｕｅｎｃｙ Ｄｉｖｉｓｉｏｎ Ｍｕｌｔｉｐｌｅｘｉｎｇ、ＤＦＴ−ｓ−ＯＦＤＭ )の多元接続方式を採用できる。２５６ＱＡＭは主に信号対ノイズ比の高いシーンで使用され、この場合、端末はサイクリックプレフィックス直交周波数分割多重( Ｃｙｃｌｉｃ Ｐｒｅｆｉｘ Ｏｒｔｈｏｇｏｎａｌ Ｆｒｅｑｕｅｎｃｙ Ｄｉｖｉｓｉｏｎ Ｍｕｌｔｉｐｌｅｘｉｎｇ、ＣＰ−ＯＦＤＭ )の多元接続方式を採用できる。これらの変調方式は適用場面が異なるため、変調符号化方式の選択が解決すべきの課題となっている。
【発明の概要】
【０００４】
本願の実施例は、異なる伝送シーンで用いられる変調符号化方式を効率的に決定することができるデータ処理方法、端末デバイス及びネットワークデバイスを提供する。
【０００５】
第１の態様は、データ処理方法を提供し、端末デバイスが第１のデータの伝送に使用される伝送パラメータに基づいて、使用される変調符号化方式ＭＣＳマッピング関係テーブルを選択することと、前記端末デバイスが前記ＤＣＩに含まれる目標ＭＣＳ指示情報、及び前記ＭＣＳマッピング関係テーブルに基づいて、前記第１のデータに対してデータ処理を行うための目標ＭＣＳを決定することと、前記端末デバイスが前記目標ＭＣＳに基づいて、前記第１のデータを符号化及び変調し、又は、前記第１のデータを復調及び復号することとを含み、前記ＭＣＳマッピング関係テーブルには複数のＭＣＳ指示情報と複数のＭＣＳとのマッピング関係が含まれ、前記伝送パラメータが、前記第１のデータの伝送のための伝送モード、前記第１のデータのスケジューリングのための下り制御情報ＤＣＩのＤＣＩフォーマット、前記第１のデータの伝送のためのサブキャリア間隔、前記第１のデータと上り制御情報ＵＣＩの多重方式のうちの少なくとも１つを含む。
【０００６】
これにより、端末デバイスは、データ伝送の伝送モード、ＤＣＩフォーマット、サブキャリア間隔、ＵＣＩとの多重化方式などの伝送パラメータに応じて、現在の伝送シーンに適したＭＣＳマッピング関係テーブルを選択し、ＤＣＩに含まれるＭＣＳ指示情報と、選択されたＭＣＳマッピング関係テーブルとに応じて、現在の伝送シーンで用いられているＭＣＳを効率的に決定することができる。
【０００７】
一実現可能な方式において、前記複数のＭＣＳ指示情報内の各ＭＣＳ指示情報が１つのＭＣＳインデックスを示し、前記複数のＭＣＳ指示情報が示す複数のＭＣＳインデックスが前記複数のＭＣＳに一対一に対応する。
【０００８】
一実現可能な方式において、前記複数のＭＣＳの各ＭＣＳが変調方式及び符号化率の情報を含む。
【０００９】
一実現可能な方式において、前記伝送パラメータが、前記第１のデータの伝送のための伝送モードを含み、前記端末デバイスが第１のデータの伝送に使用される伝送パラメータに基づいて、使用されるＭＣＳマッピング関係テーブルを選択する前に、前記方法は、さらに、前記端末デバイスが、ネットワークデバイスにより上位レイヤシグナリングを介して送信した、前記伝送モードを示す指示情報を受信することを含む。
【００１０】
一実現可能な方式において、前記伝送パラメータが前記第１のデータのスケジューリングのためのＤＣＩのＤＣＩフォーマットを含み、前記端末デバイスが第１のデータの伝送に使用される伝送パラメータに基づいて、使用されるＭＣＳマッピング関係テーブルを選択する前に、前記方法は、さらに、前記端末デバイスが多種のＤＣＩフォーマットに基づいて、前記ＤＣＩをブラインド検出して、前記ＤＣＩのＤＣＩフォーマットを決定することを含む。
【００１１】
一実現可能な方式において、前記第１のデータの伝送のための伝送モードは、単一アンテナポートに基づく伝送モード、マルチ入力マルチ出力ＭＩＭＯに基づく伝送モード、マルチアンテナポートに基づく伝送モード、単一の伝送ポイントに基づく伝送モード、又は、複数の伝送ポイントに基づく伝送モードのいずれかを含む。
【００１２】
一実現可能な方式において、前記第１のデータのスケジューリングのための前記ＤＣＩのＤＣＩフォーマットは、単一アンテナポートでのデータ伝送、単一の伝送層のデータ伝送、マルチアンテナポートでのデータ伝送、複数の伝送層のデータ伝送、開ループＭＩＭＯに基づくデータ伝送、閉ループプリコーディングに基づくデータ伝送、フーリエ変換拡張の直交周波数分割多重ＤＦＴ−Ｓ−ＯＦＤＭの多元接続方式に基づくデータ伝送、サイクリックプレフィックス直交周波数分割多重ＣＰ−ＯＦＤＭの多元接続方式に基づくデータ伝送、単一の伝送ポイントでのデータ伝送、又は、複数の伝送ポイントでのデータ伝送のいずれかのスケジューリングのためのＤＣＩフォーマットを含む。
【００１３】
一実現可能な方式において、前記伝送パラメータが、前記第１のデータの伝送のための伝送モードを含み、
前記伝送モードが第１の伝送モードである場合、前記端末デバイスにより選択された前記ＭＣＳマッピング関係テーブル内の前記複数のＭＣＳが、第１の変調方式を含み、前記伝送モードが第２の伝送モードである場合、前記端末デバイスにより選択された前記ＭＣＳマッピング関係テーブル内の前記複数のＭＣＳが、前記第１の変調方式を含まない。
【００１４】
一実現可能な方式において、前記第１の伝送モードが単一アンテナポートに基づく伝送モードであり、前記第２の伝送モードがマルチアンテナポートに基づく伝送モードであり、前記第１の変調方式がｐｉ／２シフトのバイナリ位相シフトキーイングＢＰＳＫであり、又は、前記第１の伝送モードがマルチアンテナポートに基づく伝送モードであり、前記第２の伝送モードが単一アンテナポートに基づく伝送モードであり、前記第１の変調方式が変調次数が６４直交振幅変調ＱＡＭよりも高い変調方式であり、又は、前記第１の伝送モードが単一の伝送ポイントに基づく伝送モードであり、前記第２の伝送モードが複数の伝送ポイントに基づく伝送モードであり、前記第１の変調方式が変調次数が６４ＱＡＭよりも高い変調方式である。
【００１５】
一実現可能な方式において、前記伝送パラメータが前記第１のデータのスケジューリングのためのＤＣＩのＤＣＩフォーマットを含み、
前記ＤＣＩのＤＣＩフォーマットが第１のＤＣＩフォーマットである場合、前記端末デバイスにより選択された前記ＭＣＳマッピング関係テーブル内の前記複数のＭＣＳが、第２の変調方式を含み、前記ＤＣＩのＤＣＩフォーマットが第２のＤＣＩフォーマットである場合、前記端末デバイスにより選択された前記ＭＣＳマッピング関係テーブル内の前記複数のＭＣＳが、前記第２の変調方式を含まない。
【００１６】
一実現可能な方式において、前記第１のＤＣＩフォーマットが単一アンテナポートでの単一層データ伝送をスケジューリングするために用いられ、前記第２のＤＣＩフォーマットがマルチアンテナポートでの単一層又は、多層データ伝送をスケジューリングするために用いられ、前記第２の変調方式がｐｉ／２シフトのＢＰＳＫの変調方式であり、又は、前記第１のＤＣＩフォーマットがＤＦＴ−Ｓ−ＯＦＤＭの多元接続方式に基づくデータ伝送をスケジューリングするために用いられ、前記第２のＤＣＩフォーマットがＣＰ−ＯＦＤＭの多元接続方式に基づくデータ伝送をスケジューリングするために用いられ、前記第２の変調方式がｐｉ／２シフトのＢＰＳＫの変調方式であり、又は、前記第１のＤＣＩフォーマットがＣＰ−ＯＦＤＭの多元接続方式に基づくデータ伝送をスケジューリングするために用いられ、前記第２のＤＣＩフォーマットがＤＦＴ−Ｓ−ＯＦＤＭの多元接続方式に基づくデータ伝送をスケジューリングするために用いられ、前記第２の変調方式が６４ＱＡＭの変調方式である。
【００１７】
一実現可能な方式において、前記伝送パラメータが、前記第１のデータの伝送のための伝送モード及び記第１のデータのスケジューリングのためのＤＣＩのＤＣＩフォーマットを含み、
前記伝送モードが第３の伝送モードであり、前記ＤＣＩのＤＣＩフォーマットが第３のＤＣＩフォーマットである場合、前記端末デバイスにより選択された前記ＭＣＳマッピング関係テーブル内の前記複数のＭＣＳが、第３の変調方式を含み、前記伝送モードが第３の伝送モードではなく、及び／又は、前記ＤＣＩのＤＣＩフォーマットが第３のＤＣＩフォーマットでない場合、前記端末デバイスにより選択された前記ＭＣＳマッピング関係テーブル内の前記複数のＭＣＳが、前記第３の変調方式を含まない。
【００１８】
一実現可能な方式において、前記第３の伝送モードがＭＩＭＯに基づく伝送モードであり、前記第３のＤＣＩフォーマットがマルチアンテナポートでのデータ伝送をスケジューリングするために用いられ、前記第３の変調方式が２５６ＱＡＭの変調方式であり、又は、
前記第３の伝送モードが単一アンテナポートに基づく伝送モードであり、前記第３のＤＣＩフォーマットがＤＦＴ−Ｓ−ＯＦＤＭの多元接続方式に基づくデータ伝送をスケジューリングするために用いられ、前記第３の変調方式がｐｉ／２シフトのＢＰＳＫの変調方式である。
【００１９】
一実現可能な方式において、前記伝送パラメータが、前記第１のデータの伝送のための伝送モード及び記第１のデータのスケジューリングのためのＤＣＩのＤＣＩフォーマットを含み、
前記伝送モードが第４の伝送モードであり、前記ＤＣＩのＤＣＩフォーマットが第４のＤＣＩフォーマットである場合、前記端末デバイスにより選択された前記ＭＣＳマッピング関係テーブル内の前記複数のＭＣＳが、第４の変調方式を含まなく、前記伝送モードが第４の伝送モードではなく、及び／又は、前記ＤＣＩのＤＣＩフォーマットが第４のＤＣＩフォーマットでない場合、前記端末デバイスにより選択された前記ＭＣＳマッピング関係テーブル内の前記複数のＭＣＳが、前記第４の変調方式を含む。
【００２０】
一実現可能な方式において、前記第４の伝送モードが単一アンテナポートに基づく伝送モードであり、前記第４のＤＣＩフォーマットがＤＦＴ−Ｓ−ＯＦＤＭの多元接続方式に基づくデータ伝送をスケジューリングするために用いられ、前記第４の変調方式が２５６ＱＡＭの変調方式であり、又は、前記第４の伝送モードがＭＩＭＯに基づく伝送モードであり、前記第４のＤＣＩフォーマットがＣＰ−ＯＦＤＭの多元接続方式に基づくデータ伝送をスケジューリングするために用いられ、前記第４の変調方式がｐｉ／２シフトのＢＰＳＫの変調方式である。
【００２１】
一実現可能な方式において、前記伝送パラメータが前記第１のデータと上り制御情報ＵＣＩの多重方式を含み、
前記多重方式が、前記第１のデータとＵＣＩが同じ時間領域リソースユニットに多重化されることである場合、又は、前記第１のデータとＵＣＩ周波数分割がＦＤＭの多重化を行う場合、前記端末デバイスにより選択された前記ＭＣＳマッピング関係テーブル内の前記複数のＭＣＳが、第５の変調方式を含まない。
【００２２】
一実現可能な方式において、前記第５の変調方式は、ｐｉ／２シフトのＢＰＳＫ、６４ＱＡＭ、２５６ＱＡＭ又は、１０２４ＱＡＭのいずれかを含む。
【００２３】
一実現可能な方式において、前記端末デバイスが異なる伝送パラメータに応じて選択したＭＣＳマッピング関係テーブルが異なり、前記異なるマッピング関係テーブルにおいて前記目標ＭＣＳ指示情報に対応する符号化率が異なる。
【００２４】
一実現可能な方式において、前記端末デバイスが異なる伝送パラメータに応じて選択したＭＣＳマッピング関係テーブルが異なり、前記異なるＭＣＳマッピング関係テーブルに含まれるＭＣＳ指示情報の数が異なる。
【００２５】
一実現可能な方式において、前記端末デバイスが前記目標ＭＣＳに基づいて、前記第１のデータを符号化及び変調し、又は、前記第１のデータを復調及び復号することは、前記目標ＭＣＳが前記端末デバイスのサポートする最大ＭＣＳを超える場合、前記端末デバイスが前記最大ＭＣＳに基づいて、前記第１のデータを符号化及び変調し、又は、前記第１のデータを復調及び復号することを含む。
【００２６】
第２の態様は、データ処理方法を提供し、ネットワークデバイスが第１のデータの伝送に使用される伝送パラメータに基づいて、使用される変調符号化方式ＭＣＳマッピング関係テーブルを選択することと、前記ネットワークデバイスが前記ＭＣＳマッピング関係テーブル及び前記第１のデータに対してデータ処理を行うための目標ＭＣＳに基づいて、前記ＤＣＩに含まれる目標ＭＣＳ指示情報を決定することと、前記ネットワークデバイスが前記目標ＭＣＳ指示情報が含まれる前記ＤＣＩを端末デバイスに送信することと、前記ネットワークデバイスが前記目標ＭＣＳに基づいて、前記第１のデータを符号化及び変調し、又は、前記第１のデータを復調及び復号することとを含み、前記ＭＣＳマッピング関係テーブルには複数のＭＣＳ指示情報と複数のＭＣＳとのマッピング関係が含まれ、前記伝送パラメータが、前記第１のデータの伝送のための伝送モード、前記第１のデータのスケジューリングのための下り制御情報ＤＣＩのＤＣＩフォーマット、前記第１のデータの伝送のためのサブキャリア間隔、前記第１のデータと上り制御情報ＵＣＩの多重方式のうちの少なくとも１つを含む。
【００２７】
これにより、ネットワークデバイスは、データ伝送の伝送モード、ＤＣＩフォーマット、サブキャリア間隔、ＵＣＩとの多重化方式などの伝送パラメータに応じて、現在の伝送シーンに適したＭＣＳマッピング関係テーブルを選択し、第１データのデータ処理の目標ＭＣＳと、選択したＭＣＳマッピング関係テーブルとに応じて、送信されるＭＣＳ指示情報を決定することができ、端末デバイスは、当該ＭＣＳ指示情報に応じて、現在の伝送シーンで使用しているＭＣＳを効率的に決定することができる。
【００２８】
一実現可能な方式において、前記複数のＭＣＳ指示情報内の各ＭＣＳ指示情報が１つのＭＣＳインデックスを示し、前記複数のＭＣＳ指示情報が示す複数のＭＣＳインデックスが前記複数のＭＣＳに一対一に対応する。
【００２９】
一実現可能な方式において、前記複数のＭＣＳの各ＭＣＳが変調方式及び符号化率の情報を含む。
【００３０】
一実現可能な方式において、前記第１のデータの伝送のための伝送モードは、単一アンテナポートに基づく伝送モード、マルチ入力マルチ出力ＭＩＭＯに基づく伝送モード、マルチアンテナポートに基づく伝送モード、単一の伝送ポイントに基づく伝送モード、又は、複数の伝送ポイントに基づく伝送モードのいずれかを含む。
【００３１】
一実現可能な方式において、前記第１のデータのスケジューリングのための前記ＤＣＩのＤＣＩフォーマットは、単一アンテナポートでのデータ伝送、単一の伝送層のデータ伝送、マルチアンテナポートでのデータ伝送、複数の伝送層のデータ伝送、開ループＭＩＭＯに基づくデータ伝送、閉ループプリコーディングに基づくデータ伝送、フーリエ変換拡張の直交周波数分割多重ＤＦＴ−Ｓ−ＯＦＤＭの多元接続方式に基づくデータ伝送、サイクリックプレフィックス直交周波数分割多重ＣＰ−ＯＦＤＭの多元接続方式に基づくデータ伝送、単一の伝送ポイントでのデータ伝送、又は、複数の伝送ポイントでのデータ伝送のいずれかのスケジューリングのためのＤＣＩフォーマットを含む。
【００３２】
一実現可能な方式において、前記伝送パラメータが、前記第１のデータの伝送のための伝送モードを含み、
前記伝送モードが第１の伝送モードである場合、前記ネットワークデバイスにより選択された前記ＭＣＳマッピング関係テーブル内の前記複数のＭＣＳが、第１の変調方式を含み、前記伝送モードが第２の伝送モードである場合、前記ネットワークデバイスにより選択された前記ＭＣＳマッピング関係テーブル内の前記複数のＭＣＳが、前記第１の変調方式を含まない。
【００３３】
一実現可能な方式において、前記第１の伝送モードが単一アンテナポートに基づく伝送モードであり、前記第２の伝送モードがマルチアンテナポートに基づく伝送モードであり、前記第１の変調方式がｐｉ／２シフトのバイナリ位相シフトキーイングＢＰＳＫであり、又は、前記第１の伝送モードがマルチアンテナポートに基づく伝送モードであり、前記第２の伝送モードが単一アンテナポートに基づく伝送モードであり、前記第１の変調方式が変調次数が６４直交振幅変調ＱＡＭよりも高い変調方式であり、又は、前記第１の伝送モードが単一の伝送ポイントに基づく伝送モードであり、前記第２の伝送モードが複数の伝送ポイントに基づく伝送モードであり、前記第１の変調方式が変調次数が６４ＱＡＭよりも高い変調方式である。
【００３４】
一実現可能な方式において、前記伝送パラメータが前記第１のデータのスケジューリングのためのＤＣＩのＤＣＩフォーマットを含み、
前記ＤＣＩのＤＣＩフォーマットが第１のＤＣＩフォーマットである場合、前記ネットワークデバイスにより選択された前記ＭＣＳマッピング関係テーブル内の前記複数のＭＣＳが、第２の変調方式を含み、前記ＤＣＩのＤＣＩフォーマットが第２のＤＣＩフォーマットである場合、前記ネットワークデバイスにより選択された前記ＭＣＳマッピング関係テーブル内の前記複数のＭＣＳが、前記第２の変調方式を含まない。
【００３５】
一実現可能な方式において、前記第１のＤＣＩフォーマットが単一アンテナポートでの単一層データ伝送をスケジューリングするために用いられ、前記第２のＤＣＩフォーマットがマルチアンテナポートでの単一層又は、多層データ伝送をスケジューリングするために用いられ、前記第２の変調方式がｐｉ／２シフトのＢＰＳＫの変調方式であり、又は、前記第１のＤＣＩフォーマットがＤＦＴ−Ｓ−ＯＦＤＭの多元接続方式に基づくデータ伝送をスケジューリングするために用いられ、前記第２のＤＣＩフォーマットがＣＰ−ＯＦＤＭの多元接続方式に基づくデータ伝送をスケジューリングするために用いられ、前記第２の変調方式がｐｉ／２シフトのＢＰＳＫの変調方式であり、又は、前記第１のＤＣＩフォーマットがＣＰ−ＯＦＤＭの多元接続方式に基づくデータ伝送をスケジューリングするために用いられ、前記第２のＤＣＩフォーマットがＤＦＴ−Ｓ−ＯＦＤＭの多元接続方式に基づくデータ伝送をスケジューリングするために用いられ、前記第２の変調方式が６４ＱＡＭの変調方式である。
【００３６】
一実現可能な方式において、前記伝送パラメータが、前記第１のデータの伝送のための伝送モード及び記第１のデータのスケジューリングのためのＤＣＩのＤＣＩフォーマットを含み、
前記伝送モードが第３の伝送モードであり、前記ＤＣＩのＤＣＩフォーマットが第３のＤＣＩフォーマットである場合、前記ネットワークデバイスにより選択された前記ＭＣＳマッピング関係テーブル内の前記複数のＭＣＳが、第３の変調方式を含み、前記伝送モードが第３の伝送モードではなく、及び／又は、前記ＤＣＩのＤＣＩフォーマットが第３のＤＣＩフォーマットでない場合、前記ネットワークデバイスにより選択された前記ＭＣＳマッピング関係テーブル内の前記複数のＭＣＳが、前記第３の変調方式を含まない。
【００３７】
一実現可能な方式において、前記第３の伝送モードがＭＩＭＯに基づく伝送モードであり、前記第３のＤＣＩフォーマットがマルチアンテナポートでのデータ伝送をスケジューリングするために用いられ、前記第３の変調方式が２５６ＱＡＭの変調方式であり、又は、前記第３の伝送モードが単一アンテナポートに基づく伝送モードであり、前記第３のＤＣＩフォーマットがＤＦＴ−Ｓ−ＯＦＤＭの多元接続方式に基づくデータ伝送をスケジューリングするために用いられ、前記第３の変調方式がｐｉ／２シフトのＢＰＳＫの変調方式である。
【００３８】
一実現可能な方式において、前記伝送パラメータが、前記第１のデータの伝送のための伝送モード及び記第１のデータのスケジューリングのためのＤＣＩのＤＣＩフォーマットを含み、
前記伝送モードが第４の伝送モードであり、前記ＤＣＩのＤＣＩフォーマットが第４のＤＣＩフォーマットである場合、前記ネットワークデバイスにより選択された前記ＭＣＳマッピング関係テーブル内の前記複数のＭＣＳが、第４の変調方式を含まなく、前記伝送モードが第４の伝送モードではなく、及び／又は、前記ＤＣＩのＤＣＩフォーマットが第４のＤＣＩフォーマットでない場合、前記ネットワークデバイスにより選択された前記ＭＣＳマッピング関係テーブル内の前記複数のＭＣＳが、前記第４の変調方式を含む。
【００３９】
一実現可能な方式において、前記第４の伝送モードが単一アンテナポートに基づく伝送モードであり、前記第４のＤＣＩフォーマットがＤＦＴ−Ｓ−ＯＦＤＭの多元接続方式に基づくデータ伝送をスケジューリングするために用いられ、前記第４の変調方式が２５６ＱＡＭの変調方式であり、又は、前記第４の伝送モードがＭＩＭＯに基づく伝送モードであり、前記第４のＤＣＩフォーマットがＣＰ−ＯＦＤＭの多元接続方式に基づくデータ伝送をスケジューリングするために用いられ、前記第４の変調方式がｐｉ／２シフトのＢＰＳＫの変調方式である。
【００４０】
一実現可能な方式において、前記伝送パラメータが前記第１のデータと上り制御情報ＵＣＩの多重方式を含み、前記多重方式が、前記第１のデータとＵＣＩが同じ時間領域リソースユニットに多重化されることである場合、又は、前記第１のデータとＵＣＩ周波数分割がＦＤＭの多重化を行う場合、前記ネットワークデバイスにより選択された前記ＭＣＳマッピング関係テーブル内の前記複数のＭＣＳが、第５の変調方式を含まない。
【００４１】
一実現可能な方式において、前記第５の変調方式は、ｐｉ／２シフトのＢＰＳＫ、６４ＱＡＭ、２５６ＱＡＭ又は、１０２４ＱＡＭのいずれかを含む。
【００４２】
一実現可能な方式において、前記端末デバイスが異なる伝送パラメータに応じて選択したＭＣＳマッピング関係テーブルが異なり、前記異なるＭＣＳマッピング関係テーブルにおいて前記目標ＭＣＳに対応する符号化率が異なる。
【００４３】
一実現可能な方式において、前記端末デバイスが異なる伝送パラメータに応じて選択したＭＣＳマッピング関係テーブルが異なり、前記異なるＭＣＳマッピング関係テーブルに含まれるＭＣＳ指示情報の数が異なる。
【００４４】
一実現可能な方式において、前記ネットワークデバイスが前記目標ＭＣＳに基づいて、前記第１のデータを符号化及び変調し、又は、前記第１のデータを復調及び復号することは、前記目標ＭＣＳが前記端末デバイスのサポートする最大ＭＣＳを超える場合、前記ネットワークデバイスが前記最大ＭＣＳに基づいて、前記第１のデータを符号化及び変調し、又は、前記第１のデータを復調及び復号することを含む。
【００４５】
第３の態様は、上記第１の態様又は第１の態様の任意の実現態様における端末デバイスの動作を実行することができる端末デバイスが提供される。具体的には、当該端末デバイスは、上記の第１の態様又は第１の態様の任意の可能な実現形態における端末デバイスの動作を実行するためのモジュールユニットを含み得る。
【００４６】
第４の態様は、上記第２の態様又は第２の態様の任意の実現態様におけるネットワークデバイスの動作を実行することができるネットワークデバイスが提供される。具体的には、当該ネットワークデバイスは、上記の第２の態様又は第２の態様の任意の可能な実現形態におけるネットワークデバイスの動作を実行するためのモジュールユニットを含み得る。
【００４７】
第５の態様は、プロセッサと、送受信機と、メモリとを備える端末デバイスを提供する。ここで、プロセッサ、送受信機、およびメモリは、内部接続経路を介して互いに通信する。メモリは、命令を記憶するために使用され、プロセッサは、メモリに記憶された命令を実行するために使用される。当該プロセッサが当該メモリに記憶された命令を実行すると、端末デバイスに、第１の態様または第１の態様の任意の可能な実現形態における方法を実行させるか、または、端末デバイスに、第３の態様で提供される端末デバイスを実装させる。
【００４８】
第６の態様は、プロセッサと、送受信機と、メモリとを備えるネットワークデバイスを提供する。ここで、プロセッサ、送受信機、およびメモリは、内部接続経路を介して互いに通信する。メモリは、命令を記憶するために使用され、プロセッサは、メモリに記憶された命令を実行するために使用される。当該プロセッサが当該メモリに記憶された命令を実行すると、ネットワークデバイスに、第２の態様または第２の態様の任意の可能な実現形態における方法を実行させるか、または、ネットワークデバイスに、第４の態様で提供されるネットワーク末デバイスを実装させる。
【００４９】
第７の態様は、上記第１の態様及びその様々な実施態様のいずれかのデータ処理を端末デバイスに実行させるためのプログラムを記憶したコンピュータ可読記憶媒体を提供する。
【００５０】
第８の態様は、上記第２の態様及びその様々な実施態様のいずれかのデータ処理をネットワークデバイスに実行させるためのプログラムを記憶したコンピュータ可読記憶媒体を提供する。
【００５１】
第９の態様は、入力インターフェースと、出力インターフェースと、プロセッサと、メモリとを含むシステムチップを提供し、当該プロセッサは、当該メモリに記憶された命令を実行し、当該命令が実行されると、当該プロセッサは、第１の態様または第１の態様の任意の可能な実装形態における方法を実現する。
【００５２】
第１０の態様は、入力インターフェースと、出力インターフェースと、プロセッサと、メモリとを含むシステムチップを提供し、当該プロセッサは、当該メモリに記憶された命令を実行し、当該命令が実行されると、当該プロセッサは、第２の態様または第２の態様の任意の可能な実装形態における方法を実現する。
【００５３】
第１１の態様は、命令を含むコンピュータプログラム製品を提供し、当該コンピュータプログラム製品がコンピュータ上で実行されると、当該コンピュータに、第１の態様または第１の態様の任意の可能な実装形態における方法を実行させる。
【００５４】
第１２の態様は、命令を含むコンピュータプログラム製品を提供し、当該コンピュータプログラム製品がコンピュータ上で実行されると、当該コンピュータに、第２の態様または第２の態様の任意の可能な実装形態における方法を実行させる。
【図面の簡単な説明】
【００５５】
【図１】本願の実施例における応用シーンの構成図である。
【図２】本願の実施例におけるデータ処理方法のフローチャートである。
【図３】本願の実施例におけるデータ処理方法のフローチャートである。
【図４】本願の実施例における端末デバイスのブロック図である。
【図５】本願の実施例におけるネットワークデバイスのブロック図である。
【図６】本願の実施例におけるシステムチップの構成図である。
【図７】本願の実施例における通信デバイスの構成図である。
【発明を実施するための形態】
【００５６】
以下、本発明の実施の形態について図面を参照して説明する。
【００５７】
なお、本願の実施形態の技術は、例えば、移動体通信システム( Ｇｌｏｂａｌ Ｓｙｓｔｅｍ ｏｆ Ｍｏｂｉｌｅ Ｃｏｍｍｕｎｉｃａｔｉｏｎ、ＧＳＭ )、符号分割多元接続( Ｃｏｄｅ Ｄｉｖｉｓｉｏｎ Ｍｕｌｔｉｐｌｅ Ａｃｃｅｓｓ、ＣＤＭＡ )システム、広帯域符号分割多元接続( Ｗｉｄｅｂａｎｄ Ｃｏｄｅ Ｄｉｖｉｓｉｏｎ Ｍｕｌｔｉｐｌｅ Ａｃｃｅｓｓ、ＷＣＤＭＡ )システム、ロングタームエボリューション( Ｌｏｎｇ Ｔｅｒｍ Ｅｖｏｌｕｔｉｏｎ、ＬＴＥ )システム、LTE周波数分割複信( Ｆｒｅｑｕｅｎｃｙ Ｄｉｖｉｓｉｏｎ Ｄｕｐｌｅｘ、ＦＤＤ )システム、LTE時分割複信( Ｔｉｍｅ  Ｄｉｖｉｓｉｏｎ  Ｄｕｐｌｅｘ、ＴＤＤ )、ユニバーサル移動体通信システム( Ｕｎｉｖｅｒｓａｌ Ｍｏｂｉｌｅ Ｔｅｌｅｃｏｍｍｕｎｉｃａｔｉｏｎ Ｓｙｓｔｅｍ、ＵＭＴＳ )、将来の５Ｇ通信システム等の様々な通信システムに適用可能である。
【００５８】
本願は、端末デバイスに関連して様々な実施形態を説明している。端末デバイスは、ユーザ装置( Ｕｓｅｒ Ｅｑｕｉｐｍｅｎｔ、ＵＥ )、アクセス端末、ユーザ装置、ユーザ局、移動局、リモート端末、モバイル装置、ユーザ端末、無線通信装置、ユーザエージェント又はユーザ装置を指してもよい。アクセス端末は、セルラー電話、コードレス電話、セッション開始プロトコル( Ｓｅｓｓｉｏｎ Ｉｎｉｔｉａｔｉｏｎ Ｐｒｏｔｏｃｏｌ、ＳＩＰ )電話、ワイヤレスローカルループ( Ｗｉｒｅｌｅｓｓ Ｌｏｃａｌ Ｌｏｏｐ、ＷＬＬ )局、パーソナルデジタル処理( Ｐｅｒｓｏｎａｌ Ｄｉｇｉｔａｌ Ａｓｓｉｓｔａｎｔ、ＰＤＡ )、ワイヤレス通信機能を有するハンドヘルドデバイス、コンピューティングデバイス、またはワイヤレスモデムに接続された他の処理デバイス、車載デバイス、ウェアラブルデバイス、将来の５Ｇネットワークにおける端末デバイス、または将来の陸上公衆移動通信ネットワーク( Ｐｕｂｌｉｃ Ｌａｎｄ Ｍｏｂｉｌｅ Ｎｅｔｗｏｒｋ、ＰＬＭＮ )ネットワークにおける端末デバイスなどであり得る。
【００５９】
本願は、ネットワークデバイスに関連して様々な実施形態を説明する。ネットワークデバイスは、端末デバイスと通信するための装置であってもよく、例えば、ＧＳＭシステムまたはＣＤＭＡ ( Ｂａｓｅ Ｔｒａｎｓｃｅｉｖｅｒ Ｓｔａｔｉｏｎ、ＢＴＳ )における基地局であってもよく、ＷＣＤＭＡシステムにおける基地局( ＮｏｄｅＢ、ＮＢ )であってもよく、ＬＴＥシステムにおける発展型基地局( Ｅｖｏｌｕｔｉｏｎａｌ Ｎｏｄｅ Ｂ、ｅＮＢ又はｅＮｏｄｅＢ )であってもよく、または、中継局、アクセスポイント、車載装置、ウェアラブル装置、および将来の５Ｇネットワークにおけるネットワーク側装置または将来の発展型ＰＬＭＮネットワークにおけるネットワーク側装置などであってもよい。
【００６０】
図１は、本発明の実施例の応用シーンの概略図である。図１の通信システムは、ネットワークデバイス１０と端末デバイス２０とを含む。ネットワークデバイス１０は、端末デバイス２０に通信サービスを提供し、コアネットワークにアクセスするための装置であり、ネットワークデバイス１０から送信される同期信号やブロードキャスト信号等を検索することにより、端末デバイス２０がネットワークにアクセスし、ネットワークとの通信を行うことができる。図１に示される矢印は、端末デバイス２０とネットワークデバイス１０との間のセルラーリンクを介した上り/下りの送信を表すことができる。
【００６１】
本発明の実施例におけるネットワークは、パブリック地上波モバイルネットワーク( Ｐｕｂｌｉｃ Ｌａｎｄ Ｍｏｂｉｌｅ Ｎｅｔｗｏｒｋ、ＰＬＭＮ )またはデバイスツーデバイス( Ｄｅｖｉｃｅ ｔｏ Ｄｅｖｉｃｅ、Ｄ2Ｄ )ネットワークまたはマシンツーマシン( Ｍａｃｈｉｎｅ ｔｏ Ｍａｃｈｉｎｅ / Ｍａｎ、Ｍ2Ｍ )ネットワークまたは他のネットワークを指すことができ、図１は、単なる例示的な簡略図であり、ネットワークには、他の端末デバイスも含まれてよく、図１には示されていない。
【００６２】
図２は、本願の実施例によるデータ処理方法の概略フローチャートである。図２に示される方法は、例えば、図１に示される端末デバイス２０によって実行され得る。図２に示すように、このデータ処理の方法は、２１０〜２３０を含む。
【００６３】
２１０において、端末デバイスが第１のデータの伝送に使用される伝送パラメータに基づいて、使用されるＭＣＳマッピング関係テーブルを選択する。
【００６４】
ここで、当該ＭＣＳマッピング関係テーブルには複数の変調符号化方式（Ｍｏｄｕｌａｔｉｏｎ Ｃｏｄｉｎｇ Ｍｏｄｅ、ＭＣＳ）指示情報と複数のＭＣＳとのマッピング関係が含まれる。
【００６５】
ここで、当該伝送パラメータは、前記第１のデータのための伝送モード、前記第１のデータのスケジューリングのための下り制御情報ＤＣＩのＤＣＩフォーマット、前記第１のデータのためのサブキャリア間隔、前記第１のデータと上り制御情報（Ｕｐｌｉｎｋ Ｃｏｎｔｒｏｌ Ｉｎｆｏｒｍａｔｉｏｎ、ＵＣＩ）の多重方式のうちの少なくとも１つを含む。
【００６６】
具体的に、端末デバイスが第１のデータの伝送に使用される伝送パラメータに基づいて、複数のＭＣＳマッピング関係テーブルから、当該第１のデータに対してデータ処理を行うためのＭＣＳマッピング関係テーブルを選択することができる。第１のデータの伝送に使用される伝送パラメータが異なる場合、端末デバイスにより選択されたＭＣＳマッピング関係テーブルも異なる可能性がある。当該ＭＣＳマッピング関係テーブルには複数のＭＣＳ指示情報と複数のＭＣＳとのマッピング関係が含まれ、複数のＭＣＳ指示情報が複数のＭＣＳに一対一に対応し、端末デバイスが当該第１のデータのスケジューリングのためもＤＣＩに含まれるＭＣＳ指示情報、及び当該ＭＣＳマッピング関係テーブルに基づいて、当該第１のデータに対してデータ処理を行うための目標ＭＣＳを決定し、当該目標ＭＣＳに基づいて第１のデータを符号化及び変調し、又は、復調及び復号することができる。
【００６７】
任意選択で、当該ＭＣＳマッピング関係テーブルにおいて複数のＭＣＳ指示情報の各ＭＣＳ指示情報が１つのＭＣＳインデックスを示し、当該複数のＭＣＳ指示情報が示す複数のＭＣＳインデックスが当該複数のＭＣＳに一対一に対応する。
【００６８】
任意選択で、当該複数のＭＣＳの各ＭＣＳが変調方式及び符号化率の情報を含む。
【００６９】
例えば、表１に示されるＭＣＳマッピング関係テーブルは、３２個のＭＣＳインデックスを含み、これら３２個のＭＣＳインデックスは、それぞれ３２種類のデバッグ符号化方式に対応し、各デバッグ符号化方式は、１つの符号化率と、１つの変調方式、例えば、直交位相シフト符号化( Ｑｕａｄｒａｔｕｒｅ Ｐｈａｓｅ Ｓｈｉｆｔ Ｋｅｙｉｎｇ、ＱＰＳＫ )の変調方式または６４ＱＡＭの変調方式とを含む。
【００７０】
【表１】
2021500773.tif 000003
【００７１】
任意選択で、当該伝送パラメータが当該第１のデータの伝送のための伝送モードを含む場合、２１０の前に、端末デバイスが第１のデータの伝送に使用される伝送パラメータに基づいて使用されるＭＣＳマッピング関係テーブルを選択する前に、当該方法は、さらに、端末デバイスネットワークデバイスが上位レイヤシグナリングを介して送信した、前記伝送モードを示す指示情報を受信することを含む。
【００７２】
任意選択で、当該伝送パラメータが当該第１のデータのスケジューリングのためのＤＣＩのＤＣＩフォーマットを含む場合、２１０の前に、即ち、前記端末デバイスが第１のデータの伝送に使用される伝送パラメータに基づいて、使用されるＭＣＳマッピング関係テーブルを選択する前に、当該方法は、さらに、端末デバイスが多種のＤＣＩフォーマットに基づいて当該第１のデータのスケジューリングのためのＤＣＩをブラインド検出して、当該第１のデータのスケジューリングのためのＤＣＩのＤＣＩフォーマットを決定する。
【００７３】
端末デバイスがブラインド検出する必要がある当該多種のＤＣＩフォーマット及び当該多種のＤＣＩフォーマットの数は、現在に構成された当該第１のデータの伝送のための伝送モードに依頼する。
【００７４】
任意選択で、当該第１のデータの伝送のための伝送モードは、単一アンテナポートに基づく伝送モード、マルチ入力マルチ出力（Ｍｕｌｔｉｐｌｅ−Ｉｎｐｕｔ Ｍｕｌｔｉｐｌｅ−Ｏｕｔｐｕｔ、ＭＩＭＯ）に基づく伝送モード、マルチアンテナポートに基づく伝送モード、単一の伝送ポイントに基づく伝送モード又は複数の伝送ポイントに基づく伝送モードのいずれかを含む。
【００７５】
ここで、当該伝送ポイントは、例えば、伝送受信ポイント( Ｔｒａｎｓｍｉｓｓｉｏｎ Ｒｅｃｅｐｔｉｏｎ Ｐｏｉｎｔ、ＴＲＰ )又はアンテナパネル( Ｐａｎｅｌ )であってもよい。端末デバイスは、単一のＰＤＣＣＨ上で搬送されるＤＣＩを得るために、単一の伝送ポイントに基づく伝送モードに対して単一の物理下り制御チャネル( Ｐｈｙｓｉｃａｌ Ｄｏｗｎｌｉｎｋ Ｃｏｎｔｒｏｌ Ｃｈａｎｎｅｌ、ＰＤＣＣＨ )のみを必要とし、複数の伝送ポイントに基づく伝送モードの場合、複数のＰＤＣＣＨを検出する必要がある。
【００７６】
任意選択で、当該第１のデータのスケジューリングのための前記ＤＣＩのＤＣＩフォーマットは、単一アンテナポートでのデータ伝送、単一伝送層のデータ伝送、マルチアンテナポートでのデータ伝送、複数の伝送層のデータ伝送、開ループＭＩＭＯに基づくデータ伝送、閉ループプリコーディングに基づくデータ伝送、ＤＦＴ−Ｓ−ＯＦＤＭの多元接続方式に基づくデータ伝送、ＣＰ−ＯＦＤＭの多元接続方式に基づくデータ伝送、単一の伝送ポイントでのデータ伝送又は複数の伝送ポイントでのデータ伝送のスケジューリングのためのＤＣＩフォーマットのいずれかを含む。
【００７７】
例えば、上記のいずれかのデータ伝送をスケジューリングするためのＤＣＩフォーマットは、伝送モードとは独立してもよく、当該ＤＣＩフォーマットは、上記のいずれかのデータ伝送をスケジューリングする属性を有するＤＣＩフォーマットである。
【００７８】
ここで、該開ループＭＩＭＯは、例えば、送信ダイバーシチ、プリコーディング順番に訓練、又は開ループの空間多重であってもよい。この伝送ポイントは、例えばＴＲＰやＰａｎｅｌであってもよい。
【００７９】
端末デバイスは、当該ＤＣＩのＤＣＩフォーマットが単一の送信ポイントにおけるデータ伝送をスケジューリングするために使用される場合、単一のＰＤＣＣＨを検出することのみを必要とし、当該ＤＣＩのＤＣＩフォーマットが複数の送信ポイントにおけるデータ伝送をスケジューリングするために使用される場合、端末デバイスは、複数のＰＤＣＣＨを検出する必要がある。
【００８０】
この第１のデータを伝送する伝送パラメータが、この第１のデータを伝送するサブキャリア間隔を含む場合、このサブキャリア間隔は、例えば、１５ｋＨｚ、３０ｋＨｚ、６０ｋＨｚ、１２０ｋＨｚ、２４０ｋＨｚ、９２０ｋＨｚ等のＮＲ ( Ｎｅｗ Ｒａｄｉｏ)で使用可能なサブキャリア間隔であってもよい。
【００８１】
例えば、当該サブキャリア間隔が６０ｋＨｚ未満のサブキャリア間隔である場合、当該ＭＣＳマッピング関係テーブルには２５６ＱＡＭの変調方式が含まれ、当該サブキャリア間隔が６０ｋＨｚより大きいサブキャリア間隔であれば、当該ＭＣＳマッピング関係テーブルには２５６ＱＡＭの変調方式は含まれない。
【００８２】
２１０において、第１のデータを伝送するために使用される伝送パラメータが異なる場合、端末デバイスによって選択される使用されるＭＣＳマッピング関係テーブルも異なる場合がある。異なる伝送パラメータに基づいて選択されるＭＣＳマッピング関係テーブルについて、以下の５つのケースで具体的に説明する。
【００８３】
ケース１
任意選択で、当該伝送パラメータが当該第１のデータの伝送のための伝送モードを含む。
【００８４】
当該伝送モードが第１の伝送モードである場合、端末デバイスにより選択された当該ＭＣＳマッピング関係テーブルの複数のＭＣＳが、第１の変調方式を含み、当該伝送モードが第２の伝送モードである場合、端末デバイスにより選択された当該ＭＣＳマッピング関係テーブル内の複数のＭＣＳが、当該第１の変調方式を含まない。
【００８５】
ここで、当該第１の変調方式は、例えば、ｐｉ／２シフトのＢＰＳＫ、６４ＱＡＭ、２５６ＱＡＭ又は、１０２４ＱＡＭのいずれかを含む。
【００８６】
任意選択で、当該第１の伝送モードが単一アンテナポートに基づく伝送モードであり、当該第２の伝送モードがマルチアンテナポートに基づく伝送モードであり、当該第１の変調方式がｐｉ／２シフトのバイナリ位相シフトキーイングＢＰＳＫであり、又は、当該第１の伝送モードがマルチアンテナポートに基づく伝送モードであり、当該第２の伝送モードが単一アンテナポートに基づく伝送モードであり、当該第１の変調方式が変調次数が６４ＱＡＭよりも高い変調方式であり、又は、当該第１の伝送モードが単一の伝送ポイントに基づく伝送モードであり、当該第２の伝送モードが複数の伝送ポイントに基づく伝送モードであり、当該第１の変調方式が変調次数が６４ＱＡＭよりも高い変調方式である。
【００８７】
例えば、端末デバイスは、当該第１のデータの伝送に用いる伝送モードが単一アンテナポートに基づく伝送モードであれば、ＭＣＳマッピング関係テーブルを選択する場合、当該ＭＣＳマッピング関係テーブルがｐｉ/２シフトのＢＰＳＫの変調方式を含み、かつ、変調次数が６４ＱＡＭより高い変調方式(例えば、２５６ＱＡＭや１０２４ＱＡＭ )を含まないことを満たしている必要があり、この時、当該ＭＣＳマッピング関係テーブルは、例えば、表２に示すＭＣＳマッピング関係テーブルであってもよく、当該第１のデータの伝送に用いる伝送モードがマルチアンテナポートによる伝送モードであれば、ＭＣＳマッピング関係テーブルを選択する場合、当該ＭＣＳマッピング関係テーブルがｐｉ／２シフトのＢＰＳＫを含まなく２５６ＱＡＭを含む変調方式を満たし、当該ＭＣＳマッピング関係テーブルは、例えば、表３に示すＭＣＳマッピング関係テーブルであってもよい。
【００８８】
また例えば、端末デバイスが、第１のデータの伝送に使用される送信モードが単一の伝送ポイントに基づく送信モードである場合、端末デバイスにより選択された当該ＭＣＳマッピング関係テーブルは、変調次数が６４ＱＡＭよりも高い変調方式(例えば、２５６ＱＡＭ、１０２４ＱＡＭ )を含み、当該第１のデータに使用される伝送モードが複数の伝送ポイントに基づく伝送モードである場合、端末デバイスにより選択された当該ＭＣＳマッピング関係テーブルは、変調次数が６４ＱＡＭよりも高い変調方式(例えば２５６ＱＡＭ、１０２４ＱＡＭ )を含まない。
【００８９】
ケース２
任意選択で、当該伝送パラメータが当該第１のデータのスケジューリングのためのＤＣＩのＤＣＩフォーマットを含む。
【００９０】
当該ＤＣＩのＤＣＩフォーマットが第１のＤＣＩフォーマットである場合、端末デバイスにより選択された当該ＭＣＳマッピング関係テーブル内の複数のＭＣＳが、第２の変調方式を含み、当該ＤＣＩのＤＣＩフォーマットが第２のＤＣＩフォーマットである場合、端末デバイスにより選択された当該ＭＣＳマッピング関係テーブル内の複数のＭＣＳが、当該第２の変調方式を含まない。
【００９１】
ここで、当該第２の変調方式は、例えば、ｐｉ／２シフトのＢＰＳＫ、６４ＱＡＭ、２５６ＱＡＭ又は、１０２４ＱＡＭのいずれかを含む。
【００９２】
任意選択で、当該第１のＤＣＩフォーマットは、単一アンテナポートでの単一層データ伝送をスケジューリングするために用いられ、当該第２のＤＣＩフォーマットは、マルチアンテナポートでの単一層、又は、多層データ伝送をスケジューリングするために用いられ、当該第２の変調方式がｐｉ／２シフトのＢＰＳＫの変調方式であり、又は、
当該第１のＤＣＩフォーマットは、ＤＦＴ−Ｓ−ＯＦＤＭの多元接続方式に基づくデータ伝送をスケジューリングするために用いられ、当該第２のＤＣＩフォーマットは、ＣＰ−ＯＦＤＭの多元接続方式に基づくデータ伝送をスケジューリングするために用いられ、当該第２の変調方式がｐｉ／２シフトのＢＰＳＫの変調方式であり、又は、
当該第１のＤＣＩフォーマットは、ＣＰ−ＯＦＤＭの多元接続方式基づくデータ伝送をスケジューリングするために用いられ、当該第２のＤＣＩフォーマットは、ＤＦＴ−Ｓ−ＯＦＤＭの多元接続方式に基づくデータ伝送をスケジューリングするために用いられ、当該第２の変調方式が６４ＱＡＭの変調方式である。
【００９３】
例えば、当該第１のデータのスケジューリングのためのＤＣＩのＤＣＩフォーマット（Ｆｏｒｍａｔ）がＤＣＩ ｆｏｒｍａｔ０であり、当該ＤＣＩ ｆｏｒｍａｔ０が単一アンテナポートでの単一層データ伝送をスケジューリングする場合、端末デバイスにより選択された当該ＭＣＳマッピング関係テーブルは、ｐｉ／２シフトのＢＰＳＫの変調方式を含み、変調次数が６４ＱＡＭよりも高い変調方式（例えば２５６ＱＡＭ、１０２４ＱＡＭ）を含まなく、この時、当該ＭＣＳマッピング関係テーブルは、例えば、表２に示すＭＣＳマッピング関係テーブルであってもよく、当該第１のデータのスケジューリングのためのＤＣＩのＤＣＩフォーマットがＤＣＩ ｆｏｒｍａｔ１であり、当該ＤＣＩ ｆｏｒｍａｔ１がマルチアンテナポートでのデータ伝送（単一層データ伝送又は多層データ伝送）をスケジューリングする場合、端末デバイスにより選択された当該ＭＣＳマッピング関係テーブルが、２５６ＱＡＭの変調方式を含み、この時、当該ＭＣＳマッピング関係テーブルは、例えば、表３に示すＭＣＳマッピング関係テーブルであってもよい。
【００９４】
【表２】
2021500773.tif 000004
【００９５】
【表３】
2021500773.tif 000005
【００９６】
また例えば、当該第１のデータのスケジューリングのためのＤＣＩのＤＣＩフォーマットがＤＣＩ ｆｏｒｍａｔ０であり、当該ＤＣＩ ｆｏｒｍａｔ０がＤＦＴ−Ｓ−ＯＦＤＭ多元接続方式に基づくデータ伝送をスケジューリングする場合、端末デバイスにより選択された当該ＭＣＳマッピング関係テーブルは、ｐｉ／２シフトのＢＰＳＫの変調方式を含み、２５６ＱＡＭの変調方式を含まなく、当該第１のデータのスケジューリングのためのＤＣＩのＤＣＩフォーマットがＤＣＩ ｆｏｒｍａｔ１であり、当該ＤＣＩ ｆｏｒｍａｔ１がＣＰ−ＯＦＤＭ多元接続方式に基づくデータ伝送をスケジューリングする場合、端末デバイスにより選択された当該ＭＣＳマッピング関係テーブルは、ｐｉ／２シフトのＢＰＳＫの変調方式を含まなく、２５６ＱＡＭの変調方式を含む。ＤＣＩ ｆｏｒｍａｔ０に対応するＭＣＳマッピング関係テーブルは、例えば、表２に示し、ＤＣＩ ｆｏｒｍａｔ１に対応するＭＣＳマッピング関係テーブルは。例えば、表３に示す。
【００９７】
ケース３
任意選択で、当該伝送パラメータは、当該第１のデータの伝送のための伝送モード、及び当該第１のデータのスケジューリングのためのＤＣＩのＤＣＩフォーマットを含む。
【００９８】
当該伝送モードが第３の伝送モードであり、当該ＤＣＩのＤＣＩフォーマットが第３のＤＣＩフォーマットである場合、端末デバイスにより選択された当該ＭＣＳマッピング関係テーブル内の複数のＭＣＳが、第３の変調方式を含み、前記伝送モードが第３の伝送モードではなく、及び／又は、前記ＤＣＩのＤＣＩフォーマットが第３のＤＣＩフォーマットでない場合、端末デバイスにより選択された前記ＭＣＳマッピング関係テーブル内の前記複数のＭＣＳが、前記第３の変調方式を含まない。
【００９９】
ここで、当該第３の変調方式は、例えば、ｐｉ／２シフトのＢＰＳＫ、６４ＱＡＭ、２５６ＱＡＭ又は、１０２４ＱＡＭのいずれかを含む。
【０１００】
任意選択で、当該第３の伝送モードがＭＩＭＯに基づく伝送モードであり、当該第３のＤＣＩフォーマットがマルチアンテナポートでのデータ伝送をスケジューリングするために用いられ、当該第３の変調方式が２５６ＱＡＭの変調方式であり、又は、当該第３の伝送モードが単一アンテナポートに基づく伝送モードであり、当該第３のＤＣＩフォーマットが、ＤＦＴ−Ｓ−ＯＦＤＭの多元接続方式に基づくデータ伝送をスケジューリングするために用いられ、当該第３の変調方式がｐｉ／２シフトのＢＰＳＫの変調方式である。
【０１０１】
例えば、当該第１のデータの伝送に使用される伝送モードがＭＩＭＯに基づく伝送モードであり、当該第１のデータのスケジューリングのためのＤＣＩのＤＣＩフォーマットがＤＣＩ ｆｏｒｍａｔ１であり、当該ＤＣＩ ｆｏｒｍａｔ１がマルチアンテナポートに基づくデータ伝送をスケジューリングする場合、端末デバイスにより選択された当該ＭＣＳマッピング関係テーブルは、２５６ＱＡＭの変調方式を含み、他の場合（他の伝送モードを利用して当該第１のデータを伝送し、又は、同じ伝送モードで他のＤＣＩフォーマットを利用して当該第１のデータをスケジューリングする）、当該ＭＣＳマッピング関係テーブルは、２５６ＱＡＭの変調方式を含まない。
【０１０２】
また例えば、当該第１のデータに伝送に採用される伝送モードが単一アンテナポートに基づく伝送モードであり、当該第１のデータのスケジューリングのためのＤＣＩのＤＣＩフォーマットがＤＣＩ ｆｏｒｍａｔ０であり、当該ＤＣＩ ｆｏｒｍａｔ０がＤＦＴ−Ｓ−ＯＦＤＭ多元接続方式に基づくデータ伝送をスケジューリングする場合、端末デバイスにより選択された当該ＭＣＳマッピング関係テーブルがｐｉ／２シフトのＢＰＳＫの変調方式を含み、他の場合（例えば、他の伝送モードを利用して当該第１のデータを伝送し、又は、同じ伝送モードで他のＤＣＩフォーマットを利用して当該第１のデータをスケジューリングする）、当該ＭＣＳマッピング関係テーブルが、ｐｉ／２シフトのＢＰＳＫの変調方式を含まない。
【０１０３】
ケース４
任意選択で、当該伝送パラメータが当該第１のデータの伝送のための伝送モード、及び当該第１のデータのスケジューリングのためのＤＣＩのＤＣＩフォーマットを含む。
【０１０４】
当該伝送モードが第４の伝送モード、当該ＤＣＩのＤＣＩフォーマットが第４のＤＣＩフォーマットである場合、端末デバイスにより選択された当該ＭＣＳマッピング関係テーブル内の複数のＭＣＳが、第４の変調方式を含まなく、当該伝送モードが第１の伝送モードではなく、及び／又は、当該ＤＣＩのＤＣＩフォーマットが第４のＤＣＩフォーマットでない場合、端末デバイスにより選択された当該ＭＣＳマッピング関係テーブル内の複数のＭＣＳが、当該第４の変調方式を含む。
【０１０５】
ここで、当該第４の変調方式は、例えば、ｐｉ／２シフトのＢＰＳＫ、６４ＱＡＭ、２５６ＱＡＭ又は、１０２４ＱＡＭのいずれかを含む。
【０１０６】
任意選択で、当該第４の伝送モードが単一アンテナポートに基づく伝送モードであり、当該第４のＤＣＩフォーマットがＤＦＴ−Ｓ−ＯＦＤＭの多元接続方式に基づくデータ伝送をスケジューリングするために用いられ、当該第４の変調方式が２５６ＱＡＭの変調方式であり、又は、当該第４の伝送モードがＭＩＭＯに基づく伝送モードであり、当該第４のＤＣＩフォーマットがＣＰ−ＯＦＤＭの多元接続方式に基づくデータ伝送をスケジューリングするために用いられ、当該第４の変調方式がｐｉ／２シフトのＢＰＳＫの変調方式である。
【０１０７】
例えば、当該第１のデータの伝送に使用される伝送モードが単一アンテナポートに基づく伝送モードであり、当該第１のデータのスケジューリングのためのＤＣＩのＤＣＩフォーマットがＤＣＩ ｆｏｒｍａｔ０であり、当該ＤＣＩ ｆｏｒｍａｔ０がＤＦＴ−Ｓ−ＯＦＤＭ多元接続方式に基づくデータ伝送をスケジューリングする場合、端末デバイスにより選択された当該ＭＣＳマッピング関係テーブルが２５６ＱＡＭの変調方式を含まなく、他の場合（例えば、他の伝送モードを利用して当該第１のデータを伝送し、又は、同じ伝送モードで他のＤＣＩフォーマットを利用して当該第１のデータをスケジューリングする）、当該ＭＣＳマッピング関係テーブルが２５６ＱＡＭの変調方式を含む。
【０１０８】
また例えば、当該第１のデータの伝送に採用される伝送モードがＭＩＭＯに基づく伝送モードであり、当該第１のデータのスケジューリングのためのＤＣＩのＤＣＩフォーマットがＤＣＩ ｆｏｒｍａｔ１であり、当該ＤＣＩ ｆｏｒｍａｔ１がＣＰ−ＯＦＤＭ多元接続方式に基づくデータ伝送をスケジューリングする場合、端末デバイスにより選択された当該ＭＣＳマッピング関係テーブルが、ｐｉ／２シフトのＢＰＳＫの変調方式を含まなく、他の場合（例えば、他の伝送モードを利用して当該第１のデータを伝送し、又は、同じ伝送モードで他のＤＣＩフォーマットを利用して当該第１のデータをスケジューリングする）、当該ＭＣＳマッピング関係テーブルが、ｐｉ／２シフトのＢＰＳＫの変調方式を含む。
【０１０９】
ケース５
任意選択で、当該伝送パラメータは、当該第１のデータと上り制御情報（Ｕｐｌｉｎｋ Ｃｏｎｔｒｏｌ Ｉｎｆｏｒｍａｔｉｏｎ、ＵＣＩ）の多重方式を含む。
【０１１０】
当該多重方式が当該第１のデータとＵＣＩが同じ時間領域リソースユニットにおいて多重され、又は、当該第１のデータとＵＣＩが周波数分割多重（Ｆｒｅｑｕｅｎｃｙ Ｄｉｖｉｓｉｏｎ Ｍｕｌｔｉｐｌｅｘｉｎｇ、ＦＤＭ）される場合、端末デバイスにより選択された当該ＭＣＳマッピング関係テーブル内の複数のＭＣＳが、第５の変調方式を含まない。
【０１１１】
当該時間領域リソースユニットは、例えば、タイムスロット、ミニタイムスロット、又はサブフレームである。
【０１１２】
ここで、当該第５の変調方式は、ｐｉ／２シフトのＢＰＳＫ、６４ＱＡＭ、２５６ＱＡＭ又は、１０２４ＱＡＭのいずれかを含む。
【０１１３】
任意選択で、前記端末デバイスが異なる伝送パラメータに応じて選択したＭＣＳマッピング関係テーブルが異なり、前記異なるマッピング関係テーブルにおいて前記目標ＭＣＳ指示情報に対応する符号化率が異なる。
【０１１４】
つまり、端末デバイスが異なる伝送パラメータに基づて決定された異なるＭＣＳマッピング関係テーブルの符号化率の大きさが異なる可能性がある。
【０１１５】
任意選択で、端末デバイスが異なる伝送パラメータに基づて選択されたＭＣＳマッピング関係テーブルが異なり、前記異なるＭＣＳマッピング関係テーブルに含まれるＭＣＳ指示情報の数が異なる。
【０１１６】
つまり、端末デバイスが異なる伝送パラメータに基づて確定された異なるＭＣＳマッピング関係テーブルの大きさが異なり、即ち、異なるＭＣＳマッピング関係テーブルに含まれるＭＣＳの数又は、ＭＣＳ指示情報の数が異なる。
【０１１７】
このとき、第１データをスケジューリングするＤＣＩに含まれるＭＣＳ指示情報が占めるビット数は異なってもよい。
【０１１８】
例えば、第１の伝送モードおよび/または第１のＤＣＩフォーマットに関して、端末デバイスによって選択されるＭＣＳマッピング関係テーブルは、ＭＣＳ指示情報によって示される１６個の可能なＭＣＳインデックスと、第１のデータによって使用される可能性のある１６個のＭＣＳとの間のマッピング関係を含み、この１６個のＭＣＳインデックスと１６個のＭＣＳとの間は１対１に対応する。この場合、当該ＭＣＳマッピング関係テーブルのサイズは１６である。当該ＭＣＳマッピング関係テーブルのＭＣＳ指示情報は４ビットを占めることができる。第２の伝送モードおよび/または第２のＤＣＩフォーマットに関して、当該ＭＣＳマッピング関係テーブルに含まれるＭＣＳ指示情報が示す３２個の可能なＭＣＳインデックスと第１のデータの伝送に使用される可能な３２個のＭＣＳとのマッピング関係であり、この３２個のＭＣＳインデックスと３２個のＭＣＳが一対一に対応する。この場合、当該ＭＣＳマッピング関係テーブルのサイズは３２であり、当該ＭＣＳマッピング関係テーブルにおけるＭＣＳ指示情報は５ビット分を占めることができる。
【０１１９】
２２０において、端末デバイスが当該ＤＣＩに含まれる目標ＭＣＳ指示情報、及び当該ＭＣＳマッピング関係テーブルに基づて、当該第１のデータに対してデータ処理を行うための目標ＭＣＳを決定する。
【０１２０】
２３０において、端末デバイスが当該目標ＭＣＳに基づて、当該第１のデータを符号化及び変調し、又は、当該第１のデータを復調及び復号する。
【０１２１】
具体的には、端末デバイスは、当該ＭＣＳにおける符号化率に応じて第１データをチャネル符号化し、当該ＭＣＳにおける変調方式に応じて符号化された当該第１データを変調して変調信号を得る。又は、端末デバイスは、受信した第１データをＭＣＳにおける変調方式に従って復調し、復調した第１データをＭＣＳにおける符号化率に従って復号して、復号第１データを得る。
【０１２２】
任意選択で、前記端末デバイスが当該目標ＭＣＳに応じて当該第１データを符号化及び変調し、又は復調及び復号することは、当該目標ＭＣＳが前記端末デバイスがサポートする最大ＭＣＳを超える場合に、当該最大ＭＣＳに応じて前記第１データを符号化及び変調し、又は復調及び復号することを含む。
【０１２３】
例えば、端末デバイスが、最高６４ＱＡＭの変調方式しかサポートしていないが、ＤＣＩに含まれる当該ＭＣＳ指示情報に対応する変調方式が２５６ＱＡＭの変調方式であれば、端末デバイスは、当該第１データを処理するためのＭＣＳとして６４ＱＡＭを採用する。又は、当該ＭＣＳ指示情報に対応する符号率が、端末デバイスがサポートする最高符号率を超えている場合、端末デバイスは、その最高符号率に従って第１データの送信または検出を行う。
【０１２４】
これにより、本願の実施例において、端末デバイスは、データ伝送の伝送モード、ＤＣＩフォーマット、サブキャリア間隔、ＵＣＩとの多重化方式などの伝送パラメータに応じて、現在の伝送シーンに適したＭＣＳマッピング関係テーブルを選択し、ＤＣＩに含まれるＭＣＳ指示情報と、選択されたＭＣＳマッピング関係テーブルとに応じて、現在の伝送シーンで用いられているＭＣＳを効率的に決定することができる。
【０１２５】
図３は本願の実施例におけるデータ処理方法のフローチャートである。図３に示す方法は、ネットワークデバイスより実行され、当該ネットワークデバイスが例えば図１に示すネットワークデバイス１０である。図３に示すように、当該データ処理方法は、３１０〜３４０を含む。
【０１２６】
３１０において、ネットワークデバイスが第１のデータの伝送に使用される伝送パラメータに基づいて、使用されるＭＣＳマッピング関係テーブルを選択し、前記ＭＣＳマッピング関係テーブルには複数のＭＣＳ指示情報と複数のＭＣＳとのマッピング関係が含まれ、前記伝送パラメータが、前記第１のデータの伝送のための伝送モード、前記第１のデータのスケジューリングのための下り制御情報ＤＣＩのＤＣＩフォーマット、前記第１のデータの伝送のためのサブキャリア間隔、前記第１のデータと上り制御情報ＵＣＩの多重方式のうちの少なくとも１つを含む。
【０１２７】
３２０において、前記ネットワークデバイスが前記ＭＣＳマッピング関係テーブル及び前記第１のデータに対してデータ処理を行うための目標ＭＣＳに基づいて、前記ＤＣＩに含まれる目標ＭＣＳ指示情報を決定する。
【０１２８】
３３０において、前記ネットワークデバイスが前記目標ＭＣＳ指示情報が含まれる前記ＤＣＩを端末デバイスに送信する。
【０１２９】
３４０において、前記ネットワークデバイスが前記目標ＭＣＳに基づいて、前記第１のデータを符号化及び変調し、又は、前記第１のデータを復調及び復号する。
【０１３０】
これにより、ネットワークデバイスは、データ伝送の伝送モード、ＤＣＩフォーマット、サブキャリア間隔、ＵＣＩとの多重化方式などの伝送パラメータに応じて、現在の伝送シーンに適したＭＣＳマッピング関係テーブルを選択し、第１データのデータ処理の目標ＭＣＳと、選択したＭＣＳマッピング関係テーブルとに応じて、送信されるＭＣＳ指示情報を決定することができ、端末デバイスは、当該ＭＣＳ指示情報に応じて、現在の伝送シーンで使用しているＭＣＳを効率的に決定することができる。
【０１３１】
任意選択で、前記複数のＭＣＳ指示情報内の各ＭＣＳ指示情報が１つのＭＣＳインデックスを示し、前記複数のＭＣＳ指示情報が示す複数のＭＣＳインデックスが前記複数のＭＣＳに一対一に対応する。
【０１３２】
任意選択で、前記複数のＭＣＳの各ＭＣＳが変調方式及び符号化率の情報を含む。
【０１３３】
任意選択で、前記第１のデータの伝送のための伝送モードは、単一アンテナポートに基づく伝送モード、マルチ入力マルチ出力ＭＩＭＯに基づく伝送モード、マルチアンテナポートに基づく伝送モード、単一の伝送ポイントに基づく伝送モード、又は、複数の伝送ポイントに基づく伝送モードのいずれかを含む。
【０１３４】
任意選択で、前記第１のデータのスケジューリングのための前記ＤＣＩのＤＣＩフォーマットは、単一アンテナポートでのデータ伝送、単一の伝送層のデータ伝送、マルチアンテナポートでのデータ伝送、複数の伝送層のデータ伝送、開ループＭＩＭＯに基づくデータ伝送、閉ループプリコーディングに基づくデータ伝送、フーリエ変換拡張の直交周波数分割多重ＤＦＴ−Ｓ−ＯＦＤＭの多元接続方式に基づくデータ伝送、サイクリックプレフィックス直交周波数分割多重ＣＰ−ＯＦＤＭの多元接続方式に基づくデータ伝送、単一の伝送ポイントでのデータ伝送、又は、複数の伝送ポイントでのデータ伝送のいずれかのスケジューリングのためのＤＣＩフォーマットを含む。
【０１３５】
任意選択で、前記伝送パラメータが、前記第１のデータの伝送のための伝送モードを含み、
前記伝送モードが第１の伝送モードである場合、前記ネットワークデバイスにより選択された前記ＭＣＳマッピング関係テーブル内の前記複数のＭＣＳが、第１の変調方式を含み、前記伝送モードが第２の伝送モードである場合、前記ネットワークデバイスにより選択された前記ＭＣＳマッピング関係テーブル内の前記複数のＭＣＳが、前記第１の変調方式を含まない。
【０１３６】
任意選択で、前記第１の伝送モードが単一アンテナポートに基づく伝送モードであり、前記第２の伝送モードがマルチアンテナポートに基づく伝送モードであり、前記第１の変調方式がｐｉ／２シフトのバイナリ位相シフトキーイングＢＰＳＫであり、又は、前記第１の伝送モードがマルチアンテナポートに基づく伝送モードであり、前記第２の伝送モードが単一アンテナポートに基づく伝送モードであり、前記第１の変調方式が変調次数が６４直交振幅変調ＱＡＭよりも高い変調方式であり、又は、前記第１の伝送モードが単一の伝送ポイントに基づく伝送モードであり、前記第２の伝送モードが複数の伝送ポイントに基づく伝送モードであり、前記第１の変調方式が変調次数が６４ＱＡＭよりも高い変調方式である。
【０１３７】
任意選択で、前記伝送パラメータが前記第１のデータのスケジューリングのためのＤＣＩのＤＣＩフォーマットを含み、
前記ＤＣＩのＤＣＩフォーマットが第１のＤＣＩフォーマットである場合、前記ネットワークデバイスにより選択された前記ＭＣＳマッピング関係テーブル内の前記複数のＭＣＳが、第２の変調方式を含み、前記ＤＣＩのＤＣＩフォーマットが第２のＤＣＩフォーマットである場合、前記ネットワークデバイスにより選択された前記ＭＣＳマッピング関係テーブル内の前記複数のＭＣＳが、前記第２の変調方式を含まない。
【０１３８】
任意選択で、前記第１のＤＣＩフォーマットが単一アンテナポートでの単一層データ伝送をスケジューリングするために用いられ、前記第２のＤＣＩフォーマットがマルチアンテナポートでの単一層又は、多層データ伝送をスケジューリングするために用いられ、前記第２の変調方式がｐｉ／２シフトのＢＰＳＫの変調方式であり、又は、前記第１のＤＣＩフォーマットがＤＦＴ−Ｓ−ＯＦＤＭの多元接続方式に基づくデータ伝送をスケジューリングするために用いられ、前記第２のＤＣＩフォーマットがＣＰ−ＯＦＤＭの多元接続方式に基づくデータ伝送をスケジューリングするために用いられ、前記第２の変調方式がｐｉ／２シフトのＢＰＳＫの変調方式であり、又は、前記第１のＤＣＩフォーマットがＣＰ−ＯＦＤＭの多元接続方式に基づくデータ伝送をスケジューリングするために用いられ、前記第２のＤＣＩフォーマットがＤＦＴ−Ｓ−ＯＦＤＭの多元接続方式に基づくデータ伝送をスケジューリングするために用いられ、前記第２の変調方式が６４ＱＡＭの変調方式である。
【０１３９】
任意選択で、前記伝送パラメータが、前記第１のデータの伝送のための伝送モード及び記第１のデータのスケジューリングのためのＤＣＩのＤＣＩフォーマットを含み、
前記伝送モードが第３の伝送モードであり、前記ＤＣＩのＤＣＩフォーマットが第３のＤＣＩフォーマットである場合、前記ネットワークデバイスにより選択された前記ＭＣＳマッピング関係テーブル内の前記複数のＭＣＳが、第３の変調方式を含み、前記伝送モードが第３の伝送モードではなく、及び／又は、前記ＤＣＩのＤＣＩフォーマットが第３のＤＣＩフォーマットでない場合、前記ネットワークデバイスにより選択された前記ＭＣＳマッピング関係テーブル内の前記複数のＭＣＳが、前記第３の変調方式を含まない。
【０１４０】
任意選択で、前記第３の伝送モードがＭＩＭＯに基づく伝送モードであり、前記第３のＤＣＩフォーマットがマルチアンテナポートでのデータ伝送をスケジューリングするために用いられ、前記第３の変調方式が２５６ＱＡＭの変調方式であり、又は、前記第３の伝送モードが単一アンテナポートに基づく伝送モードであり、前記第３のＤＣＩフォーマットがＤＦＴ−Ｓ−ＯＦＤＭの多元接続方式に基づくデータ伝送をスケジューリングするために用いられ、前記第３の変調方式がｐｉ／２シフトのＢＰＳＫの変調方式である。
【０１４１】
任意選択で、前記伝送パラメータが、前記第１のデータの伝送のための伝送モード及び記第１のデータのスケジューリングのためのＤＣＩのＤＣＩフォーマットを含み、
前記伝送モードが第４の伝送モードであり、前記ＤＣＩのＤＣＩフォーマットが第４のＤＣＩフォーマットである場合、前記ネットワークデバイスにより選択された前記ＭＣＳマッピング関係テーブル内の前記複数のＭＣＳが、第４の変調方式を含まない、前記伝送モードが第４の伝送モードではなく、及び／又は、前記ＤＣＩのＤＣＩフォーマットが第４のＤＣＩフォーマットでない場合、前記ネットワークデバイスにより選択された前記ＭＣＳマッピング関係テーブル内の前記複数のＭＣＳが、前記第４の変調方式を含む。
【０１４２】
任意選択で、前記第４の伝送モードが単一アンテナポートに基づく伝送モードであり、前記第４のＤＣＩフォーマットがＤＦＴ−Ｓ−ＯＦＤＭの多元接続方式に基づくデータ伝送をスケジューリングするために用いられ、前記第４の変調方式が２５６ＱＡＭの変調方式であり、又は、前記第４の伝送モードがＭＩＭＯに基づく伝送モードであり、前記第４のＤＣＩフォーマットがＣＰ−ＯＦＤＭの多元接続方式に基づくデータ伝送をスケジューリングするために用いられ、前記第４の変調方式がｐｉ／２シフトのＢＰＳＫの変調方式である。
【０１４３】
任意選択で、前記伝送パラメータが前記第１のデータと上り制御情報ＵＣＩの多重方式を含み、前記多重方式が、前記第１のデータとＵＣＩが同じ時間領域リソースユニットに多重化されることである場合、又は、前記第１のデータとＵＣＩ周波数分割がＦＤＭの多重化を行う場合、前記ネットワークデバイスにより選択された前記ＭＣＳマッピング関係テーブル内の前記複数のＭＣＳが、第５の変調方式を含まない。
【０１４４】
任意選択で、前記第５の変調方式は、ｐｉ／２シフトのＢＰＳＫ、６４ＱＡＭ、２５６ＱＡＭ又は、１０２４ＱＡＭのいずれかを含む。
【０１４５】
任意選択で、前記端末デバイスが異なる伝送パラメータに応じて選択したＭＣＳマッピング関係テーブルが異なり、前記異なるＭＣＳマッピング関係テーブルにおいて前記目標ＭＣＳに対応する符号化率が異なる。
【０１４６】
任意選択で、前記端末デバイスが異なる伝送パラメータに応じて選択したＭＣＳマッピング関係テーブルが異なり、前記異なるＭＣＳマッピング関係テーブルに含まれるＭＣＳ指示情報の数が異なる。
【０１４７】
任意選択で、前記ネットワークデバイスが前記目標ＭＣＳに基づいて、前記第１のデータを符号化及び変調し、又は、前記第１のデータを復調及び復号することは、前記目標ＭＣＳが前記端末デバイスのサポートする最大ＭＣＳを超える場合、前記ネットワークデバイスが前記最大ＭＣＳに基づいて、前記第１のデータを符号化及び変調し、又は、前記第１のデータを復調及び復号することを含む。
【０１４８】
なお、ネットワークデバイスがＭＣＳマッピング関係テーブルを選択する過程及びＭＣＳマッピング関係テーブルの記載は、上記の図２に端末デバイスの記載を参照し、簡潔のため、ここで説明を省略する。
【０１４９】
なお、方法２００及び方法３００の説明は、互いに参照されてもよく、方法２００及び方法３００は、組み合わせて使用されてもよく、簡潔のために、ここで説明を省略する。
【０１５０】
なお、本発明の様々な実施例において、上述のプロセスの順序の大きさは、実行順序の前後を意味するものではなく、各プロセスの実行順序は、その機能及び内部ロジックにおいて決定されるべきであり、本発明の実施形態のプロセスを何ら限定するものではない。
【０１５１】
図４は本願の実施例における端末デバイス４００のブロック図である。図４に示すように、当該端末デバイス４００は、選択ユニット４１０、決定ユニット４２０及びデータ処理ユニット４３０を含む。ここで、
選択ユニット４１０は、第１のデータの伝送に使用される伝送パラメータに基づいて、使用される変調符号化方式ＭＣＳマッピング関係テーブルを選択するように構成され、前記ＭＣＳマッピング関係テーブルには複数のＭＣＳ指示情報と複数のＭＣＳとのマッピング関係が含まれ、前記伝送パラメータが、前記第１のデータの伝送のための伝送モード、前記第１のデータのスケジューリングのための下り制御情報ＤＣＩのＤＣＩフォーマット、前記第１のデータの伝送のためのサブキャリア間隔、前記第１のデータと上り制御情報ＵＣＩの多重方式のうちの少なくとも１つを含む。
【０１５２】
決定ユニット４２０は、前記ＤＣＩに含まれる目標ＭＣＳ指示情報、及び前記選択ユニット４１０により選択された前記ＭＣＳマッピング関係テーブルに基づいて、前記第１のデータに対してデータ処理を行うための目標ＭＣＳを決定するように構成され、
データ処理ユニット４３０は、前記決定ユニット４２０により決定された前記目標ＭＣＳに基づいて、前記第１のデータを符号化及び変調し、又は、前記第１のデータを復調及び復号するように構成される。
【０１５３】
これにより、端末デバイスは、データ伝送の伝送モード、ＤＣＩフォーマット、サブキャリア間隔、ＵＣＩとの多重化方式などの伝送パラメータに応じて、現在の伝送シーンに適したＭＣＳマッピング関係テーブルを選択し、ＤＣＩに含まれるＭＣＳ指示情報と、選択されたＭＣＳマッピング関係テーブルとに応じて、現在の伝送シーンで用いられているＭＣＳを効率的に決定することができる。
【０１５４】
任意選択で、前記複数のＭＣＳ指示情報内の各ＭＣＳ指示情報が１つのＭＣＳインデックスを示し、前記複数のＭＣＳ指示情報が示す複数のＭＣＳインデックスが前記複数のＭＣＳに一対一に対応する。
【０１５５】
任意選択で、前記複数のＭＣＳの各ＭＣＳが変調方式及び符号化率の情報を含む。
【０１５６】
任意選択で、前記伝送パラメータが、前記第１のデータの伝送のための伝送モードを含み、前記端末デバイスは、送受信ユニットをさらに含み、前記送受信ユニットは、ネットワークデバイスが上位レイヤシグナリングを介して送信した、前記伝送モードを示す指示情報を受信するように構成される。
【０１５７】
任意選択で、前記伝送パラメータが前記第１のデータのスケジューリングのためのＤＣＩのＤＣＩフォーマットを含み、前記決定ユニット４２０は、さらに、多種のＤＣＩフォーマットに基づいて前記ＤＣＩをブラインド検出して、前記ＤＣＩのＤＣＩフォーマットを決定するように構成される。
【０１５８】
任意選択で、前記第１のデータの伝送のための伝送モードは、単一アンテナポートに基づく伝送モード、マルチ入力マルチ出力ＭＩＭＯに基づく伝送モード、マルチアンテナポートに基づく伝送モード、単一の伝送ポイントに基づく伝送モード、又は、複数の伝送ポイントに基づく伝送モードのいずれかを含む。
【０１５９】
任意選択で、前記第１のデータのスケジューリングのための前記ＤＣＩのＤＣＩフォーマットは、単一アンテナポートでのデータ伝送、単一の伝送層のデータ伝送、マルチアンテナポートでのデータ伝送、複数の伝送層のデータ伝送、開ループＭＩＭＯに基づくデータ伝送、閉ループプリコーディングに基づくデータ伝送、フーリエ変換拡張の直交周波数分割多重ＤＦＴ−Ｓ−ＯＦＤＭの多元接続方式に基づくデータ伝送、サイクリックプレフィックス直交周波数分割多重ＣＰ−ＯＦＤＭの多元接続方式に基づくデータ伝送、単一の伝送ポイントでのデータ伝送、又は、複数の伝送ポイントでのデータ伝送のいずれかのスケジューリングのためのＤＣＩフォーマットを含む。
【０１６０】
任意選択で、前記伝送パラメータが、前記第１のデータの伝送のための伝送モードを含み、
前記伝送モードが第１の伝送モードである場合、前記端末デバイスにより選択された前記ＭＣＳマッピング関係テーブル内の前記複数のＭＣＳが、第１の変調方式を含み、前記伝送モードが第２の伝送モードである場合、前記端末デバイスにより選択された前記ＭＣＳマッピング関係テーブル内の前記複数のＭＣＳが、前記第１の変調方式を含まない。
【０１６１】
任意選択で、前記第１の伝送モードが単一アンテナポートに基づく伝送モードであり、前記第２の伝送モードがマルチアンテナポートに基づく伝送モードであり、前記第１の変調方式がｐｉ／２シフトのバイナリ位相シフトキーイングＢＰＳＫであり、又は、
前記第１の伝送モードがマルチアンテナポートに基づく伝送モードであり、前記第２の伝送モードが単一アンテナポートに基づく伝送モードであり、前記第１の変調方式が変調次数が６４直交振幅変調ＱＡＭよりも高い変調方式であり、又は、
前記第１の伝送モードが単一の伝送ポイントに基づく伝送モードであり、前記第２の伝送モードが複数の伝送ポイントに基づく伝送モードであり、前記第１の変調方式が変調次数が６４ＱＡＭよりも高い変調方式である。
【０１６２】
任意選択で、前記伝送パラメータが前記第１のデータのスケジューリングのためのＤＣＩのＤＣＩフォーマットを含み、
前記ＤＣＩのＤＣＩフォーマットが第１のＤＣＩフォーマットである場合、前記端末デバイスにより選択された前記ＭＣＳマッピング関係テーブル内の前記複数のＭＣＳが、第２の変調方式を含み、前記ＤＣＩのＤＣＩフォーマットが第２のＤＣＩフォーマットである場合、前記端末デバイスにより選択された前記ＭＣＳマッピング関係テーブル内の前記複数のＭＣＳが、前記第２の変調方式を含まない。
【０１６３】
任意選択で、前記第１のＤＣＩフォーマットが単一アンテナポートでの単一層データ伝送をスケジューリングするために用いられ、前記第２のＤＣＩフォーマットがマルチアンテナポートでの単一層又は、多層データ伝送をスケジューリングするために用いられ、前記第２の変調方式がｐｉ／２シフトのＢＰＳＫの変調方式であり、又は、
前記第１のＤＣＩフォーマットがＤＦＴ−Ｓ−ＯＦＤＭの多元接続方式に基づくデータ伝送をスケジューリングするために用いられ、前記第２のＤＣＩフォーマットがＣＰ−ＯＦＤＭの多元接続方式に基づくデータ伝送をスケジューリングするために用いられ、前記第２の変調方式がｐｉ／２シフトのＢＰＳＫの変調方式であり、又は、
前記第１のＤＣＩフォーマットがＣＰ−ＯＦＤＭの多元接続方式に基づくデータ伝送をスケジューリングするために用いられ、前記第２のＤＣＩフォーマットがＤＦＴ−Ｓ−ＯＦＤＭの多元接続方式に基づくデータ伝送をスケジューリングするために用いられ、前記第２の変調方式が６４ＱＡＭの変調方式である。
【０１６４】
任意選択で、前記伝送パラメータが、前記第１のデータの伝送のための伝送モード及び記第１のデータのスケジューリングのためのＤＣＩのＤＣＩフォーマットを含み、
前記伝送モードが第３の伝送モードであり、前記ＤＣＩのＤＣＩフォーマットが第３のＤＣＩフォーマットである場合、前記端末デバイスにより選択された前記ＭＣＳマッピング関係テーブル内の前記複数のＭＣＳが、第３の変調方式を含み、前記伝送モードが第３の伝送モードではなく、及び／又は、前記ＤＣＩのＤＣＩフォーマットが第３のＤＣＩフォーマットでない場合、前記端末デバイスにより選択された前記ＭＣＳマッピング関係テーブル内の前記複数のＭＣＳが、前記第３の変調方式を含まない。
【０１６５】
任意選択で、前記第３の伝送モードがＭＩＭＯに基づく伝送モードであり、前記第３のＤＣＩフォーマットがマルチアンテナポートでのデータ伝送をスケジューリングするために用いられ、前記第３の変調方式が２５６ＱＡＭの変調方式であり、又は、
前記第３の伝送モードが単一アンテナポートに基づく伝送モードであり、前記第３のＤＣＩフォーマットがＤＦＴ−Ｓ−ＯＦＤＭの多元接続方式に基づくデータ伝送をスケジューリングするために用いられ、前記第３の変調方式がｐｉ／２シフトのＢＰＳＫの変調方式である。
【０１６６】
任意選択で、前記伝送パラメータが、前記第１のデータの伝送のための伝送モード及び記第１のデータのスケジューリングのためのＤＣＩのＤＣＩフォーマットを含み、
前記伝送モードが第４の伝送モードであり、前記ＤＣＩのＤＣＩフォーマットが第４のＤＣＩフォーマットである場合、前記端末デバイスにより選択された前記ＭＣＳマッピング関係テーブル内の前記複数のＭＣＳが、第４の変調方式を含まなく、前記伝送モードが第４の伝送モードではなく、及び／又は、前記ＤＣＩのＤＣＩフォーマットが第４のＤＣＩフォーマットでない場合、前記端末デバイスにより選択された前記ＭＣＳマッピング関係テーブル内の前記複数のＭＣＳが、前記第４の変調方式を含む。
【０１６７】
任意選択で、前記第４の伝送モードが単一アンテナポートに基づく伝送モードであり、前記第４のＤＣＩフォーマットがＤＦＴ−Ｓ−ＯＦＤＭの多元接続方式に基づくデータ伝送をスケジューリングするために用いられ、前記第４の変調方式が２５６ＱＡＭの変調方式であり、又は、
前記第４の伝送モードがＭＩＭＯに基づく伝送モードであり、前記第４のＤＣＩフォーマットがＣＰ−ＯＦＤＭの多元接続方式に基づくデータ伝送をスケジューリングするために用いられ、前記第４の変調方式がｐｉ／２シフトのＢＰＳＫの変調方式である。
【０１６８】
任意選択で、前記伝送パラメータが前記第１のデータと上り制御情報ＵＣＩの多重方式を含み、前記多重方式が、前記第１のデータとＵＣＩが同じ時間領域リソースユニットに多重化されることである場合、又は、前記第１のデータとＵＣＩ周波数分割がＦＤＭの多重化を行う場合、前記端末デバイスにより選択された前記ＭＣＳマッピング関係テーブル内の前記複数のＭＣＳが、第５の変調方式を含まない。
【０１６９】
任意選択で、前記第５の変調方式は、ｐｉ／２シフトのＢＰＳＫ、６４ＱＡＭ、２５６ＱＡＭ又は、１０２４ＱＡＭのいずれかを含む。
【０１７０】
任意選択で、前記端末デバイスが異なる伝送パラメータに応じて選択したＭＣＳマッピング関係テーブルが異なり、前記異なるマッピング関係テーブルにおいて前記目標ＭＣＳ指示情報に対応する符号化率が異なる。
【０１７１】
任意選択で、前記端末デバイスが異なる伝送パラメータに応じて選択したＭＣＳマッピング関係テーブルが異なり、前記異なるＭＣＳマッピング関係テーブルに含まれるＭＣＳ指示情報の数が異なる。
【０１７２】
任意選択で、前記データ処理ユニット４３０は、具体的に、前記目標ＭＣＳが前記端末デバイスのサポートする最大ＭＣＳを超える場合、前記端末デバイスが前記最大ＭＣＳに基づいて、前記第１のデータを符号化及び変調し、又は、前記第１のデータを復調及び復号するように構成される。
【０１７３】
なお、端末デバイス４００は、上述した方法の実施例における端末デバイスによって実行される対応する動作を実行することができ、簡潔のために、ここで説明を省略する。
【０１７４】
図５は本願の実施例におけるネットワークデバイス５００のブロック図である。図５に示すように、当該ネットワークデバイス５００は、選択ユニット５１０、決定ユニット５２０、送受信ユニット５３０及びデータ処理ユニット５４０を含む。ここで、
選択ユニット５１０は、第１のデータの伝送に使用される伝送パラメータに基づいて、使用される変調符号化方式ＭＣＳマッピング関係テーブルを選択するように構成され、前記ＭＣＳマッピング関係テーブルには複数のＭＣＳ指示情報と複数のＭＣＳとのマッピング関係が含まれ、前記伝送パラメータが、前記第１のデータの伝送のための伝送モード、前記第１のデータのスケジューリングのための下り制御情報ＤＣＩのＤＣＩフォーマット、前記第１のデータの伝送のためのサブキャリア間隔、前記第１のデータと上り制御情報ＵＣＩの多重方式のうちの少なくとも１つを含む。
【０１７５】
決定ユニット５２０は、前記選択ユニット５１０により選択された前記ＭＣＳマッピング関係テーブル、及び前記第１のデータに対してデータ処理を行うための目標ＭＣＳに基づいて、前記ＤＣＩに含まれる目標ＭＣＳ指示情報を決定するように構成され、
送受信ユニット５３０は、前記決定ユニット５２０により決定された前記目標ＭＣＳ指示情報が含まれる前記ＤＣＩを端末デバイスに送信するように構成され、
データ処理ユニット５４０は、前記決定ユニット５２０により確定された前記目標ＭＣＳに基づいて、前記第１のデータを符号化及び変調し、又は、前記第１のデータを復調及び復号するように構成される。
【０１７６】
これにより、ネットワークデバイスは、データ伝送の伝送モード、ＤＣＩフォーマット、サブキャリア間隔、ＵＣＩとの多重化方式などの伝送パラメータに応じて、現在の伝送シーンに適したＭＣＳマッピング関係テーブルを選択し、第１データのデータ処理の目標ＭＣＳと、選択したＭＣＳマッピング関係テーブルとに応じて、送信されるＭＣＳ指示情報を決定することができ、端末デバイスは、当該ＭＣＳ指示情報に応じて、現在の伝送シーンで使用しているＭＣＳを効率的に決定することができる。
【０１７７】
任意選択で、前記複数のＭＣＳ指示情報内の各ＭＣＳ指示情報が１つのＭＣＳインデックスを示し、前記複数のＭＣＳ指示情報が示す複数のＭＣＳインデックスが前記複数のＭＣＳに一対一に対応する。
【０１７８】
任意選択で、前記複数のＭＣＳの各ＭＣＳが変調方式及び符号化率の情報を含む。
【０１７９】
任意選択で、前記第１のデータの伝送のための伝送モードは、単一アンテナポートに基づく伝送モード、マルチ入力マルチ出力ＭＩＭＯに基づく伝送モード、マルチアンテナポートに基づく伝送モード、単一の伝送ポイントに基づく伝送モード、又は、複数の伝送ポイントに基づく伝送モードのいずれかを含む。
【０１８０】
任意選択で、前記第１のデータのスケジューリングのための前記ＤＣＩのＤＣＩフォーマットは、単一アンテナポートでのデータ伝送、単一の伝送層のデータ伝送、マルチアンテナポートでのデータ伝送、複数の伝送層のデータ伝送、開ループＭＩＭＯに基づくデータ伝送、閉ループプリコーディングに基づくデータ伝送、フーリエ変換拡張の直交周波数分割多重ＤＦＴ−Ｓ−ＯＦＤＭの多元接続方式に基づくデータ伝送、サイクリックプレフィックス直交周波数分割多重ＣＰ−ＯＦＤＭの多元接続方式に基づくデータ伝送、単一の伝送ポイントでのデータ伝送、又は、複数の伝送ポイントでのデータ伝送のいずれかのスケジューリングのためのＤＣＩフォーマットを含む。
【０１８１】
任意選択で、前記伝送パラメータが、前記第１のデータの伝送のための伝送モードを含み、
前記伝送モードが第１の伝送モードである場合、前記ネットワークデバイスにより選択された前記ＭＣＳマッピング関係テーブル内の前記複数のＭＣＳが、第１の変調方式を含み、前記伝送モードが第２の伝送モードである場合、前記ネットワークデバイスにより選択された前記ＭＣＳマッピング関係テーブル内の前記複数のＭＣＳが、前記第１の変調方式を含まない。
【０１８２】
任意選択で、前記伝送パラメータが前記第１のデータのスケジューリングのためのＤＣＩのＤＣＩフォーマットを含み、
前記ＤＣＩのＤＣＩフォーマットが第１のＤＣＩフォーマットである場合、前記ネットワークデバイスにより選択された前記ＭＣＳマッピング関係テーブル内の前記複数のＭＣＳが、第２の変調方式を含み、前記ＤＣＩのＤＣＩフォーマットが第２のＤＣＩフォーマットである場合、前記ネットワークデバイスにより選択された前記ＭＣＳマッピング関係テーブル内の前記複数のＭＣＳが、前記第２の変調方式を含まない。
【０１８３】
任意選択で、前記伝送パラメータが、前記第１のデータの伝送のための伝送モード及び記第１のデータのスケジューリングのためのＤＣＩのＤＣＩフォーマットを含み、
前記伝送モードが第３の伝送モードであり、前記ＤＣＩのＤＣＩフォーマットが第３のＤＣＩフォーマットである場合、前記ネットワークデバイスにより選択された前記ＭＣＳマッピング関係テーブル内の前記複数のＭＣＳが、第３の変調方式を含み、前記伝送モードが第３の伝送モードではなく、及び／又は、前記ＤＣＩのＤＣＩフォーマットが第３のＤＣＩフォーマットでない場合、前記ネットワークデバイスにより選択された前記ＭＣＳマッピング関係テーブル内の前記複数のＭＣＳが、前記第３の変調方式を含まない。
【０１８４】
任意選択で、前記伝送パラメータが、前記第１のデータの伝送のための伝送モード及び記第１のデータのスケジューリングのためのＤＣＩのＤＣＩフォーマットを含み、
前記伝送モードが第４の伝送モードであり、前記ＤＣＩのＤＣＩフォーマットが第４のＤＣＩフォーマットである場合、前記ネットワークデバイスにより選択された前記ＭＣＳマッピング関係テーブル内の前記複数のＭＣＳが、第４の変調方式を含まない、前記伝送モードが第４の伝送モードではなく、及び／又は、前記ＤＣＩのＤＣＩフォーマットが第４のＤＣＩフォーマットでない場合、前記ネットワークデバイスにより選択された前記ＭＣＳマッピング関係テーブル内の前記複数のＭＣＳが、前記第４の変調方式を含む。
【０１８５】
任意選択で、前記伝送パラメータが前記第１のデータと上り制御情報ＵＣＩの多重方式を含み、前記多重方式が、前記第１のデータとＵＣＩが同じ時間領域リソースユニットに多重化されることである場合、又は、前記第１のデータとＵＣＩ周波数分割がＦＤＭの多重化を行う場合、前記ネットワークデバイスにより選択された前記ＭＣＳマッピング関係テーブル内の前記複数のＭＣＳが、第５の変調方式を含まない。
【０１８６】
任意選択で、前記端末デバイスが異なる伝送パラメータに応じて選択したＭＣＳマッピング関係テーブルが異なり、前記異なるＭＣＳマッピング関係テーブルにおいて前記目標ＭＣＳに対応する符号化率が異なる。
【０１８７】
任意選択で、前記端末デバイスが異なる伝送パラメータに応じて選択したＭＣＳマッピング関係テーブルが異なり、前記異なるＭＣＳマッピング関係テーブルに含まれるＭＣＳ指示情報の数が異なる。
【０１８８】
任意選択で、前記データ処理ユニット５４０は、具体的に、前記目標ＭＣＳが前記端末デバイスのサポートする最大ＭＣＳを超える場合、前記ネットワークデバイスが前記最大ＭＣＳに基づいて、前記第１のデータを符号化及び変調し、又は、前記第１のデータを復調及び復号するように構成される。
【０１８９】
なお、当該ネットワークデバイス５００は、上述した方法の実施例において、ネットワークデバイスにより実行される対応する動作を実行してもよく、簡潔のために、ここで説明を省略する。
【０１９０】
図６は、本願の実施例に係るシステムチップ６００の概略構成図である。図６のシステムチップ６００は、入力インターフェース６０１、出力インターフェース６０２、メモリ６０４内のコードを実行するプロセッサ６０３、及びメモリ６０４を含み、それらの間を内部通信接続線によって接続することができる。
【０１９１】
任意選択で、前記コードが実行されると、前記プロセッサ６０３は、上記の方法の実施形態において端末デバイスによって実行される方法２００を実装してもよい。簡潔にするために、ここで説明を省略する。
【０１９２】
任意選択で、前記コードが実行されると、前記プロセッサ６０３は、上記の方法の実施形態においてネットワークデバイスによって実行される方法３００を実装してもよい。簡潔にするために、ここで説明を省略する。
【０１９３】
図７は、本発明の実施形態に係る通信装置７００の概略構成図である。図７に示すように、通信デバイスは、プロセッサ７１０、送受信機７２０、及びメモリ７３０を備え、プロセッサ７１０、送受信機７２０、及びメモリ７３０は、内部接続経路を介して互いに通信する。メモリ７３０は、命令を格納するために使用され、プロセッサ７１０は、送受信機７２０を制御して信号を受信または送信するためにメモリ７３０に格納された命令を実行するために使用される。
【０１９４】
任意選択で、当該プロセッサ７１０は、メモリ７３０に格納されたプログラムコードを呼び出して、方法の実施形態における端末デバイスの対応する動作を実行してもよく、簡潔のためにここで説明を省略する。
【０１９５】
任意選択で、当該プロセッサ７１０は、メモリ７３０に格納されたプログラムコードを呼び出して、方法の実施形態におけるネットワークデバイスの対応する動作を実行してもよく、簡潔のためにここで説明を省略する。
【０１９６】
本願の実施形態のプロセッサは、信号の処理能力を有する集積回路チップであり得ることが理解される。実施において、上述した方法の実施形態のステップは、プロセッサ内のハードウェアの集積論理回路またはソフトウェア形態の命令によって実行されてもよい。上記のプロセッサは、汎用プロセッサ、デジタル信号プロセッサ( Ｄｉｇｉｔａｌ Ｓｉｇｎａｌ Ｐｒｏｃｅｓｓｏｒ、ＤＳＰ )、特定用途向け集積回路( Ａｐｐｌｉｃａｔｉｏｎ Ｓｐｅｃｉｆｉｃ Ｉｎｔｅｇｒａｔｅｄ Ｃｉｒｃｕｉｔ、ＡＳＩＣ )、既存のプログラマブルゲートアレイ( Ｆｉｅｌｄ Ｐｒｏｇｒａｍｍａｂｌｅ Ｇａｔｅ Ａｒｒａｙ、ＦＰＧＡ )又は他のプログラマブル論理デバイス、ディスクリートゲート又はトランジスタロジック、ディスクリートハードウェアコンポーネントであってもよい。本出願の実施形態に開示された方法、ステップ、及び論理ブロック図は、実施され得るか、又は実行され得る。汎用プロセッサはマイクロプロセッサであってもよく、プロセッサは任意の従来のプロセッサなどであってもよい。本願の実施形態に関連して開示される方法のステップは、ハードウェアデコーディングプロセッサ実行として直接的に、または、デコーディングプロセッサ内のハードウェアおよびソフトウェアモジュールの組み合わせで実行されるとして具現化され得る。ソフトウェアモジュールは、ランダムアクセスメモリ、フラッシュメモリ、読み取り専用メモリ、プログラム可能読み取り専用メモリ、または電気的に消去可能なプログラム可能メモリ、レジスタなどの当技術分野で熟練した記憶媒体内に配置され得る。この記憶媒体は、メモリに位置し、プロセッサは、メモリ内の情報を読み取り、ハードウェアとともに上述した方法のステップを実行する。
【０１９７】
本発明の実施形態におけるメモリは、揮発性メモリ又は不揮発性メモリであってもよく、或いは揮発性メモリ及び不揮発性メモリの両方を含んでもよいことが理解される。ここで、不揮発性メモリは、リードオンリーメモリ( Ｒｅａｄ-Ｏｎｌｙ Ｍｅｍｏｒｙ、ＲＯＭ )、プログラマブルリードオンリーメモリ( Ｐｒｏｇｒａｍｍａｂｌｅ ＲＯＭ、ＰＲＯＭ )、消去可能プログラマブルリードオンリーメモリ( Ｅｒａｓａｂｌｅ ＰＲＯＭ、ＥＰＲＯＭ )、電気的消去可能プログラマブルリードオンリーメモリ( Ｅｌｅｃｔｒｉｃａｌｌｙ ＥＰＲＯＭ、ＥＥＰＲＯＭ )、またはフラッシュメモリであってもよい。揮発性メモリは、外部キャッシュとして使用されるランダムアクセスメモリ( Ｒａｎｄｏｍ Ａｃｃｅｓｓ Ｍｅｍｏｒｙ、ＲＡＭ )であってよい。限定ではなく例として、ＲＡＭは、スタティックランダムアクセスメモリ( Ｓｔａｔｉｃ ＲＡＭ、ＳＲＡＭ )、ダイナミックランダムアクセスメモリ( Ｄｙｎａｍｉｃ ＲＡＭ、ＤＲＡＭ )、シンクロナスダイナミックランダムアクセスメモリ( Ｓｙｎｃｈｒｏｎｏｕｓ ＤＲＡＭ、ＳＤＲＡＭ )、ダブルデータレートシンクロナスダイナミックランダムアクセスメモリ( Ｄｏｕｂｌｅ Ｄａｔａ Ｒａｔｅ ＳＤＲＡＭ、ＤＤＲ ＳＤＲＡＭ )、エンハンスメント型シンクロナスダイナミックランダムアクセスメモリ( Ｅｎｈａｎｃｅｄ ＳＤＲＡＭ、ＥＳＤＲＡＭ )、シンクロナス接続ダイナミックランダムアクセスメモリ( Ｓｙｎｃｈｌｉｎｋ ＤＲＡＭ、ＳＬＤＲＡＭ )、及びダイレクトメモリバスランダムアクセスメモリ( Ｄｉｒｅｃｔ Ｒａｍｂｕｓ ＲＡＭ、ＤＲ ＲＡＭ )など、多くの形態で利用可能である。本明細書に記載のシステム及び方法のメモリは、これら及び任意の他の適切なタイプのメモリを含むことが意図されているが、これらに限定されないことに留意されたい。
【０１９８】
当業者は、本明細書に開示される実施形態に関連して説明される様々な例のユニットおよびアルゴリズムステップが、電子ハードウェア、またはコンピュータソフトウェアと電子ハードウェアとの組合せで実装され得ることを認識するであろう。これらの機能は、技術案の特定の適用例および設計制約に応じて、ハードウェアまたはソフトウェアのいずれで実行されるかに依存する。当業者は、説明された機能を実施するために、特定のアプリケーションごとに異なる方法を使用し得るが、そのような実施は、本開示の範囲から逸脱するものと考えられるべきではない。
【０１９９】
当業者であれば、説明の便宜及び簡潔にするために、上記に説明されたシステム、装置及びユニットの特定の動作プロセスが、前述の方法の実施形態における対応するプロセスを参照してよく、ここでその説明が省略されることを理解するであろう。
【０２００】
本明細書で提供されるいくつかの実施形態では、開示されるシステム、装置、および方法は、他の方法で実現されてもよいことが理解されるべきである。例えば、上記の装置の実施形態は、単に例示的なものであり、例えば、ユニットの分割は、１つの論理的機能の分割にすぎず、実際の実装では、別の分割方法があり得、例えば、複数のユニット又はコンポーネントが、組み合わされてもよいし、別のシステムに統合されてもよいし、又はいくつかの特徴が省略されてもよいし、又は実行されなくてもよい。別の点では、表示または議論される相互間の結合または直接的な結合または通信接続は、何らかのインターフェース、デバイスまたはユニットを介した間接的な結合または通信接続であってもよく、電気的、機械的、または他の形態であってもよい。
【０２０１】
上記分離手段として説明したユニットは、物理的に分離していてもいなくてもよく、ユニットとして表示する手段は、物理的なユニットであってもなくてもよく、１箇所にあってもよく、あるいは複数のネットワークユニットに分散していてもよい。また、本実施形態の目的は、必要に応じて各部の一部又は全部を選択して実施することができる。
【０２０２】
また、本発明の各実施例における各機能部は、１つの処理部に集積されてもよいし、各部は、物理的に別個に存在してもよいし、２つ以上の部が１つの部に集積されてもよい。
【０２０３】
また、ソフトウェア的な機能単位で実現され、独立した製品として販売又は使用される場合には、コンピュータ読み取り可能な記録媒体に格納されてもよい。このような理解に基づいて、本発明の技術的解決策の本質または従来技術に寄与する部分、または本発明の技術的解決策の部分は、１つのコンピュータデバイス(パーソナルコンピュータ、サーバ、またはネットワークデバイスなどであり得る)に本発明の様々な実施形態に記載された方法のステップの全てまたは一部を実行させるための複数の命令を含む１つの記憶媒体に記憶されたソフトウェア製品の形態で具現化され得る。なお、前記記憶媒体としては、U-ディスク、リムーバブルハードディスク、Ｒｅａｄ-Ｏｎｌｙ Ｍｅｍｏｒｙ、ＲＯＭ、ＲＡＭ、磁気ディスク、光ディスク等のプログラムコードを記憶できる種々の媒体を用いることができる。
【０２０４】
以上、本発明の具体的な実施形態を説明したが、本発明の技術的範囲はこれに限定されるものではなく、本発明が属する技術分野で通常の知識を有する者であれば、本発明の技術的範囲内で容易に変更や置換をなし得ることは勿論である。したがって、本発明の保護範囲は、特許請求の範囲によって定義されるべきである。
【図１】
2021500773.tif 000006
【図２】
2021500773.tif 000007
【図３】
2021500773.tif 000008
【図４】
2021500773.tif 000009
【図５】
2021500773.tif 000010
【図６】
2021500773.tif 000011
【図７】
2021500773.tif 000012
【手続補正書】
【提出日】令和2年8月13日(2020.8.13)
【手続補正１】
【補正対象書類名】明細書
【補正対象項目名】全文
【補正方法】変更
【補正の内容】
【発明の詳細な説明】
【技術分野】
【０００１】
本願の実施例は、無線通信分野に関し、具体的に、データ処理方法、端末デバイス及びネットワークデバイスに関する。
【背景技術】
【０００２】
５Ｇ新しい無線( Ｎｅｗ Ｒａｄｉｏ、ＮＲ )システムでは、ｐｉ/２シフトのバイナリ位相シフトキーイング( Ｂｉｎａｒｙ Ｐｈａｓｅ Ｓｈｉｆｔ Ｋｅｙｉｎｇ、ＢＰＳＫ )および２５６直交振幅変調( Ｑｕａｄｒａｔｕｒｅ Ａｍｐｌｉｔｕｄｅ Ｍｏｄｕｌａｔｉｏｎ、ＱＡＭ )の２つの新しい変調方式が導入され、又は、これから１０２４ＱＡＭのような他のより高次の変調方式も、後続の進化においてサポートされる。
【０００３】
ここで、ｐｉ／２シフトのＢＰＳＫは、信号対ノイズ比が極めて低いシーンで使用され、この場合、端末はフーリエ変換拡散による直交周波数分割多重( Ｄｉｓｃｒｅｔｅ Ｆｏｕｒｉｅｒ Ｔｒａｎｓｆｏｒｍ Ｓｐｒｅａｄ Ｏｒｔｈｏｇｏｎａｌ Ｆｒｅｑｕｅｎｃｙ Ｄｉｖｉｓｉｏｎ Ｍｕｌｔｉｐｌｅｘｉｎｇ、ＤＦＴ−ｓ−ＯＦＤＭ )の多元接続方式を採用できる。２５６ＱＡＭは主に信号対ノイズ比の高いシーンで使用され、この場合、端末はサイクリックプレフィックス直交周波数分割多重( Ｃｙｃｌｉｃ Ｐｒｅｆｉｘ Ｏｒｔｈｏｇｏｎａｌ Ｆｒｅｑｕｅｎｃｙ Ｄｉｖｉｓｉｏｎ Ｍｕｌｔｉｐｌｅｘｉｎｇ、ＣＰ−ＯＦＤＭ )の多元接続方式を採用できる。これらの変調方式は適用場面が異なるため、変調符号化方式の選択が解決すべきの課題となっている。
【発明の概要】
【０００４】
本願の実施例は、異なる伝送シーンで用いられる変調符号化方式を効率的に決定することができるデータ処理方法、端末デバイス及びネットワークデバイスを提供する。
【０００５】
第１の態様は、データ処理方法を提供し、端末デバイスが第１のデータの伝送に使用される伝送パラメータに基づいて、使用される変調符号化方式ＭＣＳマッピング関係テーブルを選択することと、前記端末デバイスが前記ＤＣＩに含まれる目標ＭＣＳ指示情報、及び前記ＭＣＳマッピング関係テーブルに基づいて、前記第１のデータに対してデータ処理を行うための目標ＭＣＳを決定することと、前記端末デバイスが前記目標ＭＣＳに基づいて、前記第１のデータを符号化及び変調し、又は、前記第１のデータを復調及び復号することとを含み、前記ＭＣＳマッピング関係テーブルには複数のＭＣＳ指示情報と複数のＭＣＳとのマッピング関係が含まれ、前記伝送パラメータが、前記第１のデータの伝送のための伝送モード、前記第１のデータのスケジューリングのための下り制御情報ＤＣＩのＤＣＩフォーマット、前記第１のデータの伝送のためのサブキャリア間隔、前記第１のデータと上り制御情報ＵＣＩの多重方式のうちの少なくとも１つを含む。
【０００６】
これにより、端末デバイスは、データ伝送の伝送モード、ＤＣＩフォーマット、サブキャリア間隔、ＵＣＩとの多重化方式などの伝送パラメータに応じて、現在の伝送シーンに適したＭＣＳマッピング関係テーブルを選択し、ＤＣＩに含まれるＭＣＳ指示情報と、選択されたＭＣＳマッピング関係テーブルとに応じて、現在の伝送シーンで用いられているＭＣＳを効率的に決定することができる。
【０００７】
一実現可能な方式において、前記複数のＭＣＳ指示情報内の各ＭＣＳ指示情報が１つのＭＣＳインデックスを示し、前記複数のＭＣＳ指示情報が示す複数のＭＣＳインデックスが前記複数のＭＣＳに一対一に対応する。
【０００８】
一実現可能な方式において、前記複数のＭＣＳの各ＭＣＳが変調方式及び符号化率の情報を含む。
【０００９】
一実現可能な方式において、前記伝送パラメータが、前記第１のデータの伝送のための伝送モードを含み、前記端末デバイスが第１のデータの伝送に使用される伝送パラメータに基づいて、使用されるＭＣＳマッピング関係テーブルを選択する前に、前記方法は、さらに、前記端末デバイスが、ネットワークデバイスにより上位レイヤシグナリングを介して送信した、前記伝送モードを示す指示情報を受信することを含む。
【００１０】
一実現可能な方式において、前記伝送パラメータが前記第１のデータのスケジューリングのためのＤＣＩのＤＣＩフォーマットを含み、前記端末デバイスが第１のデータの伝送に使用される伝送パラメータに基づいて、使用されるＭＣＳマッピング関係テーブルを選択する前に、前記方法は、さらに、前記端末デバイスが多種のＤＣＩフォーマットに基づいて、前記ＤＣＩをブラインド検出して、前記ＤＣＩのＤＣＩフォーマットを決定することを含む。
【００１１】
一実現可能な方式において、前記第１のデータの伝送のための伝送モードは、単一アンテナポートに基づく伝送モード、マルチ入力マルチ出力ＭＩＭＯに基づく伝送モード、マルチアンテナポートに基づく伝送モード、単一の伝送ポイントに基づく伝送モード、又は、複数の伝送ポイントに基づく伝送モードのいずれかを含む。
【００１２】
一実現可能な方式において、前記第１のデータのスケジューリングのための前記ＤＣＩのＤＣＩフォーマットは、単一アンテナポートでのデータ伝送、単一の伝送層のデータ伝送、マルチアンテナポートでのデータ伝送、複数の伝送層のデータ伝送、開ループＭＩＭＯに基づくデータ伝送、閉ループプリコーディングに基づくデータ伝送、フーリエ変換拡張の直交周波数分割多重ＤＦＴ−Ｓ−ＯＦＤＭの多元接続方式に基づくデータ伝送、サイクリックプレフィックス直交周波数分割多重ＣＰ−ＯＦＤＭの多元接続方式に基づくデータ伝送、単一の伝送ポイントでのデータ伝送、又は、複数の伝送ポイントでのデータ伝送のいずれかのスケジューリングのためのＤＣＩフォーマットを含む。
【００１３】
一実現可能な方式において、前記伝送パラメータが、前記第１のデータの伝送のための伝送モードを含み、
前記伝送モードが第１の伝送モードである場合、前記端末デバイスにより選択された前記ＭＣＳマッピング関係テーブル内の前記複数のＭＣＳが、第１の変調方式を含み、前記伝送モードが第２の伝送モードである場合、前記端末デバイスにより選択された前記ＭＣＳマッピング関係テーブル内の前記複数のＭＣＳが、前記第１の変調方式を含まない。
【００１４】
一実現可能な方式において、前記第１の伝送モードが単一アンテナポートに基づく伝送モードであり、前記第２の伝送モードがマルチアンテナポートに基づく伝送モードであり、前記第１の変調方式がｐｉ／２シフトのバイナリ位相シフトキーイングＢＰＳＫであり、又は、前記第１の伝送モードがマルチアンテナポートに基づく伝送モードであり、前記第２の伝送モードが単一アンテナポートに基づく伝送モードであり、前記第１の変調方式が変調次数が６４直交振幅変調ＱＡＭよりも高い変調方式であり、又は、前記第１の伝送モードが単一の伝送ポイントに基づく伝送モードであり、前記第２の伝送モードが複数の伝送ポイントに基づく伝送モードであり、前記第１の変調方式が変調次数が６４ＱＡＭよりも高い変調方式である。
【００１５】
一実現可能な方式において、前記伝送パラメータが前記第１のデータのスケジューリングのためのＤＣＩのＤＣＩフォーマットを含み、
前記ＤＣＩのＤＣＩフォーマットが第１のＤＣＩフォーマットである場合、前記端末デバイスにより選択された前記ＭＣＳマッピング関係テーブル内の前記複数のＭＣＳが、第２の変調方式を含み、前記ＤＣＩのＤＣＩフォーマットが第２のＤＣＩフォーマットである場合、前記端末デバイスにより選択された前記ＭＣＳマッピング関係テーブル内の前記複数のＭＣＳが、前記第２の変調方式を含まない。
【００１６】
一実現可能な方式において、前記第１のＤＣＩフォーマットが単一アンテナポートでの単一層データ伝送をスケジューリングするために用いられ、前記第２のＤＣＩフォーマットがマルチアンテナポートでの単一層又は、多層データ伝送をスケジューリングするために用いられ、前記第２の変調方式がｐｉ／２シフトのＢＰＳＫの変調方式であり、又は、前記第１のＤＣＩフォーマットがＤＦＴ−Ｓ−ＯＦＤＭの多元接続方式に基づくデータ伝送をスケジューリングするために用いられ、前記第２のＤＣＩフォーマットがＣＰ−ＯＦＤＭの多元接続方式に基づくデータ伝送をスケジューリングするために用いられ、前記第２の変調方式がｐｉ／２シフトのＢＰＳＫの変調方式であり、又は、前記第１のＤＣＩフォーマットがＣＰ−ＯＦＤＭの多元接続方式に基づくデータ伝送をスケジューリングするために用いられ、前記第２のＤＣＩフォーマットがＤＦＴ−Ｓ−ＯＦＤＭの多元接続方式に基づくデータ伝送をスケジューリングするために用いられ、前記第２の変調方式が６４ＱＡＭの変調方式である。
【００１７】
一実現可能な方式において、前記伝送パラメータが、前記第１のデータの伝送のための伝送モード及び記第１のデータのスケジューリングのためのＤＣＩのＤＣＩフォーマットを含み、
前記伝送モードが第３の伝送モードであり、前記ＤＣＩのＤＣＩフォーマットが第３のＤＣＩフォーマットである場合、前記端末デバイスにより選択された前記ＭＣＳマッピング関係テーブル内の前記複数のＭＣＳが、第３の変調方式を含み、前記伝送モードが第３の伝送モードではなく、及び／又は、前記ＤＣＩのＤＣＩフォーマットが第３のＤＣＩフォーマットでない場合、前記端末デバイスにより選択された前記ＭＣＳマッピング関係テーブル内の前記複数のＭＣＳが、前記第３の変調方式を含まない。
【００１８】
一実現可能な方式において、前記第３の伝送モードがＭＩＭＯに基づく伝送モードであり、前記第３のＤＣＩフォーマットがマルチアンテナポートでのデータ伝送をスケジューリングするために用いられ、前記第３の変調方式が２５６ＱＡＭの変調方式であり、又は、
前記第３の伝送モードが単一アンテナポートに基づく伝送モードであり、前記第３のＤＣＩフォーマットがＤＦＴ−Ｓ−ＯＦＤＭの多元接続方式に基づくデータ伝送をスケジューリングするために用いられ、前記第３の変調方式がｐｉ／２シフトのＢＰＳＫの変調方式である。
【００１９】
一実現可能な方式において、前記伝送パラメータが、前記第１のデータの伝送のための伝送モード及び記第１のデータのスケジューリングのためのＤＣＩのＤＣＩフォーマットを含み、
前記伝送モードが第４の伝送モードであり、前記ＤＣＩのＤＣＩフォーマットが第４のＤＣＩフォーマットである場合、前記端末デバイスにより選択された前記ＭＣＳマッピング関係テーブル内の前記複数のＭＣＳが、第４の変調方式を含まなく、前記伝送モードが第４の伝送モードではなく、及び／又は、前記ＤＣＩのＤＣＩフォーマットが第４のＤＣＩフォーマットでない場合、前記端末デバイスにより選択された前記ＭＣＳマッピング関係テーブル内の前記複数のＭＣＳが、前記第４の変調方式を含む。
【００２０】
一実現可能な方式において、前記第４の伝送モードが単一アンテナポートに基づく伝送モードであり、前記第４のＤＣＩフォーマットがＤＦＴ−Ｓ−ＯＦＤＭの多元接続方式に基づくデータ伝送をスケジューリングするために用いられ、前記第４の変調方式が２５６ＱＡＭの変調方式であり、又は、前記第４の伝送モードがＭＩＭＯに基づく伝送モードであり、前記第４のＤＣＩフォーマットがＣＰ−ＯＦＤＭの多元接続方式に基づくデータ伝送をスケジューリングするために用いられ、前記第４の変調方式がｐｉ／２シフトのＢＰＳＫの変調方式である。
【００２１】
一実現可能な方式において、前記伝送パラメータが前記第１のデータと上り制御情報ＵＣＩの多重方式を含み、
前記多重方式が、前記第１のデータとＵＣＩが同じ時間領域リソースユニットに多重化されることである場合、又は、前記第１のデータとＵＣＩ周波数分割がＦＤＭの多重化を行う場合、前記端末デバイスにより選択された前記ＭＣＳマッピング関係テーブル内の前記複数のＭＣＳが、第５の変調方式を含まない。
【００２２】
一実現可能な方式において、前記第５の変調方式は、ｐｉ／２シフトのＢＰＳＫ、６４ＱＡＭ、２５６ＱＡＭ又は、１０２４ＱＡＭのいずれかを含む。
【００２３】
一実現可能な方式において、前記端末デバイスが異なる伝送パラメータに応じて選択したＭＣＳマッピング関係テーブルが異なり、前記異なるマッピング関係テーブルにおいて前記目標ＭＣＳ指示情報に対応する符号化率が異なる。
【００２４】
一実現可能な方式において、前記端末デバイスが異なる伝送パラメータに応じて選択したＭＣＳマッピング関係テーブルが異なり、前記異なるＭＣＳマッピング関係テーブルに含まれるＭＣＳ指示情報の数が異なる。
【００２５】
一実現可能な方式において、前記端末デバイスが前記目標ＭＣＳに基づいて、前記第１のデータを符号化及び変調し、又は、前記第１のデータを復調及び復号することは、前記目標ＭＣＳが前記端末デバイスのサポートする最大ＭＣＳを超える場合、前記端末デバイスが前記最大ＭＣＳに基づいて、前記第１のデータを符号化及び変調し、又は、前記第１のデータを復調及び復号することを含む。
【００２６】
第２の態様は、データ処理方法を提供し、ネットワークデバイスが第１のデータの伝送に使用される伝送パラメータに基づいて、使用される変調符号化方式ＭＣＳマッピング関係テーブルを選択することと、前記ネットワークデバイスが前記ＭＣＳマッピング関係テーブル及び前記第１のデータに対してデータ処理を行うための目標ＭＣＳに基づいて、前記ＤＣＩに含まれる目標ＭＣＳ指示情報を決定することと、前記ネットワークデバイスが前記目標ＭＣＳ指示情報が含まれる前記ＤＣＩを端末デバイスに送信することと、前記ネットワークデバイスが前記目標ＭＣＳに基づいて、前記第１のデータを符号化及び変調し、又は、前記第１のデータを復調及び復号することとを含み、前記ＭＣＳマッピング関係テーブルには複数のＭＣＳ指示情報と複数のＭＣＳとのマッピング関係が含まれ、前記伝送パラメータが、前記第１のデータの伝送のための伝送モード、前記第１のデータのスケジューリングのための下り制御情報ＤＣＩのＤＣＩフォーマット、前記第１のデータの伝送のためのサブキャリア間隔、前記第１のデータと上り制御情報ＵＣＩの多重方式のうちの少なくとも１つを含む。
【００２７】
これにより、ネットワークデバイスは、データ伝送の伝送モード、ＤＣＩフォーマット、サブキャリア間隔、ＵＣＩとの多重化方式などの伝送パラメータに応じて、現在の伝送シーンに適したＭＣＳマッピング関係テーブルを選択し、第１データのデータ処理の目標ＭＣＳと、選択したＭＣＳマッピング関係テーブルとに応じて、送信されるＭＣＳ指示情報を決定することができ、端末デバイスは、当該ＭＣＳ指示情報に応じて、現在の伝送シーンで使用しているＭＣＳを効率的に決定することができる。
【００２８】
一実現可能な方式において、前記複数のＭＣＳ指示情報内の各ＭＣＳ指示情報が１つのＭＣＳインデックスを示し、前記複数のＭＣＳ指示情報が示す複数のＭＣＳインデックスが前記複数のＭＣＳに一対一に対応する。
【００２９】
一実現可能な方式において、前記複数のＭＣＳの各ＭＣＳが変調方式及び符号化率の情報を含む。
【００３０】
一実現可能な方式において、前記第１のデータの伝送のための伝送モードは、単一アンテナポートに基づく伝送モード、マルチ入力マルチ出力ＭＩＭＯに基づく伝送モード、マルチアンテナポートに基づく伝送モード、単一の伝送ポイントに基づく伝送モード、又は、複数の伝送ポイントに基づく伝送モードのいずれかを含む。
【００３１】
一実現可能な方式において、前記第１のデータのスケジューリングのための前記ＤＣＩのＤＣＩフォーマットは、単一アンテナポートでのデータ伝送、単一の伝送層のデータ伝送、マルチアンテナポートでのデータ伝送、複数の伝送層のデータ伝送、開ループＭＩＭＯに基づくデータ伝送、閉ループプリコーディングに基づくデータ伝送、フーリエ変換拡張の直交周波数分割多重ＤＦＴ−Ｓ−ＯＦＤＭの多元接続方式に基づくデータ伝送、サイクリックプレフィックス直交周波数分割多重ＣＰ−ＯＦＤＭの多元接続方式に基づくデータ伝送、単一の伝送ポイントでのデータ伝送、又は、複数の伝送ポイントでのデータ伝送のいずれかのスケジューリングのためのＤＣＩフォーマットを含む。
【００３２】
一実現可能な方式において、前記伝送パラメータが、前記第１のデータの伝送のための伝送モードを含み、
前記伝送モードが第１の伝送モードである場合、前記ネットワークデバイスにより選択された前記ＭＣＳマッピング関係テーブル内の前記複数のＭＣＳが、第１の変調方式を含み、前記伝送モードが第２の伝送モードである場合、前記ネットワークデバイスにより選択された前記ＭＣＳマッピング関係テーブル内の前記複数のＭＣＳが、前記第１の変調方式を含まない。
【００３３】
一実現可能な方式において、前記第１の伝送モードが単一アンテナポートに基づく伝送モードであり、前記第２の伝送モードがマルチアンテナポートに基づく伝送モードであり、前記第１の変調方式がｐｉ／２シフトのバイナリ位相シフトキーイングＢＰＳＫであり、又は、前記第１の伝送モードがマルチアンテナポートに基づく伝送モードであり、前記第２の伝送モードが単一アンテナポートに基づく伝送モードであり、前記第１の変調方式が変調次数が６４直交振幅変調ＱＡＭよりも高い変調方式であり、又は、前記第１の伝送モードが単一の伝送ポイントに基づく伝送モードであり、前記第２の伝送モードが複数の伝送ポイントに基づく伝送モードであり、前記第１の変調方式が変調次数が６４ＱＡＭよりも高い変調方式である。
【００３４】
一実現可能な方式において、前記伝送パラメータが前記第１のデータのスケジューリングのためのＤＣＩのＤＣＩフォーマットを含み、
前記ＤＣＩのＤＣＩフォーマットが第１のＤＣＩフォーマットである場合、前記ネットワークデバイスにより選択された前記ＭＣＳマッピング関係テーブル内の前記複数のＭＣＳが、第２の変調方式を含み、前記ＤＣＩのＤＣＩフォーマットが第２のＤＣＩフォーマットである場合、前記ネットワークデバイスにより選択された前記ＭＣＳマッピング関係テーブル内の前記複数のＭＣＳが、前記第２の変調方式を含まない。
【００３５】
一実現可能な方式において、前記第１のＤＣＩフォーマットが単一アンテナポートでの単一層データ伝送をスケジューリングするために用いられ、前記第２のＤＣＩフォーマットがマルチアンテナポートでの単一層又は、多層データ伝送をスケジューリングするために用いられ、前記第２の変調方式がｐｉ／２シフトのＢＰＳＫの変調方式であり、又は、前記第１のＤＣＩフォーマットがＤＦＴ−Ｓ−ＯＦＤＭの多元接続方式に基づくデータ伝送をスケジューリングするために用いられ、前記第２のＤＣＩフォーマットがＣＰ−ＯＦＤＭの多元接続方式に基づくデータ伝送をスケジューリングするために用いられ、前記第２の変調方式がｐｉ／２シフトのＢＰＳＫの変調方式であり、又は、前記第１のＤＣＩフォーマットがＣＰ−ＯＦＤＭの多元接続方式に基づくデータ伝送をスケジューリングするために用いられ、前記第２のＤＣＩフォーマットがＤＦＴ−Ｓ−ＯＦＤＭの多元接続方式に基づくデータ伝送をスケジューリングするために用いられ、前記第２の変調方式が６４ＱＡＭの変調方式である。
【００３６】
一実現可能な方式において、前記伝送パラメータが、前記第１のデータの伝送のための伝送モード及び記第１のデータのスケジューリングのためのＤＣＩのＤＣＩフォーマットを含み、
前記伝送モードが第３の伝送モードであり、前記ＤＣＩのＤＣＩフォーマットが第３のＤＣＩフォーマットである場合、前記ネットワークデバイスにより選択された前記ＭＣＳマッピング関係テーブル内の前記複数のＭＣＳが、第３の変調方式を含み、前記伝送モードが第３の伝送モードではなく、及び／又は、前記ＤＣＩのＤＣＩフォーマットが第３のＤＣＩフォーマットでない場合、前記ネットワークデバイスにより選択された前記ＭＣＳマッピング関係テーブル内の前記複数のＭＣＳが、前記第３の変調方式を含まない。
【００３７】
一実現可能な方式において、前記第３の伝送モードがＭＩＭＯに基づく伝送モードであり、前記第３のＤＣＩフォーマットがマルチアンテナポートでのデータ伝送をスケジューリングするために用いられ、前記第３の変調方式が２５６ＱＡＭの変調方式であり、又は、前記第３の伝送モードが単一アンテナポートに基づく伝送モードであり、前記第３のＤＣＩフォーマットがＤＦＴ−Ｓ−ＯＦＤＭの多元接続方式に基づくデータ伝送をスケジューリングするために用いられ、前記第３の変調方式がｐｉ／２シフトのＢＰＳＫの変調方式である。
【００３８】
一実現可能な方式において、前記伝送パラメータが、前記第１のデータの伝送のための伝送モード及び記第１のデータのスケジューリングのためのＤＣＩのＤＣＩフォーマットを含み、
前記伝送モードが第４の伝送モードであり、前記ＤＣＩのＤＣＩフォーマットが第４のＤＣＩフォーマットである場合、前記ネットワークデバイスにより選択された前記ＭＣＳマッピング関係テーブル内の前記複数のＭＣＳが、第４の変調方式を含まなく、前記伝送モードが第４の伝送モードではなく、及び／又は、前記ＤＣＩのＤＣＩフォーマットが第４のＤＣＩフォーマットでない場合、前記ネットワークデバイスにより選択された前記ＭＣＳマッピング関係テーブル内の前記複数のＭＣＳが、前記第４の変調方式を含む。
【００３９】
一実現可能な方式において、前記第４の伝送モードが単一アンテナポートに基づく伝送モードであり、前記第４のＤＣＩフォーマットがＤＦＴ−Ｓ−ＯＦＤＭの多元接続方式に基づくデータ伝送をスケジューリングするために用いられ、前記第４の変調方式が２５６ＱＡＭの変調方式であり、又は、前記第４の伝送モードがＭＩＭＯに基づく伝送モードであり、前記第４のＤＣＩフォーマットがＣＰ−ＯＦＤＭの多元接続方式に基づくデータ伝送をスケジューリングするために用いられ、前記第４の変調方式がｐｉ／２シフトのＢＰＳＫの変調方式である。
【００４０】
一実現可能な方式において、前記伝送パラメータが前記第１のデータと上り制御情報ＵＣＩの多重方式を含み、前記多重方式が、前記第１のデータとＵＣＩが同じ時間領域リソースユニットに多重化されることである場合、又は、前記第１のデータとＵＣＩ周波数分割がＦＤＭの多重化を行う場合、前記ネットワークデバイスにより選択された前記ＭＣＳマッピング関係テーブル内の前記複数のＭＣＳが、第５の変調方式を含まない。
【００４１】
一実現可能な方式において、前記第５の変調方式は、ｐｉ／２シフトのＢＰＳＫ、６４ＱＡＭ、２５６ＱＡＭ又は、１０２４ＱＡＭのいずれかを含む。
【００４２】
一実現可能な方式において、前記端末デバイスが異なる伝送パラメータに応じて選択したＭＣＳマッピング関係テーブルが異なり、前記異なるＭＣＳマッピング関係テーブルにおいて前記目標ＭＣＳに対応する符号化率が異なる。
【００４３】
一実現可能な方式において、前記端末デバイスが異なる伝送パラメータに応じて選択したＭＣＳマッピング関係テーブルが異なり、前記異なるＭＣＳマッピング関係テーブルに含まれるＭＣＳ指示情報の数が異なる。
【００４４】
一実現可能な方式において、前記ネットワークデバイスが前記目標ＭＣＳに基づいて、前記第１のデータを符号化及び変調し、又は、前記第１のデータを復調及び復号することは、前記目標ＭＣＳが前記端末デバイスのサポートする最大ＭＣＳを超える場合、前記ネットワークデバイスが前記最大ＭＣＳに基づいて、前記第１のデータを符号化及び変調し、又は、前記第１のデータを復調及び復号することを含む。
【００４５】
第３の態様は、上記第１の態様又は第１の態様の任意の実現態様における端末デバイスの動作を実行することができる端末デバイスが提供される。具体的には、当該端末デバイスは、上記の第１の態様又は第１の態様の任意の可能な実現形態における端末デバイスの動作を実行するためのモジュールユニットを含み得る。
【００４６】
第４の態様は、上記第２の態様又は第２の態様の任意の実現態様におけるネットワークデバイスの動作を実行することができるネットワークデバイスが提供される。具体的には、当該ネットワークデバイスは、上記の第２の態様又は第２の態様の任意の可能な実現形態におけるネットワークデバイスの動作を実行するためのモジュールユニットを含み得る。
【００４７】
第５の態様は、プロセッサと、送受信機と、メモリとを備える端末デバイスを提供する。ここで、プロセッサ、送受信機、およびメモリは、内部接続経路を介して互いに通信する。メモリは、命令を記憶するために使用され、プロセッサは、メモリに記憶された命令を実行するために使用される。当該プロセッサが当該メモリに記憶された命令を実行すると、端末デバイスに、第１の態様または第１の態様の任意の可能な実現形態における方法を実行させるか、または、端末デバイスに、第３の態様で提供される端末デバイスを実装させる。
【００４８】
第６の態様は、プロセッサと、送受信機と、メモリとを備えるネットワークデバイスを提供する。ここで、プロセッサ、送受信機、およびメモリは、内部接続経路を介して互いに通信する。メモリは、命令を記憶するために使用され、プロセッサは、メモリに記憶された命令を実行するために使用される。当該プロセッサが当該メモリに記憶された命令を実行すると、ネットワークデバイスに、第２の態様または第２の態様の任意の可能な実現形態における方法を実行させるか、または、ネットワークデバイスに、第４の態様で提供されるネットワーク末デバイスを実装させる。
【００４９】
第７の態様は、上記第１の態様及びその様々な実施態様のいずれかのデータ処理を端末デバイスに実行させるためのプログラムを記憶したコンピュータ可読記憶媒体を提供する。
【００５０】
第８の態様は、上記第２の態様及びその様々な実施態様のいずれかのデータ処理をネットワークデバイスに実行させるためのプログラムを記憶したコンピュータ可読記憶媒体を提供する。
【００５１】
第９の態様は、入力インターフェースと、出力インターフェースと、プロセッサと、メモリとを含むシステムチップを提供し、当該プロセッサは、当該メモリに記憶された命令を実行し、当該命令が実行されると、当該プロセッサは、第１の態様または第１の態様の任意の可能な実装形態における方法を実現する。
【００５２】
第１０の態様は、入力インターフェースと、出力インターフェースと、プロセッサと、メモリとを含むシステムチップを提供し、当該プロセッサは、当該メモリに記憶された命令を実行し、当該命令が実行されると、当該プロセッサは、第２の態様または第２の態様の任意の可能な実装形態における方法を実現する。
【００５３】
第１１の態様は、命令を含むコンピュータプログラム製品を提供し、当該コンピュータプログラム製品がコンピュータ上で実行されると、当該コンピュータに、第１の態様または第１の態様の任意の可能な実装形態における方法を実行させる。
【００５４】
第１２の態様は、命令を含むコンピュータプログラム製品を提供し、当該コンピュータプログラム製品がコンピュータ上で実行されると、当該コンピュータに、第２の態様または第２の態様の任意の可能な実装形態における方法を実行させる。
【図面の簡単な説明】
【００５５】
【図１】本願の実施例における応用シーンの構成図である。
【図２】本願の実施例におけるデータ処理方法のフローチャートである。
【図３】本願の実施例におけるデータ処理方法のフローチャートである。
【図４】本願の実施例における端末デバイスのブロック図である。
【図５】本願の実施例におけるネットワークデバイスのブロック図である。
【図６】本願の実施例におけるシステムチップの構成図である。
【図７】本願の実施例における通信デバイスの構成図である。
【発明を実施するための形態】
【００５６】
以下、本発明の実施の形態について図面を参照して説明する。
【００５７】
なお、本願の実施形態の技術は、例えば、移動体通信システム( Ｇｌｏｂａｌ Ｓｙｓｔｅｍ ｏｆ Ｍｏｂｉｌｅ Ｃｏｍｍｕｎｉｃａｔｉｏｎ、ＧＳＭ )、符号分割多元接続( Ｃｏｄｅ Ｄｉｖｉｓｉｏｎ Ｍｕｌｔｉｐｌｅ Ａｃｃｅｓｓ、ＣＤＭＡ )システム、広帯域符号分割多元接続( Ｗｉｄｅｂａｎｄ Ｃｏｄｅ Ｄｉｖｉｓｉｏｎ Ｍｕｌｔｉｐｌｅ Ａｃｃｅｓｓ、ＷＣＤＭＡ )システム、ロングタームエボリューション( Ｌｏｎｇ Ｔｅｒｍ Ｅｖｏｌｕｔｉｏｎ、ＬＴＥ )システム、LTE周波数分割複信( Ｆｒｅｑｕｅｎｃｙ Ｄｉｖｉｓｉｏｎ Ｄｕｐｌｅｘ、ＦＤＤ )システム、LTE時分割複信( Ｔｉｍｅ  Ｄｉｖｉｓｉｏｎ  Ｄｕｐｌｅｘ、ＴＤＤ )、ユニバーサル移動体通信システム( Ｕｎｉｖｅｒｓａｌ Ｍｏｂｉｌｅ Ｔｅｌｅｃｏｍｍｕｎｉｃａｔｉｏｎ Ｓｙｓｔｅｍ、ＵＭＴＳ )、将来の５Ｇ通信システム等の様々な通信システムに適用可能である。
【００５８】
本願は、端末デバイスに関連して様々な実施形態を説明している。端末デバイスは、ユーザ装置( Ｕｓｅｒ Ｅｑｕｉｐｍｅｎｔ、ＵＥ )、アクセス端末、ユーザ装置、ユーザ局、移動局、リモート端末、モバイル装置、ユーザ端末、無線通信装置、ユーザエージェント又はユーザ装置を指してもよい。アクセス端末は、セルラー電話、コードレス電話、セッション開始プロトコル( Ｓｅｓｓｉｏｎ Ｉｎｉｔｉａｔｉｏｎ Ｐｒｏｔｏｃｏｌ、ＳＩＰ )電話、ワイヤレスローカルループ( Ｗｉｒｅｌｅｓｓ Ｌｏｃａｌ Ｌｏｏｐ、ＷＬＬ )局、パーソナルデジタル処理( Ｐｅｒｓｏｎａｌ Ｄｉｇｉｔａｌ Ａｓｓｉｓｔａｎｔ、ＰＤＡ )、ワイヤレス通信機能を有するハンドヘルドデバイス、コンピューティングデバイス、またはワイヤレスモデムに接続された他の処理デバイス、車載デバイス、ウェアラブルデバイス、将来の５Ｇネットワークにおける端末デバイス、または将来の陸上公衆移動通信ネットワーク( Ｐｕｂｌｉｃ Ｌａｎｄ Ｍｏｂｉｌｅ Ｎｅｔｗｏｒｋ、ＰＬＭＮ )ネットワークにおける端末デバイスなどであり得る。
【００５９】
本願は、ネットワークデバイスに関連して様々な実施形態を説明する。ネットワークデバイスは、端末デバイスと通信するための装置であってもよく、例えば、ＧＳＭシステムまたはＣＤＭＡ ( Ｂａｓｅ Ｔｒａｎｓｃｅｉｖｅｒ Ｓｔａｔｉｏｎ、ＢＴＳ )における基地局であってもよく、ＷＣＤＭＡシステムにおける基地局( ＮｏｄｅＢ、ＮＢ )であってもよく、ＬＴＥシステムにおける発展型基地局( Ｅｖｏｌｕｔｉｏｎａｌ Ｎｏｄｅ Ｂ、ｅＮＢ又はｅＮｏｄｅＢ )であってもよく、または、中継局、アクセスポイント、車載装置、ウェアラブル装置、および将来の５Ｇネットワークにおけるネットワーク側装置または将来の発展型ＰＬＭＮネットワークにおけるネットワーク側装置などであってもよい。
【００６０】
図１は、本発明の実施例の応用シーンの概略図である。図１の通信システムは、ネットワークデバイス１０と端末デバイス２０とを含む。ネットワークデバイス１０は、端末デバイス２０に通信サービスを提供し、コアネットワークにアクセスするための装置であり、ネットワークデバイス１０から送信される同期信号やブロードキャスト信号等を検索することにより、端末デバイス２０がネットワークにアクセスし、ネットワークとの通信を行うことができる。図１に示される矢印は、端末デバイス２０とネットワークデバイス１０との間のセルラーリンクを介した上り/下りの送信を表すことができる。
【００６１】
本発明の実施例におけるネットワークは、パブリック地上波モバイルネットワーク( Ｐｕｂｌｉｃ Ｌａｎｄ Ｍｏｂｉｌｅ Ｎｅｔｗｏｒｋ、ＰＬＭＮ )またはデバイスツーデバイス( Ｄｅｖｉｃｅ ｔｏ Ｄｅｖｉｃｅ、Ｄ2Ｄ )ネットワークまたはマシンツーマシン( Ｍａｃｈｉｎｅ ｔｏ Ｍａｃｈｉｎｅ / Ｍａｎ、Ｍ2Ｍ )ネットワークまたは他のネットワークを指すことができ、図１は、単なる例示的な簡略図であり、ネットワークには、他の端末デバイスも含まれてよく、図１には示されていない。
【００６２】
図２は、本願の実施例によるデータ処理方法の概略フローチャートである。図２に示される方法は、例えば、図１に示される端末デバイス２０によって実行され得る。図２に示すように、このデータ処理の方法は、２１０〜２３０を含む。
【００６３】
２１０において、端末デバイスが第１のデータの伝送に使用される伝送パラメータに基づいて、使用されるＭＣＳマッピング関係テーブルを選択する。
【００６４】
ここで、当該ＭＣＳマッピング関係テーブルには複数の変調符号化方式（Ｍｏｄｕｌａｔｉｏｎ Ｃｏｄｉｎｇ Ｍｏｄｅ、ＭＣＳ）指示情報と複数のＭＣＳとのマッピング関係が含まれる。
【００６５】
ここで、当該伝送パラメータは、前記第１のデータのための伝送モード、前記第１のデータのスケジューリングのための下り制御情報ＤＣＩのＤＣＩフォーマット、前記第１のデータのためのサブキャリア間隔、前記第１のデータと上り制御情報（Ｕｐｌｉｎｋ Ｃｏｎｔｒｏｌ Ｉｎｆｏｒｍａｔｉｏｎ、ＵＣＩ）の多重方式のうちの少なくとも１つを含む。
【００６６】
具体的に、端末デバイスが第１のデータの伝送に使用される伝送パラメータに基づいて、複数のＭＣＳマッピング関係テーブルから、当該第１のデータに対してデータ処理を行うためのＭＣＳマッピング関係テーブルを選択することができる。第１のデータの伝送に使用される伝送パラメータが異なる場合、端末デバイスにより選択されたＭＣＳマッピング関係テーブルも異なる可能性がある。当該ＭＣＳマッピング関係テーブルには複数のＭＣＳ指示情報と複数のＭＣＳとのマッピング関係が含まれ、複数のＭＣＳ指示情報が複数のＭＣＳに一対一に対応し、端末デバイスが当該第１のデータのスケジューリングのためもＤＣＩに含まれるＭＣＳ指示情報、及び当該ＭＣＳマッピング関係テーブルに基づいて、当該第１のデータに対してデータ処理を行うための目標ＭＣＳを決定し、当該目標ＭＣＳに基づいて第１のデータを符号化及び変調し、又は、復調及び復号することができる。
【００６７】
任意選択で、当該ＭＣＳマッピング関係テーブルにおいて複数のＭＣＳ指示情報の各ＭＣＳ指示情報が１つのＭＣＳインデックスを示し、当該複数のＭＣＳ指示情報が示す複数のＭＣＳインデックスが当該複数のＭＣＳに一対一に対応する。
【００６８】
任意選択で、当該複数のＭＣＳの各ＭＣＳが変調方式及び符号化率の情報を含む。
【００６９】
例えば、表１に示されるＭＣＳマッピング関係テーブルは、３２個のＭＣＳインデックスを含み、これら３２個のＭＣＳインデックスは、それぞれ３２種類のデバッグ符号化方式に対応し、各デバッグ符号化方式は、１つの符号化率と、１つの変調方式、例えば、直交位相シフト符号化( Ｑｕａｄｒａｔｕｒｅ Ｐｈａｓｅ Ｓｈｉｆｔ Ｋｅｙｉｎｇ、ＱＰＳＫ )の変調方式または６４ＱＡＭの変調方式とを含む。
【表１】
2021500773.tif 000013
【００７０】
任意選択で、当該伝送パラメータが当該第１のデータの伝送のための伝送モードを含む場合、２１０の前に、端末デバイスが第１のデータの伝送に使用される伝送パラメータに基づいて使用されるＭＣＳマッピング関係テーブルを選択する前に、当該方法は、さらに、端末デバイスネットワークデバイスが上位レイヤシグナリングを介して送信した、前記伝送モードを示す指示情報を受信することを含む。
【００７１】
任意選択で、当該伝送パラメータが当該第１のデータのスケジューリングのためのＤＣＩのＤＣＩフォーマットを含む場合、２１０の前に、即ち、前記端末デバイスが第１のデータの伝送に使用される伝送パラメータに基づいて、使用されるＭＣＳマッピング関係テーブルを選択する前に、当該方法は、さらに、端末デバイスが多種のＤＣＩフォーマットに基づいて当該第１のデータのスケジューリングのためのＤＣＩをブラインド検出して、当該第１のデータのスケジューリングのためのＤＣＩのＤＣＩフォーマットを決定する。
【００７２】
端末デバイスがブラインド検出する必要がある当該多種のＤＣＩフォーマット及び当該多種のＤＣＩフォーマットの数は、現在に構成された当該第１のデータの伝送のための伝送モードに依頼する。
【００７３】
任意選択で、当該第１のデータの伝送のための伝送モードは、単一アンテナポートに基づく伝送モード、マルチ入力マルチ出力（Ｍｕｌｔｉｐｌｅ−Ｉｎｐｕｔ Ｍｕｌｔｉｐｌｅ−Ｏｕｔｐｕｔ、ＭＩＭＯ）に基づく伝送モード、マルチアンテナポートに基づく伝送モード、単一の伝送ポイントに基づく伝送モード又は複数の伝送ポイントに基づく伝送モードのいずれかを含む。
【００７４】
ここで、当該伝送ポイントは、例えば、伝送受信ポイント( Ｔｒａｎｓｍｉｓｓｉｏｎ Ｒｅｃｅｐｔｉｏｎ Ｐｏｉｎｔ、ＴＲＰ )又はアンテナパネル( Ｐａｎｅｌ )であってもよい。端末デバイスは、単一のＰＤＣＣＨ上で搬送されるＤＣＩを得るために、単一の伝送ポイントに基づく伝送モードに対して単一の物理下り制御チャネル( Ｐｈｙｓｉｃａｌ Ｄｏｗｎｌｉｎｋ Ｃｏｎｔｒｏｌ Ｃｈａｎｎｅｌ、ＰＤＣＣＨ )のみを必要とし、複数の伝送ポイントに基づく伝送モードの場合、複数のＰＤＣＣＨを検出する必要がある。
【００７５】
任意選択で、当該第１のデータのスケジューリングのための前記ＤＣＩのＤＣＩフォーマットは、単一アンテナポートでのデータ伝送、単一伝送層のデータ伝送、マルチアンテナポートでのデータ伝送、複数の伝送層のデータ伝送、開ループＭＩＭＯに基づくデータ伝送、閉ループプリコーディングに基づくデータ伝送、ＤＦＴ−Ｓ−ＯＦＤＭの多元接続方式に基づくデータ伝送、ＣＰ−ＯＦＤＭの多元接続方式に基づくデータ伝送、単一の伝送ポイントでのデータ伝送又は複数の伝送ポイントでのデータ伝送のスケジューリングのためのＤＣＩフォーマットのいずれかを含む。
【００７６】
例えば、上記のいずれかのデータ伝送をスケジューリングするためのＤＣＩフォーマットは、伝送モードとは独立してもよく、当該ＤＣＩフォーマットは、上記のいずれかのデータ伝送をスケジューリングする属性を有するＤＣＩフォーマットである。
【００７７】
ここで、該開ループＭＩＭＯは、例えば、送信ダイバーシチ、プリコーディング順番に訓練、又は開ループの空間多重であってもよい。この伝送ポイントは、例えばＴＲＰやＰａｎｅｌであってもよい。
【００７８】
端末デバイスは、当該ＤＣＩのＤＣＩフォーマットが単一の送信ポイントにおけるデータ伝送をスケジューリングするために使用される場合、単一のＰＤＣＣＨを検出することのみを必要とし、当該ＤＣＩのＤＣＩフォーマットが複数の送信ポイントにおけるデータ伝送をスケジューリングするために使用される場合、端末デバイスは、複数のＰＤＣＣＨを検出する必要がある。
【００７９】
この第１のデータを伝送する伝送パラメータが、この第１のデータを伝送するサブキャリア間隔を含む場合、このサブキャリア間隔は、例えば、１５ｋＨｚ、３０ｋＨｚ、６０ｋＨｚ、１２０ｋＨｚ、２４０ｋＨｚ、９２０ｋＨｚ等のＮＲ ( Ｎｅｗ Ｒａｄｉｏ)で使用可能なサブキャリア間隔であってもよい。
【００８０】
例えば、当該サブキャリア間隔が６０ｋＨｚ未満のサブキャリア間隔である場合、当該ＭＣＳマッピング関係テーブルには２５６ＱＡＭの変調方式が含まれ、当該サブキャリア間隔が６０ｋＨｚより大きいサブキャリア間隔であれば、当該ＭＣＳマッピング関係テーブルには２５６ＱＡＭの変調方式は含まれない。
【００８１】
２１０において、第１のデータを伝送するために使用される伝送パラメータが異なる場合、端末デバイスによって選択される使用されるＭＣＳマッピング関係テーブルも異なる場合がある。異なる伝送パラメータに基づいて選択されるＭＣＳマッピング関係テーブルについて、以下の５つのケースで具体的に説明する。
【００８２】
ケース１
任意選択で、当該伝送パラメータが当該第１のデータの伝送のための伝送モードを含む。
【００８３】
当該伝送モードが第１の伝送モードである場合、端末デバイスにより選択された当該ＭＣＳマッピング関係テーブルの複数のＭＣＳが、第１の変調方式を含み、当該伝送モードが第２の伝送モードである場合、端末デバイスにより選択された当該ＭＣＳマッピング関係テーブル内の複数のＭＣＳが、当該第１の変調方式を含まない。
【００８４】
ここで、当該第１の変調方式は、例えば、ｐｉ／２シフトのＢＰＳＫ、６４ＱＡＭ、２５６ＱＡＭ又は、１０２４ＱＡＭのいずれかを含む。
【００８５】
任意選択で、当該第１の伝送モードが単一アンテナポートに基づく伝送モードであり、当該第２の伝送モードがマルチアンテナポートに基づく伝送モードであり、当該第１の変調方式がｐｉ／２シフトのバイナリ位相シフトキーイングＢＰＳＫであり、又は、当該第１の伝送モードがマルチアンテナポートに基づく伝送モードであり、当該第２の伝送モードが単一アンテナポートに基づく伝送モードであり、当該第１の変調方式が変調次数が６４ＱＡＭよりも高い変調方式であり、又は、当該第１の伝送モードが単一の伝送ポイントに基づく伝送モードであり、当該第２の伝送モードが複数の伝送ポイントに基づく伝送モードであり、当該第１の変調方式が変調次数が６４ＱＡＭよりも高い変調方式である。
【００８６】
例えば、端末デバイスは、当該第１のデータの伝送に用いる伝送モードが単一アンテナポートに基づく伝送モードであれば、ＭＣＳマッピング関係テーブルを選択する場合、当該ＭＣＳマッピング関係テーブルがｐｉ/２シフトのＢＰＳＫの変調方式を含み、かつ、変調次数が６４ＱＡＭより高い変調方式(例えば、２５６ＱＡＭや１０２４ＱＡＭ )を含まないことを満たしている必要があり、この時、当該ＭＣＳマッピング関係テーブルは、例えば、表２に示すＭＣＳマッピング関係テーブルであってもよく、当該第１のデータの伝送に用いる伝送モードがマルチアンテナポートによる伝送モードであれば、ＭＣＳマッピング関係テーブルを選択する場合、当該ＭＣＳマッピング関係テーブルがｐｉ／２シフトのＢＰＳＫを含まなく２５６ＱＡＭを含む変調方式を満たし、当該ＭＣＳマッピング関係テーブルは、例えば、表３に示すＭＣＳマッピング関係テーブルであってもよい。
【００８７】
また例えば、端末デバイスが、第１のデータの伝送に使用される送信モードが単一の伝送ポイントに基づく送信モードである場合、端末デバイスにより選択された当該ＭＣＳマッピング関係テーブルは、変調次数が６４ＱＡＭよりも高い変調方式(例えば、２５６ＱＡＭ、１０２４ＱＡＭ )を含み、当該第１のデータに使用される伝送モードが複数の伝送ポイントに基づく伝送モードである場合、端末デバイスにより選択された当該ＭＣＳマッピング関係テーブルは、変調次数が６４ＱＡＭよりも高い変調方式(例えば２５６ＱＡＭ、１０２４ＱＡＭ )を含まない。
【００８８】
ケース２
任意選択で、当該伝送パラメータが当該第１のデータのスケジューリングのためのＤＣＩのＤＣＩフォーマットを含む。
【００８９】
当該ＤＣＩのＤＣＩフォーマットが第１のＤＣＩフォーマットである場合、端末デバイスにより選択された当該ＭＣＳマッピング関係テーブル内の複数のＭＣＳが、第２の変調方式を含み、当該ＤＣＩのＤＣＩフォーマットが第２のＤＣＩフォーマットである場合、端末デバイスにより選択された当該ＭＣＳマッピング関係テーブル内の複数のＭＣＳが、当該第２の変調方式を含まない。
【００９０】
ここで、当該第２の変調方式は、例えば、ｐｉ／２シフトのＢＰＳＫ、６４ＱＡＭ、２５６ＱＡＭ又は、１０２４ＱＡＭのいずれかを含む。
【００９１】
任意選択で、当該第１のＤＣＩフォーマットは、単一アンテナポートでの単一層データ伝送をスケジューリングするために用いられ、当該第２のＤＣＩフォーマットは、マルチアンテナポートでの単一層、又は、多層データ伝送をスケジューリングするために用いられ、当該第２の変調方式がｐｉ／２シフトのＢＰＳＫの変調方式であり、又は、
当該第１のＤＣＩフォーマットは、ＤＦＴ−Ｓ−ＯＦＤＭの多元接続方式に基づくデータ伝送をスケジューリングするために用いられ、当該第２のＤＣＩフォーマットは、ＣＰ−ＯＦＤＭの多元接続方式に基づくデータ伝送をスケジューリングするために用いられ、当該第２の変調方式がｐｉ／２シフトのＢＰＳＫの変調方式であり、又は、
当該第１のＤＣＩフォーマットは、ＣＰ−ＯＦＤＭの多元接続方式基づくデータ伝送をスケジューリングするために用いられ、当該第２のＤＣＩフォーマットは、ＤＦＴ−Ｓ−ＯＦＤＭの多元接続方式に基づくデータ伝送をスケジューリングするために用いられ、当該第２の変調方式が６４ＱＡＭの変調方式である。
【００９２】
例えば、当該第１のデータのスケジューリングのためのＤＣＩのＤＣＩフォーマット（Ｆｏｒｍａｔ）がＤＣＩ ｆｏｒｍａｔ０であり、当該ＤＣＩ ｆｏｒｍａｔ０が単一アンテナポートでの単一層データ伝送をスケジューリングする場合、端末デバイスにより選択された当該ＭＣＳマッピング関係テーブルは、ｐｉ／２シフトのＢＰＳＫの変調方式を含み、変調次数が６４ＱＡＭよりも高い変調方式（例えば２５６ＱＡＭ、１０２４ＱＡＭ）を含まなく、この時、当該ＭＣＳマッピング関係テーブルは、例えば、表２に示すＭＣＳマッピング関係テーブルであってもよく、当該第１のデータのスケジューリングのためのＤＣＩのＤＣＩフォーマットがＤＣＩ ｆｏｒｍａｔ１であり、当該ＤＣＩ ｆｏｒｍａｔ１がマルチアンテナポートでのデータ伝送（単一層データ伝送又は多層データ伝送）をスケジューリングする場合、端末デバイスにより選択された当該ＭＣＳマッピング関係テーブルが、２５６ＱＡＭの変調方式を含み、この時、当該ＭＣＳマッピング関係テーブルは、例えば、表３に示すＭＣＳマッピング関係テーブルであってもよい。
【表２】
2021500773.tif 000014
【表３】
2021500773.tif 000015
【００９３】
また例えば、当該第１のデータのスケジューリングのためのＤＣＩのＤＣＩフォーマットがＤＣＩ ｆｏｒｍａｔ０であり、当該ＤＣＩ ｆｏｒｍａｔ０がＤＦＴ−Ｓ−ＯＦＤＭ多元接続方式に基づくデータ伝送をスケジューリングする場合、端末デバイスにより選択された当該ＭＣＳマッピング関係テーブルは、ｐｉ／２シフトのＢＰＳＫの変調方式を含み、２５６ＱＡＭの変調方式を含まなく、当該第１のデータのスケジューリングのためのＤＣＩのＤＣＩフォーマットがＤＣＩ ｆｏｒｍａｔ１であり、当該ＤＣＩ ｆｏｒｍａｔ１がＣＰ−ＯＦＤＭ多元接続方式に基づくデータ伝送をスケジューリングする場合、端末デバイスにより選択された当該ＭＣＳマッピング関係テーブルは、ｐｉ／２シフトのＢＰＳＫの変調方式を含まなく、２５６ＱＡＭの変調方式を含む。ＤＣＩ ｆｏｒｍａｔ０に対応するＭＣＳマッピング関係テーブルは、例えば、表２に示し、ＤＣＩ ｆｏｒｍａｔ１に対応するＭＣＳマッピング関係テーブルは。例えば、表３に示す。
【００９４】
ケース３
任意選択で、当該伝送パラメータは、当該第１のデータの伝送のための伝送モード、及び当該第１のデータのスケジューリングのためのＤＣＩのＤＣＩフォーマットを含む。
【００９５】
当該伝送モードが第３の伝送モードであり、当該ＤＣＩのＤＣＩフォーマットが第３のＤＣＩフォーマットである場合、端末デバイスにより選択された当該ＭＣＳマッピング関係テーブル内の複数のＭＣＳが、第３の変調方式を含み、前記伝送モードが第３の伝送モードではなく、及び／又は、前記ＤＣＩのＤＣＩフォーマットが第３のＤＣＩフォーマットでない場合、端末デバイスにより選択された前記ＭＣＳマッピング関係テーブル内の前記複数のＭＣＳが、前記第３の変調方式を含まない。
【００９６】
ここで、当該第３の変調方式は、例えば、ｐｉ／２シフトのＢＰＳＫ、６４ＱＡＭ、２５６ＱＡＭ又は、１０２４ＱＡＭのいずれかを含む。
【００９７】
任意選択で、当該第３の伝送モードがＭＩＭＯに基づく伝送モードであり、当該第３のＤＣＩフォーマットがマルチアンテナポートでのデータ伝送をスケジューリングするために用いられ、当該第３の変調方式が２５６ＱＡＭの変調方式であり、又は、当該第３の伝送モードが単一アンテナポートに基づく伝送モードであり、当該第３のＤＣＩフォーマットが、ＤＦＴ−Ｓ−ＯＦＤＭの多元接続方式に基づくデータ伝送をスケジューリングするために用いられ、当該第３の変調方式がｐｉ／２シフトのＢＰＳＫの変調方式である。
【００９８】
例えば、当該第１のデータの伝送に使用される伝送モードがＭＩＭＯに基づく伝送モードであり、当該第１のデータのスケジューリングのためのＤＣＩのＤＣＩフォーマットがＤＣＩ ｆｏｒｍａｔ１であり、当該ＤＣＩ ｆｏｒｍａｔ１がマルチアンテナポートに基づくデータ伝送をスケジューリングする場合、端末デバイスにより選択された当該ＭＣＳマッピング関係テーブルは、２５６ＱＡＭの変調方式を含み、他の場合（他の伝送モードを利用して当該第１のデータを伝送し、又は、同じ伝送モードで他のＤＣＩフォーマットを利用して当該第１のデータをスケジューリングする）、当該ＭＣＳマッピング関係テーブルは、２５６ＱＡＭの変調方式を含まない。
【００９９】
また例えば、当該第１のデータに伝送に採用される伝送モードが単一アンテナポートに基づく伝送モードであり、当該第１のデータのスケジューリングのためのＤＣＩのＤＣＩフォーマットがＤＣＩ ｆｏｒｍａｔ０であり、当該ＤＣＩ ｆｏｒｍａｔ０がＤＦＴ−Ｓ−ＯＦＤＭ多元接続方式に基づくデータ伝送をスケジューリングする場合、端末デバイスにより選択された当該ＭＣＳマッピング関係テーブルがｐｉ／２シフトのＢＰＳＫの変調方式を含み、他の場合（例えば、他の伝送モードを利用して当該第１のデータを伝送し、又は、同じ伝送モードで他のＤＣＩフォーマットを利用して当該第１のデータをスケジューリングする）、当該ＭＣＳマッピング関係テーブルが、ｐｉ／２シフトのＢＰＳＫの変調方式を含まない。
【０１００】
ケース４
任意選択で、当該伝送パラメータが当該第１のデータの伝送のための伝送モード、及び当該第１のデータのスケジューリングのためのＤＣＩのＤＣＩフォーマットを含む。
【０１０１】
当該伝送モードが第４の伝送モード、当該ＤＣＩのＤＣＩフォーマットが第４のＤＣＩフォーマットである場合、端末デバイスにより選択された当該ＭＣＳマッピング関係テーブル内の複数のＭＣＳが、第４の変調方式を含まなく、当該伝送モードが第１の伝送モードではなく、及び／又は、当該ＤＣＩのＤＣＩフォーマットが第４のＤＣＩフォーマットでない場合、端末デバイスにより選択された当該ＭＣＳマッピング関係テーブル内の複数のＭＣＳが、当該第４の変調方式を含む。
【０１０２】
ここで、当該第４の変調方式は、例えば、ｐｉ／２シフトのＢＰＳＫ、６４ＱＡＭ、２５６ＱＡＭ又は、１０２４ＱＡＭのいずれかを含む。
【０１０３】
任意選択で、当該第４の伝送モードが単一アンテナポートに基づく伝送モードであり、当該第４のＤＣＩフォーマットがＤＦＴ−Ｓ−ＯＦＤＭの多元接続方式に基づくデータ伝送をスケジューリングするために用いられ、当該第４の変調方式が２５６ＱＡＭの変調方式であり、又は、当該第４の伝送モードがＭＩＭＯに基づく伝送モードであり、当該第４のＤＣＩフォーマットがＣＰ−ＯＦＤＭの多元接続方式に基づくデータ伝送をスケジューリングするために用いられ、当該第４の変調方式がｐｉ／２シフトのＢＰＳＫの変調方式である。
【０１０４】
例えば、当該第１のデータの伝送に使用される伝送モードが単一アンテナポートに基づく伝送モードであり、当該第１のデータのスケジューリングのためのＤＣＩのＤＣＩフォーマットがＤＣＩ ｆｏｒｍａｔ０であり、当該ＤＣＩ ｆｏｒｍａｔ０がＤＦＴ−Ｓ−ＯＦＤＭ多元接続方式に基づくデータ伝送をスケジューリングする場合、端末デバイスにより選択された当該ＭＣＳマッピング関係テーブルが２５６ＱＡＭの変調方式を含まなく、他の場合（例えば、他の伝送モードを利用して当該第１のデータを伝送し、又は、同じ伝送モードで他のＤＣＩフォーマットを利用して当該第１のデータをスケジューリングする）、当該ＭＣＳマッピング関係テーブルが２５６ＱＡＭの変調方式を含む。
【０１０５】
また例えば、当該第１のデータの伝送に採用される伝送モードがＭＩＭＯに基づく伝送モードであり、当該第１のデータのスケジューリングのためのＤＣＩのＤＣＩフォーマットがＤＣＩ ｆｏｒｍａｔ１であり、当該ＤＣＩ ｆｏｒｍａｔ１がＣＰ−ＯＦＤＭ多元接続方式に基づくデータ伝送をスケジューリングする場合、端末デバイスにより選択された当該ＭＣＳマッピング関係テーブルが、ｐｉ／２シフトのＢＰＳＫの変調方式を含まなく、他の場合（例えば、他の伝送モードを利用して当該第１のデータを伝送し、又は、同じ伝送モードで他のＤＣＩフォーマットを利用して当該第１のデータをスケジューリングする）、当該ＭＣＳマッピング関係テーブルが、ｐｉ／２シフトのＢＰＳＫの変調方式を含む。
【０１０６】
ケース５
任意選択で、当該伝送パラメータは、当該第１のデータと上り制御情報（Ｕｐｌｉｎｋ Ｃｏｎｔｒｏｌ Ｉｎｆｏｒｍａｔｉｏｎ、ＵＣＩ）の多重方式を含む。
【０１０７】
当該多重方式が当該第１のデータとＵＣＩが同じ時間領域リソースユニットにおいて多重され、又は、当該第１のデータとＵＣＩが周波数分割多重（Ｆｒｅｑｕｅｎｃｙ Ｄｉｖｉｓｉｏｎ Ｍｕｌｔｉｐｌｅｘｉｎｇ、ＦＤＭ）される場合、端末デバイスにより選択された当該ＭＣＳマッピング関係テーブル内の複数のＭＣＳが、第５の変調方式を含まない。
【０１０８】
当該時間領域リソースユニットは、例えば、タイムスロット、ミニタイムスロット、又はサブフレームである。
【０１０９】
ここで、当該第５の変調方式は、ｐｉ／２シフトのＢＰＳＫ、６４ＱＡＭ、２５６ＱＡＭ又は、１０２４ＱＡＭのいずれかを含む。
【０１１０】
任意選択で、前記端末デバイスが異なる伝送パラメータに応じて選択したＭＣＳマッピング関係テーブルが異なり、前記異なるマッピング関係テーブルにおいて前記目標ＭＣＳ指示情報に対応する符号化率が異なる。
【０１１１】
つまり、端末デバイスが異なる伝送パラメータに基づて決定された異なるＭＣＳマッピング関係テーブルの符号化率の大きさが異なる可能性がある。
【０１１２】
任意選択で、端末デバイスが異なる伝送パラメータに基づて選択されたＭＣＳマッピング関係テーブルが異なり、前記異なるＭＣＳマッピング関係テーブルに含まれるＭＣＳ指示情報の数が異なる。
【０１１３】
つまり、端末デバイスが異なる伝送パラメータに基づて確定された異なるＭＣＳマッピング関係テーブルの大きさが異なり、即ち、異なるＭＣＳマッピング関係テーブルに含まれるＭＣＳの数又は、ＭＣＳ指示情報の数が異なる。
【０１１４】
このとき、第１データをスケジューリングするＤＣＩに含まれるＭＣＳ指示情報が占めるビット数は異なってもよい。
【０１１５】
例えば、第１の伝送モードおよび/または第１のＤＣＩフォーマットに関して、端末デバイスによって選択されるＭＣＳマッピング関係テーブルは、ＭＣＳ指示情報によって示される１６個の可能なＭＣＳインデックスと、第１のデータによって使用される可能性のある１６個のＭＣＳとの間のマッピング関係を含み、この１６個のＭＣＳインデックスと１６個のＭＣＳとの間は１対１に対応する。この場合、当該ＭＣＳマッピング関係テーブルのサイズは１６である。当該ＭＣＳマッピング関係テーブルのＭＣＳ指示情報は４ビットを占めることができる。第２の伝送モードおよび/または第２のＤＣＩフォーマットに関して、当該ＭＣＳマッピング関係テーブルに含まれるＭＣＳ指示情報が示す３２個の可能なＭＣＳインデックスと第１のデータの伝送に使用される可能な３２個のＭＣＳとのマッピング関係であり、この３２個のＭＣＳインデックスと３２個のＭＣＳが一対一に対応する。この場合、当該ＭＣＳマッピング関係テーブルのサイズは３２であり、当該ＭＣＳマッピング関係テーブルにおけるＭＣＳ指示情報は５ビット分を占めることができる。
【０１１６】
２２０において、端末デバイスが当該ＤＣＩに含まれる目標ＭＣＳ指示情報、及び当該ＭＣＳマッピング関係テーブルに基づて、当該第１のデータに対してデータ処理を行うための目標ＭＣＳを決定する。
【０１１７】
２３０において、端末デバイスが当該目標ＭＣＳに基づて、当該第１のデータを符号化及び変調し、又は、当該第１のデータを復調及び復号する。
【０１１８】
具体的には、端末デバイスは、当該ＭＣＳにおける符号化率に応じて第１データをチャネル符号化し、当該ＭＣＳにおける変調方式に応じて符号化された当該第１データを変調して変調信号を得る。又は、端末デバイスは、受信した第１データをＭＣＳにおける変調方式に従って復調し、復調した第１データをＭＣＳにおける符号化率に従って復号して、復号第１データを得る。
【０１１９】
任意選択で、前記端末デバイスが当該目標ＭＣＳに応じて当該第１データを符号化及び変調し、又は復調及び復号することは、当該目標ＭＣＳが前記端末デバイスがサポートする最大ＭＣＳを超える場合に、当該最大ＭＣＳに応じて前記第１データを符号化及び変調し、又は復調及び復号することを含む。
【０１２０】
例えば、端末デバイスが、最高６４ＱＡＭの変調方式しかサポートしていないが、ＤＣＩに含まれる当該ＭＣＳ指示情報に対応する変調方式が２５６ＱＡＭの変調方式であれば、端末デバイスは、当該第１データを処理するためのＭＣＳとして６４ＱＡＭを採用する。又は、当該ＭＣＳ指示情報に対応する符号率が、端末デバイスがサポートする最高符号率を超えている場合、端末デバイスは、その最高符号率に従って第１データの送信または検出を行う。
【０１２１】
これにより、本願の実施例において、端末デバイスは、データ伝送の伝送モード、ＤＣＩフォーマット、サブキャリア間隔、ＵＣＩとの多重化方式などの伝送パラメータに応じて、現在の伝送シーンに適したＭＣＳマッピング関係テーブルを選択し、ＤＣＩに含まれるＭＣＳ指示情報と、選択されたＭＣＳマッピング関係テーブルとに応じて、現在の伝送シーンで用いられているＭＣＳを効率的に決定することができる。
【０１２２】
図３は本願の実施例におけるデータ処理方法のフローチャートである。図３に示す方法は、ネットワークデバイスより実行され、当該ネットワークデバイスが例えば図１に示すネットワークデバイス１０である。図３に示すように、当該データ処理方法は、３１０〜３４０を含む。
【０１２３】
３１０において、ネットワークデバイスが第１のデータの伝送に使用される伝送パラメータに基づいて、使用されるＭＣＳマッピング関係テーブルを選択し、前記ＭＣＳマッピング関係テーブルには複数のＭＣＳ指示情報と複数のＭＣＳとのマッピング関係が含まれ、前記伝送パラメータが、前記第１のデータの伝送のための伝送モード、前記第１のデータのスケジューリングのための下り制御情報ＤＣＩのＤＣＩフォーマット、前記第１のデータの伝送のためのサブキャリア間隔、前記第１のデータと上り制御情報ＵＣＩの多重方式のうちの少なくとも１つを含む。
【０１２４】
３２０において、前記ネットワークデバイスが前記ＭＣＳマッピング関係テーブル及び前記第１のデータに対してデータ処理を行うための目標ＭＣＳに基づいて、前記ＤＣＩに含まれる目標ＭＣＳ指示情報を決定する。
【０１２５】
３３０において、前記ネットワークデバイスが前記目標ＭＣＳ指示情報が含まれる前記ＤＣＩを端末デバイスに送信する。
【０１２６】
３４０において、前記ネットワークデバイスが前記目標ＭＣＳに基づいて、前記第１のデータを符号化及び変調し、又は、前記第１のデータを復調及び復号する。
【０１２７】
これにより、ネットワークデバイスは、データ伝送の伝送モード、ＤＣＩフォーマット、サブキャリア間隔、ＵＣＩとの多重化方式などの伝送パラメータに応じて、現在の伝送シーンに適したＭＣＳマッピング関係テーブルを選択し、第１データのデータ処理の目標ＭＣＳと、選択したＭＣＳマッピング関係テーブルとに応じて、送信されるＭＣＳ指示情報を決定することができ、端末デバイスは、当該ＭＣＳ指示情報に応じて、現在の伝送シーンで使用しているＭＣＳを効率的に決定することができる。
【０１２８】
任意選択で、前記複数のＭＣＳ指示情報内の各ＭＣＳ指示情報が１つのＭＣＳインデックスを示し、前記複数のＭＣＳ指示情報が示す複数のＭＣＳインデックスが前記複数のＭＣＳに一対一に対応する。
【０１２９】
任意選択で、前記複数のＭＣＳの各ＭＣＳが変調方式及び符号化率の情報を含む。
【０１３０】
任意選択で、前記第１のデータの伝送のための伝送モードは、単一アンテナポートに基づく伝送モード、マルチ入力マルチ出力ＭＩＭＯに基づく伝送モード、マルチアンテナポートに基づく伝送モード、単一の伝送ポイントに基づく伝送モード、又は、複数の伝送ポイントに基づく伝送モードのいずれかを含む。
【０１３１】
任意選択で、前記第１のデータのスケジューリングのための前記ＤＣＩのＤＣＩフォーマットは、単一アンテナポートでのデータ伝送、単一の伝送層のデータ伝送、マルチアンテナポートでのデータ伝送、複数の伝送層のデータ伝送、開ループＭＩＭＯに基づくデータ伝送、閉ループプリコーディングに基づくデータ伝送、フーリエ変換拡張の直交周波数分割多重ＤＦＴ−Ｓ−ＯＦＤＭの多元接続方式に基づくデータ伝送、サイクリックプレフィックス直交周波数分割多重ＣＰ−ＯＦＤＭの多元接続方式に基づくデータ伝送、単一の伝送ポイントでのデータ伝送、又は、複数の伝送ポイントでのデータ伝送のいずれかのスケジューリングのためのＤＣＩフォーマットを含む。
【０１３２】
任意選択で、前記伝送パラメータが、前記第１のデータの伝送のための伝送モードを含み、
前記伝送モードが第１の伝送モードである場合、前記ネットワークデバイスにより選択された前記ＭＣＳマッピング関係テーブル内の前記複数のＭＣＳが、第１の変調方式を含み、前記伝送モードが第２の伝送モードである場合、前記ネットワークデバイスにより選択された前記ＭＣＳマッピング関係テーブル内の前記複数のＭＣＳが、前記第１の変調方式を含まない。
【０１３３】
任意選択で、前記第１の伝送モードが単一アンテナポートに基づく伝送モードであり、前記第２の伝送モードがマルチアンテナポートに基づく伝送モードであり、前記第１の変調方式がｐｉ／２シフトのバイナリ位相シフトキーイングＢＰＳＫであり、又は、前記第１の伝送モードがマルチアンテナポートに基づく伝送モードであり、前記第２の伝送モードが単一アンテナポートに基づく伝送モードであり、前記第１の変調方式が変調次数が６４直交振幅変調ＱＡＭよりも高い変調方式であり、又は、前記第１の伝送モードが単一の伝送ポイントに基づく伝送モードであり、前記第２の伝送モードが複数の伝送ポイントに基づく伝送モードであり、前記第１の変調方式が変調次数が６４ＱＡＭよりも高い変調方式である。
【０１３４】
任意選択で、前記伝送パラメータが前記第１のデータのスケジューリングのためのＤＣＩのＤＣＩフォーマットを含み、
前記ＤＣＩのＤＣＩフォーマットが第１のＤＣＩフォーマットである場合、前記ネットワークデバイスにより選択された前記ＭＣＳマッピング関係テーブル内の前記複数のＭＣＳが、第２の変調方式を含み、前記ＤＣＩのＤＣＩフォーマットが第２のＤＣＩフォーマットである場合、前記ネットワークデバイスにより選択された前記ＭＣＳマッピング関係テーブル内の前記複数のＭＣＳが、前記第２の変調方式を含まない。
【０１３５】
任意選択で、前記第１のＤＣＩフォーマットが単一アンテナポートでの単一層データ伝送をスケジューリングするために用いられ、前記第２のＤＣＩフォーマットがマルチアンテナポートでの単一層又は、多層データ伝送をスケジューリングするために用いられ、前記第２の変調方式がｐｉ／２シフトのＢＰＳＫの変調方式であり、又は、前記第１のＤＣＩフォーマットがＤＦＴ−Ｓ−ＯＦＤＭの多元接続方式に基づくデータ伝送をスケジューリングするために用いられ、前記第２のＤＣＩフォーマットがＣＰ−ＯＦＤＭの多元接続方式に基づくデータ伝送をスケジューリングするために用いられ、前記第２の変調方式がｐｉ／２シフトのＢＰＳＫの変調方式であり、又は、前記第１のＤＣＩフォーマットがＣＰ−ＯＦＤＭの多元接続方式に基づくデータ伝送をスケジューリングするために用いられ、前記第２のＤＣＩフォーマットがＤＦＴ−Ｓ−ＯＦＤＭの多元接続方式に基づくデータ伝送をスケジューリングするために用いられ、前記第２の変調方式が６４ＱＡＭの変調方式である。
【０１３６】
任意選択で、前記伝送パラメータが、前記第１のデータの伝送のための伝送モード及び記第１のデータのスケジューリングのためのＤＣＩのＤＣＩフォーマットを含み、
前記伝送モードが第３の伝送モードであり、前記ＤＣＩのＤＣＩフォーマットが第３のＤＣＩフォーマットである場合、前記ネットワークデバイスにより選択された前記ＭＣＳマッピング関係テーブル内の前記複数のＭＣＳが、第３の変調方式を含み、前記伝送モードが第３の伝送モードではなく、及び／又は、前記ＤＣＩのＤＣＩフォーマットが第３のＤＣＩフォーマットでない場合、前記ネットワークデバイスにより選択された前記ＭＣＳマッピング関係テーブル内の前記複数のＭＣＳが、前記第３の変調方式を含まない。
【０１３７】
任意選択で、前記第３の伝送モードがＭＩＭＯに基づく伝送モードであり、前記第３のＤＣＩフォーマットがマルチアンテナポートでのデータ伝送をスケジューリングするために用いられ、前記第３の変調方式が２５６ＱＡＭの変調方式であり、又は、前記第３の伝送モードが単一アンテナポートに基づく伝送モードであり、前記第３のＤＣＩフォーマットがＤＦＴ−Ｓ−ＯＦＤＭの多元接続方式に基づくデータ伝送をスケジューリングするために用いられ、前記第３の変調方式がｐｉ／２シフトのＢＰＳＫの変調方式である。
【０１３８】
任意選択で、前記伝送パラメータが、前記第１のデータの伝送のための伝送モード及び記第１のデータのスケジューリングのためのＤＣＩのＤＣＩフォーマットを含み、
前記伝送モードが第４の伝送モードであり、前記ＤＣＩのＤＣＩフォーマットが第４のＤＣＩフォーマットである場合、前記ネットワークデバイスにより選択された前記ＭＣＳマッピング関係テーブル内の前記複数のＭＣＳが、第４の変調方式を含まない、前記伝送モードが第４の伝送モードではなく、及び／又は、前記ＤＣＩのＤＣＩフォーマットが第４のＤＣＩフォーマットでない場合、前記ネットワークデバイスにより選択された前記ＭＣＳマッピング関係テーブル内の前記複数のＭＣＳが、前記第４の変調方式を含む。
【０１３９】
任意選択で、前記第４の伝送モードが単一アンテナポートに基づく伝送モードであり、前記第４のＤＣＩフォーマットがＤＦＴ−Ｓ−ＯＦＤＭの多元接続方式に基づくデータ伝送をスケジューリングするために用いられ、前記第４の変調方式が２５６ＱＡＭの変調方式であり、又は、前記第４の伝送モードがＭＩＭＯに基づく伝送モードであり、前記第４のＤＣＩフォーマットがＣＰ−ＯＦＤＭの多元接続方式に基づくデータ伝送をスケジューリングするために用いられ、前記第４の変調方式がｐｉ／２シフトのＢＰＳＫの変調方式である。
【０１４０】
任意選択で、前記伝送パラメータが前記第１のデータと上り制御情報ＵＣＩの多重方式を含み、前記多重方式が、前記第１のデータとＵＣＩが同じ時間領域リソースユニットに多重化されることである場合、又は、前記第１のデータとＵＣＩ周波数分割がＦＤＭの多重化を行う場合、前記ネットワークデバイスにより選択された前記ＭＣＳマッピング関係テーブル内の前記複数のＭＣＳが、第５の変調方式を含まない。
【０１４１】
任意選択で、前記第５の変調方式は、ｐｉ／２シフトのＢＰＳＫ、６４ＱＡＭ、２５６ＱＡＭ又は、１０２４ＱＡＭのいずれかを含む。
【０１４２】
任意選択で、前記端末デバイスが異なる伝送パラメータに応じて選択したＭＣＳマッピング関係テーブルが異なり、前記異なるＭＣＳマッピング関係テーブルにおいて前記目標ＭＣＳに対応する符号化率が異なる。
【０１４３】
任意選択で、前記端末デバイスが異なる伝送パラメータに応じて選択したＭＣＳマッピング関係テーブルが異なり、前記異なるＭＣＳマッピング関係テーブルに含まれるＭＣＳ指示情報の数が異なる。
【０１４４】
任意選択で、前記ネットワークデバイスが前記目標ＭＣＳに基づいて、前記第１のデータを符号化及び変調し、又は、前記第１のデータを復調及び復号することは、前記目標ＭＣＳが前記端末デバイスのサポートする最大ＭＣＳを超える場合、前記ネットワークデバイスが前記最大ＭＣＳに基づいて、前記第１のデータを符号化及び変調し、又は、前記第１のデータを復調及び復号することを含む。
【０１４５】
なお、ネットワークデバイスがＭＣＳマッピング関係テーブルを選択する過程及びＭＣＳマッピング関係テーブルの記載は、上記の図２に端末デバイスの記載を参照し、簡潔のため、ここで説明を省略する。
【０１４６】
なお、方法２００及び方法３００の説明は、互いに参照されてもよく、方法２００及び方法３００は、組み合わせて使用されてもよく、簡潔のために、ここで説明を省略する。
【０１４７】
なお、本発明の様々な実施例において、上述のプロセスの順序の大きさは、実行順序の前後を意味するものではなく、各プロセスの実行順序は、その機能及び内部ロジックにおいて決定されるべきであり、本発明の実施形態のプロセスを何ら限定するものではない。
【０１４８】
図４は本願の実施例における端末デバイス４００のブロック図である。図４に示すように、当該端末デバイス４００は、選択ユニット４１０、決定ユニット４２０及びデータ処理ユニット４３０を含む。ここで、
選択ユニット４１０は、第１のデータの伝送に使用される伝送パラメータに基づいて、使用される変調符号化方式ＭＣＳマッピング関係テーブルを選択するように構成され、前記ＭＣＳマッピング関係テーブルには複数のＭＣＳ指示情報と複数のＭＣＳとのマッピング関係が含まれ、前記伝送パラメータが、前記第１のデータの伝送のための伝送モード、前記第１のデータのスケジューリングのための下り制御情報ＤＣＩのＤＣＩフォーマット、前記第１のデータの伝送のためのサブキャリア間隔、前記第１のデータと上り制御情報ＵＣＩの多重方式のうちの少なくとも１つを含む。
【０１４９】
決定ユニット４２０は、前記ＤＣＩに含まれる目標ＭＣＳ指示情報、及び前記選択ユニット４１０により選択された前記ＭＣＳマッピング関係テーブルに基づいて、前記第１のデータに対してデータ処理を行うための目標ＭＣＳを決定するように構成され、
データ処理ユニット４３０は、前記決定ユニット４２０により決定された前記目標ＭＣＳに基づいて、前記第１のデータを符号化及び変調し、又は、前記第１のデータを復調及び復号するように構成される。
【０１５０】
これにより、端末デバイスは、データ伝送の伝送モード、ＤＣＩフォーマット、サブキャリア間隔、ＵＣＩとの多重化方式などの伝送パラメータに応じて、現在の伝送シーンに適したＭＣＳマッピング関係テーブルを選択し、ＤＣＩに含まれるＭＣＳ指示情報と、選択されたＭＣＳマッピング関係テーブルとに応じて、現在の伝送シーンで用いられているＭＣＳを効率的に決定することができる。
【０１５１】
任意選択で、前記複数のＭＣＳ指示情報内の各ＭＣＳ指示情報が１つのＭＣＳインデックスを示し、前記複数のＭＣＳ指示情報が示す複数のＭＣＳインデックスが前記複数のＭＣＳに一対一に対応する。
【０１５２】
任意選択で、前記複数のＭＣＳの各ＭＣＳが変調方式及び符号化率の情報を含む。
【０１５３】
任意選択で、前記伝送パラメータが、前記第１のデータの伝送のための伝送モードを含み、前記端末デバイスは、送受信ユニットをさらに含み、前記送受信ユニットは、ネットワークデバイスが上位レイヤシグナリングを介して送信した、前記伝送モードを示す指示情報を受信するように構成される。
【０１５４】
任意選択で、前記伝送パラメータが前記第１のデータのスケジューリングのためのＤＣＩのＤＣＩフォーマットを含み、前記決定ユニット４２０は、さらに、多種のＤＣＩフォーマットに基づいて前記ＤＣＩをブラインド検出して、前記ＤＣＩのＤＣＩフォーマットを決定するように構成される。
【０１５５】
任意選択で、前記第１のデータの伝送のための伝送モードは、単一アンテナポートに基づく伝送モード、マルチ入力マルチ出力ＭＩＭＯに基づく伝送モード、マルチアンテナポートに基づく伝送モード、単一の伝送ポイントに基づく伝送モード、又は、複数の伝送ポイントに基づく伝送モードのいずれかを含む。
【０１５６】
任意選択で、前記第１のデータのスケジューリングのための前記ＤＣＩのＤＣＩフォーマットは、単一アンテナポートでのデータ伝送、単一の伝送層のデータ伝送、マルチアンテナポートでのデータ伝送、複数の伝送層のデータ伝送、開ループＭＩＭＯに基づくデータ伝送、閉ループプリコーディングに基づくデータ伝送、フーリエ変換拡張の直交周波数分割多重ＤＦＴ−Ｓ−ＯＦＤＭの多元接続方式に基づくデータ伝送、サイクリックプレフィックス直交周波数分割多重ＣＰ−ＯＦＤＭの多元接続方式に基づくデータ伝送、単一の伝送ポイントでのデータ伝送、又は、複数の伝送ポイントでのデータ伝送のいずれかのスケジューリングのためのＤＣＩフォーマットを含む。
【０１５７】
任意選択で、前記伝送パラメータが、前記第１のデータの伝送のための伝送モードを含み、
前記伝送モードが第１の伝送モードである場合、前記端末デバイスにより選択された前記ＭＣＳマッピング関係テーブル内の前記複数のＭＣＳが、第１の変調方式を含み、前記伝送モードが第２の伝送モードである場合、前記端末デバイスにより選択された前記ＭＣＳマッピング関係テーブル内の前記複数のＭＣＳが、前記第１の変調方式を含まない。
【０１５８】
任意選択で、前記第１の伝送モードが単一アンテナポートに基づく伝送モードであり、前記第２の伝送モードがマルチアンテナポートに基づく伝送モードであり、前記第１の変調方式がｐｉ／２シフトのバイナリ位相シフトキーイングＢＰＳＫであり、又は、
前記第１の伝送モードがマルチアンテナポートに基づく伝送モードであり、前記第２の伝送モードが単一アンテナポートに基づく伝送モードであり、前記第１の変調方式が変調次数が６４直交振幅変調ＱＡＭよりも高い変調方式であり、又は、
前記第１の伝送モードが単一の伝送ポイントに基づく伝送モードであり、前記第２の伝送モードが複数の伝送ポイントに基づく伝送モードであり、前記第１の変調方式が変調次数が６４ＱＡＭよりも高い変調方式である。
【０１５９】
任意選択で、前記伝送パラメータが前記第１のデータのスケジューリングのためのＤＣＩのＤＣＩフォーマットを含み、
前記ＤＣＩのＤＣＩフォーマットが第１のＤＣＩフォーマットである場合、前記端末デバイスにより選択された前記ＭＣＳマッピング関係テーブル内の前記複数のＭＣＳが、第２の変調方式を含み、前記ＤＣＩのＤＣＩフォーマットが第２のＤＣＩフォーマットである場合、前記端末デバイスにより選択された前記ＭＣＳマッピング関係テーブル内の前記複数のＭＣＳが、前記第２の変調方式を含まない。
【０１６０】
任意選択で、前記第１のＤＣＩフォーマットが単一アンテナポートでの単一層データ伝送をスケジューリングするために用いられ、前記第２のＤＣＩフォーマットがマルチアンテナポートでの単一層又は、多層データ伝送をスケジューリングするために用いられ、前記第２の変調方式がｐｉ／２シフトのＢＰＳＫの変調方式であり、又は、
前記第１のＤＣＩフォーマットがＤＦＴ−Ｓ−ＯＦＤＭの多元接続方式に基づくデータ伝送をスケジューリングするために用いられ、前記第２のＤＣＩフォーマットがＣＰ−ＯＦＤＭの多元接続方式に基づくデータ伝送をスケジューリングするために用いられ、前記第２の変調方式がｐｉ／２シフトのＢＰＳＫの変調方式であり、又は、
前記第１のＤＣＩフォーマットがＣＰ−ＯＦＤＭの多元接続方式に基づくデータ伝送をスケジューリングするために用いられ、前記第２のＤＣＩフォーマットがＤＦＴ−Ｓ−ＯＦＤＭの多元接続方式に基づくデータ伝送をスケジューリングするために用いられ、前記第２の変調方式が６４ＱＡＭの変調方式である。
【０１６１】
任意選択で、前記伝送パラメータが、前記第１のデータの伝送のための伝送モード及び記第１のデータのスケジューリングのためのＤＣＩのＤＣＩフォーマットを含み、
前記伝送モードが第３の伝送モードであり、前記ＤＣＩのＤＣＩフォーマットが第３のＤＣＩフォーマットである場合、前記端末デバイスにより選択された前記ＭＣＳマッピング関係テーブル内の前記複数のＭＣＳが、第３の変調方式を含み、前記伝送モードが第３の伝送モードではなく、及び／又は、前記ＤＣＩのＤＣＩフォーマットが第３のＤＣＩフォーマットでない場合、前記端末デバイスにより選択された前記ＭＣＳマッピング関係テーブル内の前記複数のＭＣＳが、前記第３の変調方式を含まない。
【０１６２】
任意選択で、前記第３の伝送モードがＭＩＭＯに基づく伝送モードであり、前記第３のＤＣＩフォーマットがマルチアンテナポートでのデータ伝送をスケジューリングするために用いられ、前記第３の変調方式が２５６ＱＡＭの変調方式であり、又は、
前記第３の伝送モードが単一アンテナポートに基づく伝送モードであり、前記第３のＤＣＩフォーマットがＤＦＴ−Ｓ−ＯＦＤＭの多元接続方式に基づくデータ伝送をスケジューリングするために用いられ、前記第３の変調方式がｐｉ／２シフトのＢＰＳＫの変調方式である。
【０１６３】
任意選択で、前記伝送パラメータが、前記第１のデータの伝送のための伝送モード及び記第１のデータのスケジューリングのためのＤＣＩのＤＣＩフォーマットを含み、
前記伝送モードが第４の伝送モードであり、前記ＤＣＩのＤＣＩフォーマットが第４のＤＣＩフォーマットである場合、前記端末デバイスにより選択された前記ＭＣＳマッピング関係テーブル内の前記複数のＭＣＳが、第４の変調方式を含まなく、前記伝送モードが第４の伝送モードではなく、及び／又は、前記ＤＣＩのＤＣＩフォーマットが第４のＤＣＩフォーマットでない場合、前記端末デバイスにより選択された前記ＭＣＳマッピング関係テーブル内の前記複数のＭＣＳが、前記第４の変調方式を含む。
【０１６４】
任意選択で、前記第４の伝送モードが単一アンテナポートに基づく伝送モードであり、前記第４のＤＣＩフォーマットがＤＦＴ−Ｓ−ＯＦＤＭの多元接続方式に基づくデータ伝送をスケジューリングするために用いられ、前記第４の変調方式が２５６ＱＡＭの変調方式であり、又は、
前記第４の伝送モードがＭＩＭＯに基づく伝送モードであり、前記第４のＤＣＩフォーマットがＣＰ−ＯＦＤＭの多元接続方式に基づくデータ伝送をスケジューリングするために用いられ、前記第４の変調方式がｐｉ／２シフトのＢＰＳＫの変調方式である。
【０１６５】
任意選択で、前記伝送パラメータが前記第１のデータと上り制御情報ＵＣＩの多重方式を含み、前記多重方式が、前記第１のデータとＵＣＩが同じ時間領域リソースユニットに多重化されることである場合、又は、前記第１のデータとＵＣＩ周波数分割がＦＤＭの多重化を行う場合、前記端末デバイスにより選択された前記ＭＣＳマッピング関係テーブル内の前記複数のＭＣＳが、第５の変調方式を含まない。
【０１６６】
任意選択で、前記第５の変調方式は、ｐｉ／２シフトのＢＰＳＫ、６４ＱＡＭ、２５６ＱＡＭ又は、１０２４ＱＡＭのいずれかを含む。
【０１６７】
任意選択で、前記端末デバイスが異なる伝送パラメータに応じて選択したＭＣＳマッピング関係テーブルが異なり、前記異なるマッピング関係テーブルにおいて前記目標ＭＣＳ指示情報に対応する符号化率が異なる。
【０１６８】
任意選択で、前記端末デバイスが異なる伝送パラメータに応じて選択したＭＣＳマッピング関係テーブルが異なり、前記異なるＭＣＳマッピング関係テーブルに含まれるＭＣＳ指示情報の数が異なる。
【０１６９】
任意選択で、前記データ処理ユニット４３０は、具体的に、前記目標ＭＣＳが前記端末デバイスのサポートする最大ＭＣＳを超える場合、前記端末デバイスが前記最大ＭＣＳに基づいて、前記第１のデータを符号化及び変調し、又は、前記第１のデータを復調及び復号するように構成される。
【０１７０】
なお、端末デバイス４００は、上述した方法の実施例における端末デバイスによって実行される対応する動作を実行することができ、簡潔のために、ここで説明を省略する。
【０１７１】
図５は本願の実施例におけるネットワークデバイス５００のブロック図である。図５に示すように、当該ネットワークデバイス５００は、選択ユニット５１０、決定ユニット５２０、送受信ユニット５３０及びデータ処理ユニット５４０を含む。ここで、
選択ユニット５１０は、第１のデータの伝送に使用される伝送パラメータに基づいて、使用される変調符号化方式ＭＣＳマッピング関係テーブルを選択するように構成され、前記ＭＣＳマッピング関係テーブルには複数のＭＣＳ指示情報と複数のＭＣＳとのマッピング関係が含まれ、前記伝送パラメータが、前記第１のデータの伝送のための伝送モード、前記第１のデータのスケジューリングのための下り制御情報ＤＣＩのＤＣＩフォーマット、前記第１のデータの伝送のためのサブキャリア間隔、前記第１のデータと上り制御情報ＵＣＩの多重方式のうちの少なくとも１つを含む。
【０１７２】
決定ユニット５２０は、前記選択ユニット５１０により選択された前記ＭＣＳマッピング関係テーブル、及び前記第１のデータに対してデータ処理を行うための目標ＭＣＳに基づいて、前記ＤＣＩに含まれる目標ＭＣＳ指示情報を決定するように構成され、
送受信ユニット５３０は、前記決定ユニット５２０により決定された前記目標ＭＣＳ指示情報が含まれる前記ＤＣＩを端末デバイスに送信するように構成され、
データ処理ユニット５４０は、前記決定ユニット５２０により確定された前記目標ＭＣＳに基づいて、前記第１のデータを符号化及び変調し、又は、前記第１のデータを復調及び復号するように構成される。
【０１７３】
これにより、ネットワークデバイスは、データ伝送の伝送モード、ＤＣＩフォーマット、サブキャリア間隔、ＵＣＩとの多重化方式などの伝送パラメータに応じて、現在の伝送シーンに適したＭＣＳマッピング関係テーブルを選択し、第１データのデータ処理の目標ＭＣＳと、選択したＭＣＳマッピング関係テーブルとに応じて、送信されるＭＣＳ指示情報を決定することができ、端末デバイスは、当該ＭＣＳ指示情報に応じて、現在の伝送シーンで使用しているＭＣＳを効率的に決定することができる。
【０１７４】
任意選択で、前記複数のＭＣＳ指示情報内の各ＭＣＳ指示情報が１つのＭＣＳインデックスを示し、前記複数のＭＣＳ指示情報が示す複数のＭＣＳインデックスが前記複数のＭＣＳに一対一に対応する。
【０１７５】
任意選択で、前記複数のＭＣＳの各ＭＣＳが変調方式及び符号化率の情報を含む。
【０１７６】
任意選択で、前記第１のデータの伝送のための伝送モードは、単一アンテナポートに基づく伝送モード、マルチ入力マルチ出力ＭＩＭＯに基づく伝送モード、マルチアンテナポートに基づく伝送モード、単一の伝送ポイントに基づく伝送モード、又は、複数の伝送ポイントに基づく伝送モードのいずれかを含む。
【０１７７】
任意選択で、前記第１のデータのスケジューリングのための前記ＤＣＩのＤＣＩフォーマットは、単一アンテナポートでのデータ伝送、単一の伝送層のデータ伝送、マルチアンテナポートでのデータ伝送、複数の伝送層のデータ伝送、開ループＭＩＭＯに基づくデータ伝送、閉ループプリコーディングに基づくデータ伝送、フーリエ変換拡張の直交周波数分割多重ＤＦＴ−Ｓ−ＯＦＤＭの多元接続方式に基づくデータ伝送、サイクリックプレフィックス直交周波数分割多重ＣＰ−ＯＦＤＭの多元接続方式に基づくデータ伝送、単一の伝送ポイントでのデータ伝送、又は、複数の伝送ポイントでのデータ伝送のいずれかのスケジューリングのためのＤＣＩフォーマットを含む。
【０１７８】
任意選択で、前記伝送パラメータが、前記第１のデータの伝送のための伝送モードを含み、
前記伝送モードが第１の伝送モードである場合、前記ネットワークデバイスにより選択された前記ＭＣＳマッピング関係テーブル内の前記複数のＭＣＳが、第１の変調方式を含み、前記伝送モードが第２の伝送モードである場合、前記ネットワークデバイスにより選択された前記ＭＣＳマッピング関係テーブル内の前記複数のＭＣＳが、前記第１の変調方式を含まない。
【０１７９】
任意選択で、前記伝送パラメータが前記第１のデータのスケジューリングのためのＤＣＩのＤＣＩフォーマットを含み、
前記ＤＣＩのＤＣＩフォーマットが第１のＤＣＩフォーマットである場合、前記ネットワークデバイスにより選択された前記ＭＣＳマッピング関係テーブル内の前記複数のＭＣＳが、第２の変調方式を含み、前記ＤＣＩのＤＣＩフォーマットが第２のＤＣＩフォーマットである場合、前記ネットワークデバイスにより選択された前記ＭＣＳマッピング関係テーブル内の前記複数のＭＣＳが、前記第２の変調方式を含まない。
【０１８０】
任意選択で、前記伝送パラメータが、前記第１のデータの伝送のための伝送モード及び記第１のデータのスケジューリングのためのＤＣＩのＤＣＩフォーマットを含み、
前記伝送モードが第３の伝送モードであり、前記ＤＣＩのＤＣＩフォーマットが第３のＤＣＩフォーマットである場合、前記ネットワークデバイスにより選択された前記ＭＣＳマッピング関係テーブル内の前記複数のＭＣＳが、第３の変調方式を含み、前記伝送モードが第３の伝送モードではなく、及び／又は、前記ＤＣＩのＤＣＩフォーマットが第３のＤＣＩフォーマットでない場合、前記ネットワークデバイスにより選択された前記ＭＣＳマッピング関係テーブル内の前記複数のＭＣＳが、前記第３の変調方式を含まない。
【０１８１】
任意選択で、前記伝送パラメータが、前記第１のデータの伝送のための伝送モード及び記第１のデータのスケジューリングのためのＤＣＩのＤＣＩフォーマットを含み、
前記伝送モードが第４の伝送モードであり、前記ＤＣＩのＤＣＩフォーマットが第４のＤＣＩフォーマットである場合、前記ネットワークデバイスにより選択された前記ＭＣＳマッピング関係テーブル内の前記複数のＭＣＳが、第４の変調方式を含まない、前記伝送モードが第４の伝送モードではなく、及び／又は、前記ＤＣＩのＤＣＩフォーマットが第４のＤＣＩフォーマットでない場合、前記ネットワークデバイスにより選択された前記ＭＣＳマッピング関係テーブル内の前記複数のＭＣＳが、前記第４の変調方式を含む。
【０１８２】
任意選択で、前記伝送パラメータが前記第１のデータと上り制御情報ＵＣＩの多重方式を含み、前記多重方式が、前記第１のデータとＵＣＩが同じ時間領域リソースユニットに多重化されることである場合、又は、前記第１のデータとＵＣＩ周波数分割がＦＤＭの多重化を行う場合、前記ネットワークデバイスにより選択された前記ＭＣＳマッピング関係テーブル内の前記複数のＭＣＳが、第５の変調方式を含まない。
【０１８３】
任意選択で、前記端末デバイスが異なる伝送パラメータに応じて選択したＭＣＳマッピング関係テーブルが異なり、前記異なるＭＣＳマッピング関係テーブルにおいて前記目標ＭＣＳに対応する符号化率が異なる。
【０１８４】
任意選択で、前記端末デバイスが異なる伝送パラメータに応じて選択したＭＣＳマッピング関係テーブルが異なり、前記異なるＭＣＳマッピング関係テーブルに含まれるＭＣＳ指示情報の数が異なる。
【０１８５】
任意選択で、前記データ処理ユニット５４０は、具体的に、前記目標ＭＣＳが前記端末デバイスのサポートする最大ＭＣＳを超える場合、前記ネットワークデバイスが前記最大ＭＣＳに基づいて、前記第１のデータを符号化及び変調し、又は、前記第１のデータを復調及び復号するように構成される。
【０１８６】
なお、当該ネットワークデバイス５００は、上述した方法の実施例において、ネットワークデバイスにより実行される対応する動作を実行してもよく、簡潔のために、ここで説明を省略する。
【０１８７】
図６は、本願の実施例に係るシステムチップ６００の概略構成図である。図６のシステムチップ６００は、入力インターフェース６０１、出力インターフェース６０２、メモリ６０４内のコードを実行するプロセッサ６０３、及びメモリ６０４を含み、それらの間を内部通信接続線によって接続することができる。
【０１８８】
任意選択で、前記コードが実行されると、前記プロセッサ６０３は、上記の方法の実施形態において端末デバイスによって実行される方法２００を実装してもよい。簡潔にするために、ここで説明を省略する。
【０１８９】
任意選択で、前記コードが実行されると、前記プロセッサ６０３は、上記の方法の実施形態においてネットワークデバイスによって実行される方法３００を実装してもよい。簡潔にするために、ここで説明を省略する。
【０１９０】
図７は、本発明の実施形態に係る通信装置７００の概略構成図である。図７に示すように、通信デバイスは、プロセッサ７１０、送受信機７２０、及びメモリ７３０を備え、プロセッサ７１０、送受信機７２０、及びメモリ７３０は、内部接続経路を介して互いに通信する。メモリ７３０は、命令を格納するために使用され、プロセッサ７１０は、送受信機７２０を制御して信号を受信または送信するためにメモリ７３０に格納された命令を実行するために使用される。
【０１９１】
任意選択で、当該プロセッサ７１０は、メモリ７３０に格納されたプログラムコードを呼び出して、方法の実施形態における端末デバイスの対応する動作を実行してもよく、簡潔のためにここで説明を省略する。
【０１９２】
任意選択で、当該プロセッサ７１０は、メモリ７３０に格納されたプログラムコードを呼び出して、方法の実施形態におけるネットワークデバイスの対応する動作を実行してもよく、簡潔のためにここで説明を省略する。
【０１９３】
本願の実施形態のプロセッサは、信号の処理能力を有する集積回路チップであり得ることが理解される。実施において、上述した方法の実施形態のステップは、プロセッサ内のハードウェアの集積論理回路またはソフトウェア形態の命令によって実行されてもよい。上記のプロセッサは、汎用プロセッサ、デジタル信号プロセッサ( Ｄｉｇｉｔａｌ Ｓｉｇｎａｌ Ｐｒｏｃｅｓｓｏｒ、ＤＳＰ )、特定用途向け集積回路( Ａｐｐｌｉｃａｔｉｏｎ Ｓｐｅｃｉｆｉｃ Ｉｎｔｅｇｒａｔｅｄ Ｃｉｒｃｕｉｔ、ＡＳＩＣ )、既存のプログラマブルゲートアレイ( Ｆｉｅｌｄ Ｐｒｏｇｒａｍｍａｂｌｅ Ｇａｔｅ Ａｒｒａｙ、ＦＰＧＡ )又は他のプログラマブル論理デバイス、ディスクリートゲート又はトランジスタロジック、ディスクリートハードウェアコンポーネントであってもよい。本出願の実施形態に開示された方法、ステップ、及び論理ブロック図は、実施され得るか、又は実行され得る。汎用プロセッサはマイクロプロセッサであってもよく、プロセッサは任意の従来のプロセッサなどであってもよい。本願の実施形態に関連して開示される方法のステップは、ハードウェアデコーディングプロセッサ実行として直接的に、または、デコーディングプロセッサ内のハードウェアおよびソフトウェアモジュールの組み合わせで実行されるとして具現化され得る。ソフトウェアモジュールは、ランダムアクセスメモリ、フラッシュメモリ、読み取り専用メモリ、プログラム可能読み取り専用メモリ、または電気的に消去可能なプログラム可能メモリ、レジスタなどの当技術分野で熟練した記憶媒体内に配置され得る。この記憶媒体は、メモリに位置し、プロセッサは、メモリ内の情報を読み取り、ハードウェアとともに上述した方法のステップを実行する。
【０１９４】
本発明の実施形態におけるメモリは、揮発性メモリ又は不揮発性メモリであってもよく、或いは揮発性メモリ及び不揮発性メモリの両方を含んでもよいことが理解される。ここで、不揮発性メモリは、リードオンリーメモリ( Ｒｅａｄ-Ｏｎｌｙ Ｍｅｍｏｒｙ、ＲＯＭ )、プログラマブルリードオンリーメモリ( Ｐｒｏｇｒａｍｍａｂｌｅ ＲＯＭ、ＰＲＯＭ )、消去可能プログラマブルリードオンリーメモリ( Ｅｒａｓａｂｌｅ ＰＲＯＭ、ＥＰＲＯＭ )、電気的消去可能プログラマブルリードオンリーメモリ( Ｅｌｅｃｔｒｉｃａｌｌｙ ＥＰＲＯＭ、ＥＥＰＲＯＭ )、またはフラッシュメモリであってもよい。揮発性メモリは、外部キャッシュとして使用されるランダムアクセスメモリ( Ｒａｎｄｏｍ Ａｃｃｅｓｓ Ｍｅｍｏｒｙ、ＲＡＭ )であってよい。限定ではなく例として、ＲＡＭは、スタティックランダムアクセスメモリ( Ｓｔａｔｉｃ ＲＡＭ、ＳＲＡＭ )、ダイナミックランダムアクセスメモリ( Ｄｙｎａｍｉｃ ＲＡＭ、ＤＲＡＭ )、シンクロナスダイナミックランダムアクセスメモリ( Ｓｙｎｃｈｒｏｎｏｕｓ ＤＲＡＭ、ＳＤＲＡＭ )、ダブルデータレートシンクロナスダイナミックランダムアクセスメモリ( Ｄｏｕｂｌｅ Ｄａｔａ Ｒａｔｅ ＳＤＲＡＭ、ＤＤＲ ＳＤＲＡＭ )、エンハンスメント型シンクロナスダイナミックランダムアクセスメモリ( Ｅｎｈａｎｃｅｄ ＳＤＲＡＭ、ＥＳＤＲＡＭ )、シンクロナス接続ダイナミックランダムアクセスメモリ( Ｓｙｎｃｈｌｉｎｋ ＤＲＡＭ、ＳＬＤＲＡＭ )、及びダイレクトメモリバスランダムアクセスメモリ( Ｄｉｒｅｃｔ Ｒａｍｂｕｓ ＲＡＭ、ＤＲ ＲＡＭ )など、多くの形態で利用可能である。本明細書に記載のシステム及び方法のメモリは、これら及び任意の他の適切なタイプのメモリを含むことが意図されているが、これらに限定されないことに留意されたい。
【０１９５】
当業者は、本明細書に開示される実施形態に関連して説明される様々な例のユニットおよびアルゴリズムステップが、電子ハードウェア、またはコンピュータソフトウェアと電子ハードウェアとの組合せで実装され得ることを認識するであろう。これらの機能は、技術案の特定の適用例および設計制約に応じて、ハードウェアまたはソフトウェアのいずれで実行されるかに依存する。当業者は、説明された機能を実施するために、特定のアプリケーションごとに異なる方法を使用し得るが、そのような実施は、本開示の範囲から逸脱するものと考えられるべきではない。
【０１９６】
当業者であれば、説明の便宜及び簡潔にするために、上記に説明されたシステム、装置及びユニットの特定の動作プロセスが、前述の方法の実施形態における対応するプロセスを参照してよく、ここでその説明が省略されることを理解するであろう。
【０１９７】
本明細書で提供されるいくつかの実施形態では、開示されるシステム、装置、および方法は、他の方法で実現されてもよいことが理解されるべきである。例えば、上記の装置の実施形態は、単に例示的なものであり、例えば、ユニットの分割は、１つの論理的機能の分割にすぎず、実際の実装では、別の分割方法があり得、例えば、複数のユニット又はコンポーネントが、組み合わされてもよいし、別のシステムに統合されてもよいし、又はいくつかの特徴が省略されてもよいし、又は実行されなくてもよい。別の点では、表示または議論される相互間の結合または直接的な結合または通信接続は、何らかのインターフェース、デバイスまたはユニットを介した間接的な結合または通信接続であってもよく、電気的、機械的、または他の形態であってもよい。
【０１９８】
上記分離手段として説明したユニットは、物理的に分離していてもいなくてもよく、ユニットとして表示する手段は、物理的なユニットであってもなくてもよく、１箇所にあってもよく、あるいは複数のネットワークユニットに分散していてもよい。また、本実施形態の目的は、必要に応じて各部の一部又は全部を選択して実施することができる。
【０１９９】
また、本発明の各実施例における各機能部は、１つの処理部に集積されてもよいし、各部は、物理的に別個に存在してもよいし、２つ以上の部が１つの部に集積されてもよい。
【０２００】
また、ソフトウェア的な機能単位で実現され、独立した製品として販売又は使用される場合には、コンピュータ読み取り可能な記録媒体に格納されてもよい。このような理解に基づいて、本発明の技術的解決策の本質または従来技術に寄与する部分、または本発明の技術的解決策の部分は、１つのコンピュータデバイス(パーソナルコンピュータ、サーバ、またはネットワークデバイスなどであり得る)に本発明の様々な実施形態に記載された方法のステップの全てまたは一部を実行させるための複数の命令を含む１つの記憶媒体に記憶されたソフトウェア製品の形態で具現化され得る。なお、前記記憶媒体としては、U-ディスク、リムーバブルハードディスク、Ｒｅａｄ-Ｏｎｌｙ Ｍｅｍｏｒｙ、ＲＯＭ、ＲＡＭ、磁気ディスク、光ディスク等のプログラムコードを記憶できる種々の媒体を用いることができる。
【０２０１】
以上、本発明の具体的な実施形態を説明したが、本発明の技術的範囲はこれに限定されるものではなく、本発明が属する技術分野で通常の知識を有する者であれば、本発明の技術的範囲内で容易に変更や置換をなし得ることは勿論である。したがって、本発明の保護範囲は、特許請求の範囲によって定義されるべきである。
【手続補正２】
【補正対象書類名】特許請求の範囲
【補正対象項目名】全文
【補正方法】変更
【補正の内容】
【特許請求の範囲】
【請求項１】
端末デバイスがデータの伝送に使用される下り制御情報ＤＣＩのＤＣＩフォーマットに基づいて、変調符号化方式ＭＣＳマッピング関係テーブルを決定することと、
前記端末デバイスがＤＣＩに含まれるＭＣＳ指示情報、及び前記ＭＣＳマッピング関係テーブルに基づいて、データに対してデータ処理を行うためのＭＣＳを決定することと、
前記端末デバイスが前記ＭＣＳに基づいて、データを符号化及び変調し、又は、データを復調及び復号することとを含み、
前記ＭＣＳマッピング関係テーブルには複数のＭＣＳ指示情報と複数のＭＣＳとのマッピング関係が含まれ、前記ＭＣＳマッピング関係テーブルの複数のＭＣＳが２５６ＱＡＭの変調方式を含む
ことを特徴とするデータ処理方法。
【請求項２】
前記複数のＭＣＳ指示情報内の各ＭＣＳ指示情報が１つのＭＣＳインデックスを示し、前記複数のＭＣＳ指示情報が示す複数のＭＣＳインデックスが前記複数のＭＣＳに一対一に対応する
ことを特徴とする請求項１に記載のデータ処理方法。
【請求項３】
前記複数のＭＣＳの各ＭＣＳが変調方式及び符号化率の情報を含む
ことを特徴とする請求項１又は２に記載のデータ処理方法。
【請求項４】
前記ＤＣＩフォーマットが、ＤＣＩフォーマット１又はＤＣＩフォーマット０を含む
ことを特徴とする請求項１〜３のいずれか1項に記載のデータ処理方法。
【請求項５】
前記端末デバイスが異なる伝送パラメータに応じて決定したＭＣＳマッピング関係テーブルが異なり、前記異なるマッピング関係テーブルにおいて前記目標ＭＣＳ指示情報に対応する符号化率が異なる
ことを特徴とする請求項３又は４に記載のデータ処理方法。
【請求項６】
前記端末デバイスが異なる伝送パラメータに応じて決定したＭＣＳマッピング関係テーブルが異なり、前記異なるＭＣＳマッピング関係テーブルに含まれるＭＣＳ指示情報の数が異なる
ことを特徴とする請求項３〜５のいずれか１項に記載のデータ処理方法。
【請求項７】
選択ユニットと、決定ユニットと、データ処理ユニットと、を含む端末デバイスであって、
前記選択ユニットは、データの伝送に使用される下り制御情報ＤＣＩのＤＣＩフォーマットに基づいて、変調符号化方式ＭＣＳマッピング関係テーブルを決定するように構成され、前記ＭＣＳマッピング関係テーブルには複数のＭＣＳ指示情報と複数のＭＣＳとのマッピング関係が含まれ、前記ＭＣＳマッピング関係テーブルの複数のＭＣＳが２５６ＱＡＭの変調方式を含み、
前記決定ユニットは、前記ＤＣＩに含まれるＭＣＳ指示情報及び前記選択ユニットにより選択された前記ＭＣＳマッピング関係テーブルに基づいて、データに対してデータ処理を行うためのＭＣＳを決定するように構成され、
前記データ処理ユニットは、前記決定ユニットにより決定された前記ＭＣＳに基づいて、データを符号化及び変調し、又は、データを復調及び復号するように構成される
ことを特徴とする端末デバイス。
【請求項８】
前記複数のＭＣＳ指示情報内の各ＭＣＳ指示情報が１つのＭＣＳインデックスを示し、前記複数のＭＣＳ指示情報が示す複数のＭＣＳインデックスが前記複数のＭＣＳに一対一に対応する
ことを特徴とする請求項７に記載の端末デバイス。
【請求項９】
前記複数のＭＣＳの各ＭＣＳが変調方式及び符号化率の情報を含む
ことを特徴とする請求項７又は８に記載の端末デバイス。
【請求項１０】
前記ＤＣＩフォーマットが、ＤＣＩフォーマット１又はＤＣＩフォーマット０を含む
ことを特徴とする請求項７〜９のいずれか1項に記載の端末デバイス。
【請求項１１】
前記端末デバイスが異なる伝送パラメータに応じて決定したＭＣＳマッピング関係テーブルが異なり、前記異なるマッピング関係テーブルにおいて前記目標ＭＣＳ指示情報に対応する符号化率が異なる
ことを特徴とする請求項９又は１０項に記載の端末デバイス。
【請求項１２】
前記端末デバイスが異なる伝送パラメータに応じて決定したＭＣＳマッピング関係テーブルが異なり、前記異なるＭＣＳマッピング関係テーブルに含まれるＭＣＳ指示情報の数が異なる
ことを特徴とする請求項９〜１１のいずれか１項に記載の端末デバイス。
【手続補正３】
【補正対象書類名】図面
【補正対象項目名】全図
【補正方法】変更
【補正の内容】
【図１】
2021500773.tif 000016
【図２】
2021500773.tif 000017
【図３】
2021500773.tif 000018
【図４】
2021500773.tif 000019
【図５】
2021500773.tif 000020
【図６】
2021500773.tif 000021
【図７】
2021500773.tif 000022
【国際調査報告】
2021500773.tif 000023
2021500773.tif 000024
2021500773.tif 000025
2021500773.tif 000026